(57)【要約】【課題】遊技の興趣が高い遊技機を提供する。【解決手段】パチンコ遊技機は、遊技の結果を示唆する特定演出を実行する。特定演出は、遊技の結果を示唆する態様とは異なる選択肢が選択される選択演出を含む。特定演出は、選択された対象が遊技の結果を示唆する態様に変化する変化演出を更に含む。ここで、第１の結果となる信頼度が高い所定演出が実行されている場合には、第１の候補に変化する割合が高い選択肢を多く用いて選択演出を実行する。【選択図】図３２
2014158636.tif 000002
【特許請求の範囲】
【請求項１】
遊技媒体が始動領域を通過した後に、各々を識別可能な識別情報を可変表示し、表示結果を導出することで遊技の結果を確定する可変表示手段を備え、前記遊技の結果があらかじめ定められた特定表示結果となった時に遊技者にとって有利な特定遊技状態へと制御する遊技機であって、
前記識別情報の可変表示が特定表示結果となることを示唆する所定演出を実行する所定演出実行手段と、
前記遊技の結果が第１の結果となること、または該第１の結果と異なる第２の結果となることを示唆する特定演出を実行する特定演出実行手段を備え、
前記特定演出実行手段は、
前記特定演出として、
複数種類の選択肢のうちから一の対象を選択する選択演出と、
前記選択演出が実行された後に該選択演出で選択された対象の態様を遊技の結果を報知する態様に変化させる変化演出とを実行し、
前記選択演出で選択した対象の種類に応じて、前記変化演出において前記第１の結果となることを示唆する態様に変化させる割合が異なると共に、
前記特定表示結果となる可能性が特定割合よりも高いことを示唆する所定演出が実行されている場合には、実行されていない場合よりも、前記第１の結果を報知する態様へ変化する割合の高い種類の選択肢を多く用いて前記選択演出を実行する、
ことを特徴とする遊技機。
【発明の詳細な説明】
【技術分野】
【０００１】
本発明は、パチンコ遊技機等の遊技機に係り、詳しくは、遊技媒体が始動領域を通過した後に、各々を識別可能な識別情報を可変表示し、表示結果を導出することで遊技の結果を確定する可変表示手段を備え、前記遊技の結果があらかじめ定められた特定表示結果となった時に遊技者にとって有利な特定遊技状態へと制御する遊技機に関する。
【背景技術】
【０００２】
遊技機として、所定の遊技を行い、遊技結果に基づいて所定の遊技価値を付与可能となる遊技機が存在する。例えば、遊技媒体が始動領域を通過したことに基づいて各々を識別可能な識別情報を可変表示し、表示結果を導出することで前記遊技の結果を確定する可変表示手段を備え、前記遊技の結果が特定遊技結果となったときに遊技者にとって有利な特定遊技状態に制御する遊技機などである。ここで、所定の遊技価値の付与は、賞球やメダルといった景品遊技媒体の払出し、遊技媒体を使用（消化）しない再ゲームの実行、特定遊技状態（例えば大当り遊技状態）などの通常遊技状態よりも遊技者にとって有利な遊技状態への制御、演出画面の変化といった実行中の遊技と関連するもののほか、異なる遊技やサービスで使用可能なポイントを遊技者に付加するといった実行中の遊技とは直接関連しないものを含む概念である。
【０００３】
このような遊技機には、特定遊技結果となるか否かを示唆する予告演出やリーチ演出といった所定の演出を実行することで、遊技の興趣を高めたものがある。
【０００４】
さらに、遊技領域に設けられている所定の通過領域を遊技球が通過すると、普通図柄可変表示装置において普通識別情報の変動を開始し、変動結果を導出することで遊技の結果を確定する遊技機がある。このような遊技機は、普通識別情報の表示結果（停止識別情報）が所定の表示結果（例えば、当り図柄）である場合には、可変入賞装置を、遊技球が入賞しやすい状態に制御する。
【０００５】
特別図柄の可変表示結果や普通図柄の変動結果を導出することで遊技の結果を確定する遊技機の中には、リーチ演出や予告演出とは別に、遊技の結果を示唆するルーレット演出を実行することで遊技の興趣を向上させたものが知られている（例えば、特許文献１参照）。特許文献１の遊技機は、遊技の結果を示唆する複数の図柄（例えば「（特別図柄の）大当り」を示唆する図柄、「（普通図柄の）当り」を示唆する図柄、及び「ハズレ」を示唆する図柄など）を画像表示装置の一部（ルーレット表示領域）で回転表示する。そして、演出結果として一の図柄を停止表示する。
【先行技術文献】
【特許文献】
【０００６】
【特許文献１】特開２０１１−２３４９５７号公報
【発明の概要】
【発明が解決しようとする課題】
【０００７】
特許文献１に記載の遊技機では、遊技の結果を示唆する画像がルーレット表示領域で回転表示されたのち、何れか一つが停止表示されるだけである。そのため、演出に溜めがなく、遊技の結果を示唆する演出（ルーレット演出）への遊技者の注目度が低くかった。このように、遊技の結果を示唆する演出によって遊技の興趣を十分高めることができなかった。
【０００８】
そこで、本発明は、遊技の興趣が高い遊技機を提供することを目的とする。
【課題を解決するための手段】
【０００９】
（１）上記目的を達成するため、本願に係る遊技機は、遊技媒体（例えば、遊技球など）が始動領域（例えば普通入賞球装置６Ａが形成する第１始動入賞口や普通可変入賞球装置６Ｂが形成する第２始動入賞口など）を通過した後に、各々を識別可能な識別情報（例えば、特別図柄や飾り図柄など）を可変表示し、表示結果を導出することで遊技の結果を確定する可変表示手段（例えば、第１特別図柄表示装置４Ａや第２特別図柄表示装置４Ｂ、画像表示装置５など）を備え、前記遊技の結果があらかじめ定められた特定表示結果（例えば、「特図大当り」など）となった時に遊技者にとって有利な特定遊技状態（例えば、大当り遊技状態など）へと制御する遊技機であって、前記識別情報の可変表示が特定表示結果となることを示唆する所定演出（例えば、予告演出など）を実行する所定演出実行手段（例えば、図３５のステップＳ４６４を実行する演出制御用ＣＰＵ１２０など）と、前記遊技の結果が第１の結果（例えば、「特図大当り」など）となること、または該第１の結果と異なる第２の結果（例えば、「特図ハズレ」、「普図当り」、「普図ハズレ」など）となることを示唆する特定演出を実行する特定演出実行手段を備え、前記特定演出実行手段は、前記特定演出として、複数種類の選択肢のうちから一の対象を選択する選択演出（例えば、図３８（Ｂ）〜（Ｄ）や図３９（Ｂ）〜（Ｄ）に示す選択演出など）と、前記選択演出が実行された後に該選択演出で選択された対象の態様を遊技の結果を報知する態様に変化させる変化演出（例えば、図３８（Ｄ）〜（Ｅ）や図３９（Ｄ）〜（Ｅ）に示す変化演出など）とを実行し、前記選択演出で選択した対象の種類に応じて、前記変化演出において前記第１の結果となることを示唆する態様に変化させる割合が異なると共に（図２６・図３０（Ａ）参照）、前記特定表示結果となる可能性が特定割合（例えば、１５％）よりも高いことを示唆する所定演出が実行されている場合には、実行されていない場合よりも、前記第１の結果を報知する態様へ変化する割合の高い種類の選択肢を多く用いて前記選択演出を実行する（例えば、図３２のステップＳ８０７にて高信頼度の予告演出が実行されている場合に、演出制御用ＣＰＵ１２０がステップＳ８０８及びステップＳ８０９の処理により閾値よりも高い数の第１態様の選択肢を用いて選択演出を実行する部分など）、ことを特徴とする遊技機。
このような構成によれば、選択肢が選択された後に遊技の結果を示唆する態様に変化する、溜めのある特定演出が実行できる。特に、所定演出として第１の結果となる割合が高い所定演出が実行されている場合には、第１の結果を示唆する態様に変化する割合が高い種類の選択肢を多く用いて選択演出を実行する上、第１の結果に特定遊技結果が含まれるので、所定演出と特定演出（特に選択演出）とが連動しているかのような印象を与えて遊技者の期待感を煽ることが出来る。そのため、所定演出と特定演出との演出効果を向上して遊技の興趣を高めることができる。
【００１０】
（２）上記（１）の遊技機において、前記遊技の結果を示唆する態様は、前記第１の結果となる割合が異なる互いに識別可能な複数の前記第１の結果となることを示唆する態様（例えば、図３０（Ａ）に示すような、特図変動結果が大当りとなる割合が異なる「チャンス」・「アツイ」・「激アツ」等の複数の態様など）を含み、前記特定演出実行手段は、前記選択演出にて選択された対象の種類に応じて異なる割合で、前記変化演出にて前記対象の態様を前記複数の第１の結果となることを示唆する態様の何れかに変化させる（図３０（Ａ）参照）、としてもよい。
このような構成によれば、選択された対象の種類に応じて第１の結果となる割合（信頼度）が異なる複数の第１の結果を示唆する態様の何れに変化するかの割合が異なるため、選択演出及び第１の結果を示唆する態様へ変化する変化演出への関心を更に高めることが出来る。
【００１１】
（３）上記（１）又は（２）の遊技機において、前記特定演出実行手段は、前記特定演出として、前記選択演出が実行されるよりも前に、該選択演出の実行される特定演出の変化演出にて変化させる可能性のある前記遊技の結果を示唆する態様の候補を示す候補演出（例えば、図３８（Ａ）や図３９（Ａ）に示す候補演出など）をさらに実行する、としてもよい。
このような構成によれば、選択肢から変化する態様の候補を予め遊技者に示すことにより、何れの候補に実際に変化するかについての遊技者の興味を高めることが出来る。
【００１２】
（４）上記（１）〜（３）の何れかの遊技機において、前記複数種類の選択肢は特定態様の選択肢（例えば、図３９の星形の選択肢など）を含み、前記遊技の結果を示唆する態様は特別態様（例えば、図３９の「激アツ」の選択肢など）を含み、前記特定演出実行手段は、前記選択演出にて前記特定態様の選択肢を選択した場合には、前記変化演出にて該選択した対象を前記特別態様に変化させる（図３０（Ａ）参照）、としてもよい。
このような構成によれば、特定態様の選択肢が選ばれた場合には、特定演出の結果が特別態様となるので、特定態様の選択肢が選択されるか否かについて遊技者の興味を高めることが出来る。
【００１３】
（５）上記（１）〜（４）の何れかの遊技機において、遊技媒体（例えば、遊技球など）が始動領域（例えば普通入賞球装置６Ａが形成する第１始動入賞口や普通可変入賞球装置６Ｂが形成する第２始動入賞口など）を通過したことに基づいて各々を識別可能な識別情報（例えば、特別図柄や飾り図柄など）を可変表示し、表示結果を導出することで前記遊技の結果を確定する可変表示手段（例えば、第１特別図柄表示装置４Ａや第２特別図柄表示装置４Ｂ、画像表示装置５など）を備え、前記遊技の結果が特定遊技結果（例えば、「特図大当り」など）となったときに遊技者にとって有利な特定遊技状態（例えば、大当り遊技状態など）に制御する遊技機であって、前記遊技の結果が前記特定遊技結果とは異なる前記第２の結果となった場合に、前記特定遊技状態に制御されることとは異なる所定の遊技価値（例えば、演出ポイントなど）を付与する所定価値付与手段（例えば、図３２のステップＳ８１５にてポイント付与処理を実行する演出制御用ＣＰＵ１２０など）を更に備え、前記第２の結果を示唆する態様は、前記所定の遊技価値が付与されることを示唆する態様（例えば、図３８・図３９の「ポイント」の態様など）を含む、としてもよい。
特定演出によって、特定遊技結果とは異なる遊技の結果が示唆されると、遊技者が落胆してしまう恐れがある。このような構成によれば、特定遊技結果となることとは異なる第２の結果を示唆するとしても、所定の遊技価値が付与されることを示唆できるので遊技者の落胆を軽減できる。
【図面の簡単な説明】
【００１４】
【図１】この実施の形態におけるパチンコ遊技機の正面図である。
【図２】パチンコ遊技機に搭載された各種の制御基板などを示す構成図である。
【図３】主基板の側にてカウントされる遊技用乱数を例示する説明図である。
【図４】変動パターンを例示する図である。
【図５】変動パターン種別を例示する図である。
【図６】特図表示結果決定テーブルの構成例を示す図である。
【図７】大当り種別決定テーブルの構成例を示す図である。
【図８】変動パターン種別決定テーブルの構成例を示す図である。
【図９】変動パターン決定テーブルの構成例を示す図である。
【図１０】演出制御パターンの構成例を示す図である。
【図１１】演出制御用データ保持エリアの構成例を示すブロック図である。
【図１２】遊技制御用タイマ割込み処理の一例を示すフローチャートである。
【図１３】特別図柄プロセス処理の一例を示すフローチャートである。
【図１４】始動入賞判定処理の一例を示すフローチャートである。
【図１５】入賞時乱数値判定処理の一例を示すフローチャートである。
【図１６】特別図柄通常処理の一例を示すフローチャートである。
【図１７】変動パターン設定処理の一例を示すフローチャートである。
【図１８】普通図柄プロセス処理の一例を示すフローチャートである。
【図１９】普通図柄判定処理の一例を示すフローチャートである。
【図２０】普図表示結果決定テーブルの構成例を示す図である。
【図２１】演出制御メイン処理の一例を示すフローチャートである。
【図２２】演出制御プロセス処理の一例を示すフローチャートである。
【図２３】第１特定演出決定処理の一例を示すフローチャートである。
【図２４】第１特定演出決定処理の一例を示すフローチャートである。
【図２５】第１特定演出決定処理の一例を示すフローチャートである。
【図２６】第１特定演出の実行有無・種別の決定例を示す図である。
【図２７】第１特定演出における表示候補の割合の決定例を示す図である。
【図２８】第１特定演出における使用選択画像の決定例を示す図である。
【図２９】第２特定演出決定処理の一例を示すフローチャートである。
【図３０】第２特定演出の実行有無・種別の決定例を示す図である。
【図３１】先読み演出処理の一例を示すフローチャートである。
【図３２】特定演出実行処理の一例を示すフローチャートである。
【図３３】可変表示開始設定処理の一例を示すフローチャートである。
【図３４】予告演出の実行有無・実行内容の決定例を示す図である。
【図３５】可変表示中演出処理の一例を示すフローチャートである。
【図３６】第１特定演出の実行タイミングを示す図である。
【図３７】第２特定演出の実行タイミングを示す図である。
【図３８】各種演出実行時に表示される画像の例を示す図である。
【図３９】各種演出実行時に表示される画像の例を示す図である。
【発明を実施するための形態】
【００１５】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１６】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１７】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を可変表示するように構成されていてもよい。
【００１８】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００１９】
一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２０】
このように、画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２１】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字や、英文字、所定のモチーフに関連する８個のキャラクタ画像、数字や文字あるいは記号とキャラクタ画像との組合せなど。なお、キャラクタ画像は、例えば人物や動物、これら以外の物体、もしくは、文字などの記号、あるいは、その他の任意の図形を示す飾り画像であればよい。）で構成される。また、こうした８種類の飾り図柄の他に、ブランク図柄（大当り組合せを構成しない図柄）が含まれていてもよい。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２２】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２３】
画像表示装置５の表示領域には、始動入賞記憶表示エリア５Ｈが配置されている。始動入賞記憶表示エリア５Ｈでは、特図ゲームに対応した可変表示の保留数（特図保留記憶数）を特定可能に表示する保留表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２４】
例えば、第１始動入賞口を遊技球が通過（進入）する第１始動入賞の発生により、第１特別図柄表示装置４Ａによる第１特図を用いた特図ゲームの始動条件（第１始動条件）が成立したときに、当該第１始動条件の成立に基づく第１特図を用いた特図ゲームを開始するための第１開始条件が成立しなければ、第１特図保留記憶数が１加算（インクリメント）され、第１特図を用いた特図ゲームの実行が保留される。また、第２始動入賞口を遊技球が通過（進入）する第２始動入賞の発生により、第２特別図柄表示装置４Ｂによる第２特図を用いた特図ゲームの始動条件（第２始動条件）が成立したときに、当該第２始動条件の成立に基づく第２特図を用いた特図ゲームを開始するための第２開始条件が成立しなければ、第２特図保留記憶数が１加算（インクリメント）され、第２特図を用いた特図ゲームの実行が保留される。これに対して、第１特図を用いた特図ゲームの実行が開始されるときには、第１特図保留記憶数が１減算（デクリメント）され、第２特図を用いた特図ゲームの実行が開始されるときには、第２特図保留記憶数が１減算（デクリメント）される。
【００２５】
第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２６】
始動入賞記憶表示エリア５Ｈでは、例えば複数の表示部位において、非表示（透過色）と所定色表示（例えば青色表示や赤色表示など）とで変化させることなどにより、第１特図保留記憶数と第２特図保留記憶数とを区別して特定可能に表示できればよい。なお、合計保留記憶数のみを特定可能に表示してもよい。また、特図保留記憶数を示す数字を表示してもよい。始動入賞記憶表示エリア５Ｈとともに、あるいは始動入賞記憶表示エリア５Ｈに代えて、特図保留記憶数を表示する表示器を設けるようにしてもよい。図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。
【００２７】
また、画像表示装置５の上部や下部といった、画像表示装置５の周囲には、回転及び振動等の演出動作が可能に構成された演出用可動部材３２が設けられてもよい。演出用可動部材３２は、図２に示す可動部材駆動モータ３３により所定の動作を駆動されることにより、画像表示装置８演出のために用いられる。
【００２８】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、第２始動入賞口を形成する。一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。
【００２９】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００３０】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する大入賞口を形成する。一例として、特別可変入賞球装置７では、大入賞口扉用のソレノイド８２がオフ状態であるときに大入賞口扉が大入賞口を閉鎖状態にする。その一方で、特別可変入賞球装置７では、大入賞口扉用のソレノイド８２がオン状態であるときに大入賞口扉が大入賞口を開放状態にする。特別可変入賞球装置７に形成された大入賞口を通過（進入）した遊技球は、例えば図２に示すカウントスイッチ２３によって検出される。
【００３１】
カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３２】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普通図柄表示器２０は、例えば「０」〜「９」を示す数字や「−」を示す記号等から構成される複数種類の普通図柄を可変表示する。複数種類の普通図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。なお、普通図柄表示器２０は、「０」〜「９」を示す数字や「−」を示す記号等を普通図柄として可変表示するものに限定されず、例えば「○」と「×」とを示す装飾ランプ（又はＬＥＤ）を交互に点灯させることや、「左」、「中」、「右」といった複数の装飾ランプ（又はＬＥＤ）を所定順序で点灯させることにより、普通図柄を可変表示するものであってもよい。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３３】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。
【００３４】
遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００３５】
次に、パチンコ遊技機１における遊技の進行を概略的に説明する。
【００３６】
パチンコ遊技機１では、遊技領域に設けられた通過ゲート４１を通過した遊技球が図２に示すゲートスイッチ２１によって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、普図変動時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。電動チューリップの可動翼片が傾動位置となる拡大開放制御（傾動制御）がされることによって、遊技球が第２始動入賞口に入賞可能になり（始動入賞し易くなり）、遊技者にとって有利な状態になる。この制御を、電チュー開放制御とも言う。電動チューリップの可動翼片が拡大開放されている状態では、第１始動入賞口よりも、第２始動入賞口に遊技球が入賞しやすい。また、電動チューリップの可動翼片が拡大開放されていない状態では、遊技球は第２始動入賞口に入賞しない。従って、電動チューリップの可動翼片が非開放状態になっている状態では、第２始動入賞口よりも、第１始動入賞口に遊技球が入賞しやすい。なお、電動チューリップの可動翼片が非開放状態の場合に、入賞はしづらいものの、入賞することは可能である（すなわち、遊技球が入賞しにくい）ように構成されていてもよい。
【００３７】
普通入賞球装置６Ａに形成された第１始動入賞口を通過（進入）した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことに基づいて、第１特別図柄表示装置４Ａによる特図ゲームが開始される。また、普通可変入賞球装置６Ｂに形成された第２始動入賞口を通過（進入）した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことに基づいて、第２特別図柄表示装置４Ｂによる特図ゲームが開始される。
【００３８】
第１特別図柄表示装置４Ａや第２特別図柄表示装置４Ｂによる特図ゲームでは、特別図柄の可変表示を開始させた後、特図変動時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が停止表示されれば「ハズレ」となる。特図ゲームでの可変表示結果が「大当り」になった後には、遊技者にとって有利なラウンド（「ラウンド遊技」ともいう）を所定回数実行する特定遊技状態としての大当り遊技状態に制御される。なお、特図ゲームでの可変表示結果が「大当り」となることを「遊技の結果が特図大当りとなる」とも言う。また、特図ゲームでの可変表示結果が「ハズレ」となることを、「遊技の結果が特図ハズレとなる」とも言う。
【００３９】
この実施の形態におけるパチンコ遊技機１では、一例として、「３」、「５」、「７」の数字を示す特別図柄を大当り図柄とし、「−」の記号を示す特別図柄をハズレ図柄としている。なお、第１特別図柄表示装置４Ａによる特図ゲームにおける大当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄やハズレ図柄となるようにしてもよい。
【００４０】
特図ゲームにおける確定特別図柄として大当り図柄が停止表示されて特定表示結果としての「大当り」となった後、大当り遊技状態において、特別可変入賞球装置７の大入賞口扉が、所定期間（例えば２９秒間や０．５秒間）あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１５」や「２」など）に達するまで、繰り返し実行可能となっている。なお、ラウンドの実行回数が上限回数に達する前であっても、所定条件の成立（例えば大入賞口に遊技球が入賞しなかったことなど）により、ラウンドの実行が終了するようにしてもよい。
【００４１】
ラウンドの実行回数が「１５」となる１５Ｒ大当り状態における遊技は、１５回開放遊技とも称される。この実施の形態において、大当り図柄となる「３」、「５」、「７」の数字を示す特別図柄は、いずれも１５Ｒ大当り図柄となり、特図ゲームにおける確定特別図柄として導出表示されたときには、１５Ｒ大当り状態に制御される。
【００４２】
大当り図柄のうちで「３」の数字を示す特別図柄が特図ゲームにおける確定特別図柄として停止表示されたことに基づき１５Ｒ大当り状態が終了した後には、特別遊技状態の１つとして、通常状態に比べて特図ゲームにおける特別図柄の可変表示時間（特図変動時間）が短縮される時間短縮制御（時短制御）が行われる時短状態に制御される。ここで、通常状態とは、大当り遊技状態等の特定遊技状態や確変状態及び時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば１００回）の特図ゲームが実行されることと、可変表示結果が「大当り」となることのうち、いずれかの条件が先に成立したときに、終了すればよい。こうした「３」の数字を示す特別図柄のように、特図ゲームにおける確定特別図柄として停止表示されたことに基づく大当り遊技状態が終了した後に時短状態に制御される大当り図柄は、非確変大当り図柄（「通常大当り図柄」ともいう）と称される。また、大当り図柄のうち非確変大当り図柄が停止表示されて可変表示結果が「大当り」となることは、「非確変大当り」（「通常大当り」ともいう）と称される。
【００４３】
大当り図柄のうちで「５」または「７」の数字を示す特別図柄が特図ゲームにおける特別図柄として停止表示されたことに基づき１５Ｒ大当り状態が終了した後には、時短状態とは異なる特別遊技状態の１つとして、例えば通常状態に比べて特図変動時間が短縮される時間短縮制御とともに、継続して確率変動制御（確変制御）が行われる確変状態（高確率状態）に制御される。この確変状態では、各特図ゲームや飾り図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続すればよい。確変状態における時短制御は、時短状態の場合と同様に、所定回数（例えば１００回）の特図ゲームが実行されたときに、終了してもよい。あるいは、確変状態における時短制御は、特図ゲームの実行回数にかかわりなく、次に可変表示結果が「大当り」となるまで継続してもよい。
【００４４】
一例として、「５」または「７」の数字を示す特別図柄が特図ゲームにおける確定特別図柄として停止表示されたことに基づく大当り遊技状態が終了した後には、確変状態となって確変制御と時短制御がともに開始され、可変表示結果が「大当り」となることなく特図ゲームの実行回数が所定回数に達したときには、時短制御を終了させる。その一方で、確変制御は、次に可変表示結果が「大当り」となるまで継続させる。
【００４５】
他の一例として、「５」の数字を示す特別図柄が特図ゲームにおける確定特別図柄として停止表示されたことに基づく大当り遊技状態が終了した後には、確変状態となって確変制御と時短制御がともに開始され、可変表示結果が「大当り」となることなく特図ゲームの実行回数が所定回数に達したときには、時短制御を終了させる。その一方で、確変制御は、次に可変表示結果が「大当り」となるまで継続させる。また、「７」の数字を示す特別図柄が特図ゲームにおける確定特別図柄として停止表示されたことに基づく大当り遊技状態が終了した後には、確変状態となって確変制御と時短制御がともに開始され、特図ゲームの実行回数にかかわりなく、次に可変表示結果が「大当り」となるまで確変制御と時短制御をともに継続させる。
【００４６】
確変制御とともに時短制御が行われる確変状態は、高確高ベース状態とも称される。また、確変制御のみが行われて時短制御が行われない確変状態は、高確低ベース状態とも称される。さらに、確変制御が行われずに時短制御のみが行われる時短状態は、低確高ベース状態とも称される。確変制御と時短制御がいずれも行われない通常状態は、低確低ベース状態とも称される。このように、確変状態のうちには、確変制御とともに時短制御が行われる高確高ベース状態の他に、確変制御のみが行われて時短制御が行われない高確低ベース状態が含まれていてもよい。
【００４７】
「５」の数字を示す特別図柄は、第１確変大当り図柄と称される。また、大当り図柄のうち第１確変大当り図柄が停止表示されて可変表示結果が「大当り」となることは、「第１確変大当り」と称される。「７」の数字を示す特別図柄は、第２確変大当り図柄と称される。また、大当り図柄のうち第２確変大当り図柄が停止表示されて可変表示結果が「大当り」となることは、「第２確変大当り」と称される。なお、非確変大当り図柄「３」や第１確変大当り図柄「５」、および第２確変大当り図柄「７」は、一例であり、各大当り図柄はこれらに限定されない。例えば、遊技者に大当り図柄であることや、大当り種別を認識されないようにするために、大当り図柄を数字とせずに予め定められた記号（例えば「コ」など）にしてもよい。
【００４８】
パチンコ遊技機１では、可変表示結果が「大当り」となったことに基づき、大当り遊技状態に制御されてラウンドが実行され、開放状態となった大入賞口に遊技球を入賞させて遊技者が多数の賞球を容易に得られるという、遊技者にとって有利な遊技価値が付与される。また、確変状態や時短状態では、通常状態に比べて大当り遊技状態になりやすくなるという、遊技者にとって有利な遊技価値が付与される。その他にも、大当り遊技状態にて実行可能なラウンドの上限回数が第２ラウンド数（例えば「２」）よりも多い第１ラウンド数（例えば「１５」）となることや、時短状態にて実行可能な特図ゲームの上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に制御される回数である連チャン回数が第２連チャン数（例えば「５」）よりも多い第１連チャン数（例えば「１０」）となることといった、様々な遊技価値が付与されることがある。こうした所定の遊技価値が付与されるか否かは、例えば特図ゲームにおける可変表示結果となる確定大当り図柄といった、所定図柄の表示結果に応じて定められるものであればよい。
【００４９】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示状態が所定のリーチ状態となることがある。ここで、リーチ状態とは、画像表示装置５の表示領域にて停止表示された飾り図柄が大当り組合せの一部を構成しているときに未だ停止表示されていない飾り図柄（「リーチ変動図柄」ともいう）については変動が継続している表示状態、あるいは、全部又は一部の飾り図柄が大当り組合せの全部又は一部を構成しながら同期して変動している表示状態のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示状態、あるいは、「左」、「中」、「右」の飾り図柄表示エリア５Ｌ、５Ｃ、５Ｒにおける全部又は一部で飾り図柄が大当り組合せの全部又は一部を構成しながら同期して変動している表示状態である。
【００５０】
また、リーチ状態となったことに対応して、飾り図柄の変動速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ状態となる以前とは異なる演出動作が実行される場合がある。このようなキャラクタ画像の表示や背景画像の表示態様の変化、動画像の再生表示、飾り図柄の変動態様の変化といった演出動作を、リーチ演出表示（あるいは単にリーチ演出）という。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ状態となる以前の動作態様とは異なる動作態様とすることが、含まれていてもよい。リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、可変表示結果が「大当り」となる可能性を異ならせることができる。一例として、この実施の形態では、ノーマルリーチＡ、ノーマルリーチＢ、スーパーリーチＡ、スーパーリーチＢといったリーチ態様が予め設定されている。そして、スーパーリーチＡやスーパーリーチＢといったスーパーリーチのリーチ態様が出現した場合には、ノーマルリーチのリーチ態様が出現した場合に比べて、可変表示結果が「大当り」となる可能性（大当り信頼度）が高くなる。
【００５１】
なお、飾り図柄の可変表示中に、リーチ演出とは異なり、飾り図柄の可変表示状態がリーチ状態となる可能性があることや、可変表示結果が「大当り」となる可能性があることなどを、飾り図柄の可変表示態様などにより遊技者に報知するための可変表示演出が実行してもよい。一例として「滑り」や「擬似連」の可変表示演出が挙げられる。「滑り」の可変表示演出は、「左」、「中」、「右」の飾り図柄表示エリア５Ｌ、５Ｃ、５Ｒにおける全部にて飾り図柄を変動させてから、複数の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」または「２」）の飾り図柄表示エリア（例えば「左」の飾り図柄表示エリア５Ｌと「右」の飾り図柄表示エリア５Ｒのいずれか一方または双方）にて飾り図柄を再び変動させた後に停止表示させる「滑り」の可変表示演出である。一方、「擬似連」の可変表示演出では、特図ゲームの第１開始条件と第２開始条件のいずれか一方が１回成立したことに対応して、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて飾り図柄を一旦仮停止表示させた後、全部の飾り図柄表示エリア５Ｌ、５Ｃ、５Ｒにて飾り図柄を再び変動（擬似連変動）させる演出表示を、所定回（例えば最大３回まで）行う。「擬似連」の可変表示演出は、主基板１１の側で変動パターンが決定されることなどに対応して実行するか否かが決定される。「滑り」の可変表示演出は、主基板１１の側で決定された変動パターンにかかわらず、演出制御基板１２の側で実行するか否かが決定されればよい。
【００５２】
また、この実施の形態では、リーチ演出あるいは「滑り」や「擬似連」などの可変表示演出とは異なり、始動条件は成立したが開始条件が成立していない特別図柄の可変表示について、始動条件の成立時に、この可変表示（所謂ターゲット）の表示結果（特図表示結果）が「大当り」になるか否かを判定する、所謂「先読み」が行われる。そして、先読みの結果に基づいて、この先読み対象の可変表示（ターゲット）の表示結果の導出後に、当該ターゲットの可変表示の表示結果が大当りとなる可能性を示す先読み演出を、先読みの判定結果に基づいて実行されるようになっている。
【００５３】
飾り図柄の可変表示中には、リーチ演出あるいは「滑り」や「擬似連」などの可変表示演出とは異なり、例えば所定の演出画像を表示することや、メッセージとなる画像表示や音声出力、遊技効果ランプ９の点灯動作、あるいは演出用模型の所定動作などのように、飾り図柄の可変表示動作とは異なる演出動作により、可変表示結果が「大当り」となる可能性を、遊技者に予告するための予告演出が実行されることがある。予告演出は、特別図柄や飾り図柄の可変表示が開始されてから可変表示結果となる確定特別図柄や確定飾り図柄が導出されるまでの所定タイミングにて、大当り遊技状態となる可能性を予告できるものであればよい。なお、予告演出として、大当りとなる可能性があることを予告する他、飾り図柄がリーチ状態となることや、スーパーリーチ演出といった所定のリーチ演出が実行されることなどを予告するものを実行してもよい。
【００５４】
特図ゲームにおける確定特別図柄として、ハズレ図柄となる特別図柄が停止表示される場合には、飾り図柄の可変表示が開始されてから、飾り図柄の可変表示状態がリーチ状態とならずに、所定の非リーチ組合せとなる確定飾り図柄が停止表示されることがある。このような飾り図柄の可変表示態様は、可変表示結果が「ハズレ」となる場合における「非リーチ」（「リーチ無しハズレ」ともいう）の可変表示態様と称される。
【００５５】
特図ゲームにおける確定特別図柄として、ハズレ図柄となる特別図柄が停止表示される場合には、飾り図柄の可変表示が開始されてから、飾り図柄の可変表示状態がリーチ状態となったことに対応して、リーチ演出が実行された後に、所定のリーチ組合せ（リーチハズレ組合せともいう）となる確定飾り図柄が停止表示されることがある。このような飾り図柄の可変表示結果は、可変表示結果が「ハズレ」となる場合における「リーチ」（「リーチハズレ」ともいう）の可変表示態様と称される。なお、非リーチ組合せとなる確定飾り図柄と、リーチ組合せとなる確定飾り図柄は、まとめてハズレ組合せ（非特定の組合せ）の確定飾り図柄ともいう。
【００５６】
特図ゲームにおける確定特別図柄として、大当り図柄のうち非確変大当り図柄である「３」の数字を示す特別図柄が停止表示される場合には、飾り図柄の可変表示状態がリーチ状態となったことに対応して、所定のリーチ演出が実行された後などに、所定の非確変大当り組合せ（「通常大当り組合せ」ともいう）となる確定飾り図柄が停止表示される。非確変大当り組合せとなる確定飾り図柄は、例えば画像表示装置５における「左」、「中」、「右」の飾り図柄表示エリア５Ｌ、５Ｃ、５Ｒにて可変表示される図柄番号が「１」〜「８」の飾り図柄のうち、図柄番号が偶数「２」、「４」、「６」、「８」である飾り図柄のいずれか１つが、「左」、「中」、「右」の飾り図柄表示エリア５Ｌ、５Ｃ、５Ｒにて所定の有効ライン上に揃って停止表示されるものであり、大当り組合せとなる確定飾り図柄の一類型であればよい。このように非確変大当り組合せを構成する図柄番号が偶数「２」、「４」、「６」、「８」である飾り図柄は、非確変図柄（「通常図柄」ともいう）と称される。
【００５７】
特図ゲームにおける確定特別図柄が非確変大当り図柄となることに対応して、所定のリーチ演出が実行された後などに、非確変大当り組合せの確定飾り図柄が停止表示される飾り図柄の可変表示態様は、可変表示結果が「大当り」となる場合における「非確変大当り」の可変表示態様と称され、大当り種別が「非確変」であるともいう。こうして「非確変大当り」の可変表示態様により可変表示結果が「大当り」となった後には、大当り遊技状態に制御され、その大当り遊技状態が終了すると、時短状態に制御される。
【００５８】
特図ゲームにおける確定特別図柄として、大当り図柄のうち確変大当り図柄である「７」の数字を示す特別図柄が停止表示される場合には、飾り図柄の可変表示状態がリーチ状態となったことに対応して、所定のリーチ演出が実行された後などに、所定の確変大当り組合せとなる確定飾り図柄が停止表示される。こうした飾り図柄の可変表示態様は、「確変大当り」の可変表示態様と称され、大当り種別が「確変」であるともいう。
【００５９】
確変状態や時短状態では、例えば「確変中」や「時短中」といった確変状態や時短状態であることを報知する演出画像を画像表示装置５の表示領域に表示させることや、画像表示装置５の表示領域における背景画像や飾り図柄の表示態様を通常の演出モードにおける表示態様とは異なるものとすることなどにより、確変状態や時短状態であることを遊技者が認識できる演出モードとなるようにしてもよい。あるいは、確変状態では、例えば通常状態と同様の演出モードとなることにより、確変状態であることを遊技者が認識不可能あるいは認識困難になることがあってもよい（いわゆる潜伏確変）。
【００６０】
このように、パチンコ遊技機１では打球発射装置を用いて遊技球を遊技領域に打ち込むことで所定の遊技（パチンコ遊技）が実行可能である。例えば、遊技球が第１又は第２始動入賞口を通過すると特図ゲームが実行され、遊技結果として可変表示結果が導出される。また、遊技球が通過ゲート４１を通過したことに基づいて普図ゲームが実行され、遊技結果として確定普通図柄が停止表示（導出表示）される。そして、遊技結果に応じて遊技者に有利な制御を実行するといった遊技価値が付与可能である。例えば、特別図柄の可変表示結果が「大当り」（特定遊技結果）となった場合には、その後遊技者に有利な大当り遊技状態（特定遊技状態）に制御される。普通図柄の可変表示結果が「普図当り」となった場合には、普通可変入賞球装置６Ｂを構成する電動チューリップの可動翼片が傾動位置となる拡大開放制御されるといった、遊技者に有利な制御が実行される。さらに、遊技結果に応じて遊技の進行には影響しないが演出を変化させる演出ポイントや、パチンコ遊技機１とは異なる遊技（又は遊戯）で利用可能なポイントを付与するといった遊技価値を付与可能である。本実施の形態では、一例として、普図ゲームがハズレとなった場合に所定の割合で演出画面（演出モード）を変化させるための演出ポイントを付加する。
【００６１】
パチンコ遊技機１は、上述した先読み演出・リーチ演出及び予告演出とは異なり、普通図柄や特別図柄の可変表示結果といった遊技の結果を示唆する特定演出を実行する場合がある。特定演出は、例えば普通図柄の可変表示結果が「当り」となり電動チューリップの可動翼片が拡大開放されるを示唆する画像や、演出ポイントが付与されることを示す画像、演出結果がハズレとなり遊技価値が付加されない事を示す画像、特別図柄の可変表示結果が特定表示結果となる可能性を報知する複数の画像、等の予め定められた遊技の結果を示唆する複数態様の画像のうち一つを演出結果として導出する演出である。このような演出により、多様な演出により遊技者の遊技結果への関心を高めることが出来る。
【００６２】
本実施の形態では、特定演出として、特定演出の結果として導出される態様の候補を示す候補演出（例えば、図３９の（Ａ）や図４０の（Ａ）のような）をまず実行する。続いて、遊技の結果する示唆する態様とは異なる態様の複数の選択肢（例えば演出結果が入った球やカプセルなど）が選択されたことを示す選択演出（例えば、図３９（Ｂ）〜（Ｄ）や図４０（Ｂ）〜（Ｄ）のような）を実行する。そして、選択された選択対象が演出結果を示す画像に変化する変化演出を実行して、遊技者に特定演出の演出結果を提示する。変化演出は、例えば図３９（Ｄ）〜（Ｅ）や図４０（Ｄ）〜（Ｅ）のように選択された選択肢が「ポイント」や「激アツ」といった遊技結果を示唆する態様に変化する演出である。また、選択演出では第１態様の選択肢（例えば赤の球）と第２態様の選択肢（例えば緑の球）といった複数種類の選択肢を用いる。後述するように、第１態様の選択肢が選択された場合には、変化演出で遊技の結果が第１の結果（普図当りや特図大当りなど）となる事を示唆する態様（第１種別の態様）に変化する割合が高い。一方、第２態様の選択肢が選択された場合には、変化演出で遊技の結果が第２の結果（普図ハズレや特図ハズレ、ポイントゲットなど）となる事を示唆する態様（第２種別の態様）に変化する割合が高い。このように、特定演出にて遊技の結果を示唆するにあたって、如何なる演出結果が示唆されるかを２段階の演出で煽ることにより、遊技の興趣を向上できる。
【００６３】
なお、この実施の形態では、後述するように、普通図柄の変動表示の開始を契機として特定演出の有無や種類が決定されて特定演出が実行される場合と、特別図柄や飾り図柄の変動表示の開始を契機として特定演出の有無や種類が決定されて特定演出が実行される場合とがある。以下、この実施の形態では、普通図柄の変動表示の開始を契機として決定処理が行われて実行される特定演出を「第１特定演出」といい、特別図柄や飾り図柄の変動表示の開始を契機として決定処理が行われて実行される特定演出を「第２特定演出」といって区別する場合がある。
【００６４】
次に、パチンコ遊技機１の内部構成を説明する。
【００６５】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００６６】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【００６７】
演出制御基板１２は、主基板１１とは独立したサブ側の制御基板であり、中継基板１５を介して主基板１１から伝送された制御信号を受信して、画像表示装置５、スピーカ８Ｌ、８Ｒ、遊技効果ランプ９、演出用可動部材３２といった演出用の電気部品である演出装置による演出動作を制御するための各種回路が搭載されている。すなわち、演出制御基板１２は、画像表示装置５における表示動作や、スピーカ８Ｌ、８Ｒからの音声出力動作の全部又は一部、遊技効果ランプ９における点灯／消灯動作などの全部又は一部、演出用の電気部品としての演出装置に所定の演出動作を実行させるための制御内容を決定する機能を備えている。
【００６８】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や演出用点灯役物９０における点灯／消灯駆動などを行うランプドライバ回路などが搭載されている。
【００６９】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。なお、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００７０】
主基板１１から演出制御基板１２に向けて伝送される制御信号は、中継基板１５によって中継される。主基板１１には、例えば中継基板１５に対応する主基板側コネクタが設けられ、主基板側コネクタと遊技制御用マイクロコンピュータ１００との間には、出力バッファ回路が接続されている。出力バッファ回路は、主基板１１から中継基板１５を介して演出制御基板１２へ向かう方向にのみ信号を通過させることができ、中継基板１５から主基板１１への信号の入力を阻止する。したがって、演出制御基板１２や中継基板１５の側から主基板１１の側に信号が伝わる余地はない。
【００７１】
中継基板１５には、例えば主基板１１から演出制御基板１２に対して制御信号を伝送するための配線毎に、伝送方向規制回路が設けられていればよい。各伝送方向規制回路は、主基板１１対応の主基板用コネクタにアノードが接続されるとともに演出制御基板１２対応の演出制御基板用コネクタにカソードが接続されたダイオードと、一端がダイオードのカソードに接続されるとともに他端がグランド（ＧＮＤ）接続された抵抗とから構成されている。この構成により、各伝送方向規制回路は、演出制御基板１２から中継基板１５への信号の入力を阻止して、主基板１１から演出制御基板１２へ向かう方向にのみ信号を通過させることができる。したがって、演出制御基板１２の側から主基板１１側に信号が伝わる余地はない。この実施の形態では、中継基板１５において制御信号を伝送するための配線毎に伝送方向規制回路を設けるとともに、主基板１１にて遊技制御用マイクロコンピュータ１００と主基板側コネクタの間に出力バッファ回路を設けることで、外部から主基板１１への不正な信号の入力を防止することができる。
【００７２】
中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。
【００７３】
中継基板１５を介して主基板１１から演出制御基板１２に対して伝送される制御コマンドとして、主基板１１から演出制御基板１２に対して第１特別図柄表示装置４Ａにおける第１特図を用いた特図ゲームにおける変動開始を指定する第１変動開始コマンド、第２特別図柄表示装置４Ｂにおける第２特図を用いた特図ゲームにおける変動開始を指定する第２変動開始コマンド、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する変動パターン指定コマンド、特別図柄や飾り図柄などの可変表示結果を指定する可変表示結果通知コマンド等が送信される。可変表示結果通知コマンドとして、可変表示結果が「ハズレ」であるか「大当り」であるかの決定結果（事前決定結果）や、可変表示結果が「大当り」となる場合の大当り種別（飾り図柄の可変表示態様）を複数種類のいずれとするかの決定結果（大当り種別決定結果）を示す情報が含まれる。
【００７４】
中継基板１５を介して主基板１１から演出制御基板１２に対して伝送される制御コマンドには、さらに画像表示装置５における「左」、「中」、「右」の各飾り図柄表示エリア５Ｌ、５Ｃ、５Ｒで飾り図柄の可変表示の停止を指定する図柄確定指定コマンド、パチンコ遊技機１における現在の遊技状態を指定する遊技状態指定コマンド、入賞時判定結果として、変動パターン種別決定用の乱数値ＭＲ３がいずれの決定値の範囲となるかの判定結果（変動パターン種別の判定結果）を示す変動カテゴリコマンド等が含まれる。遊技状態指定コマンドでは、例えばパチンコ遊技機１における現在の遊技状態が通常状態、確変状態及び時短状態のいずれであるかを示す情報が含まれる。
【００７５】
中継基板１５を介して主基板１１から演出制御基板１２に対して伝送される制御コマンドには、さらに大当り遊技状態の開始を示す演出画像の表示を指定する大当り開始指定コマンド（「ファンファーレコマンド」ともいう）、１５Ｒ大当り状態におけるラウンドの実行回数等を示す情報を含む大入賞口開放中通知コマンド、普通入賞球装置６Ａが形成する第１始動入賞口を通過（進入）した遊技球が第１始動口スイッチ２２Ａにより検出されて始動入賞が発生したことに基づき、第１特別図柄表示装置４Ａにおける第１特図を用いた特図ゲームを実行するための第１始動条件が成立したことを通知する第１始動口入賞指定コマンド、普通可変入賞球装置６Ｂが形成する第２始動入賞口を通過（進入）した遊技球が第２始動口スイッチ２２Ｂにより検出されて始動入賞が発生したことに基づき、第２特別図柄表示装置４Ｂにおける第２特図を用いた特図ゲームを実行するための第２始動条件が成立したことを通知する第２始動口入賞指定コマンド、始動入賞記憶表示エリア５Ｈなどにて特図保留記憶数を特定可能に表示するために、第１特図保留記憶数と第２特図保留記憶数との合計値である合計保留記憶数を通知する保留記憶数通知コマンド等が含まれる。保留記憶数通知コマンドは、例えば第１始動条件と第２始動条件のいずれかが成立したときに、第１始動口入賞指定コマンドと第２始動口入賞指定コマンドのいずれかが送信されたことに続いて、主基板１１から演出制御基板１２に対して送信される。また、保留記憶数通知コマンドは、第１開始条件と第２開始条件のいずれかが成立したときに、特図ゲームの実行が開始されることなどに対応して送信されるようにしてもよい。
【００７６】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。遊技制御用マイクロコンピュータ１００を構成する１チップマイクロコンピュータは、少なくともＣＰＵ１０３の他にＲＡＭ１０２が内蔵されていればよく、ＲＯＭ１０１は外付けであっても内蔵されていてもよい。また、乱数回路１０４やＩ／Ｏ１０５は、外付けであってもよい。
【００７７】
主基板１１では、例えば図２に示す遊技制御用マイクロコンピュータ１００に内蔵または外付けされた乱数回路１０４などにより、遊技の進行を制御するために用いられる各種の乱数値を示す数値データが更新可能にカウントされる。図３は、主基板１１の側においてカウントされる乱数値を例示する説明図である。図３に示すように、この実施の形態では、主基板１１の側において、特図表示結果決定用の乱数値ＭＲ１、大当り種別決定用の乱数値ＭＲ２、変動パターン種別決定用の乱数値ＭＲ３、変動パターン決定用の乱数値ＭＲ４、普図表示結果決定用の乱数値ＭＲ５のそれぞれを示す数値データが、カウント可能に制御される。なお、遊技効果を高めるために、これら以外の乱数値が用いられてもよい。
【００７８】
こうした遊技の進行を制御するために用いられる乱数は、遊技用乱数ともいう。乱数回路１０４は、これらの乱数値ＭＲ１〜ＭＲ５の一部または全部を示す数値データをカウントするものであればよい。ＣＰＵ１０３は、ＲＡＭ１２２の所定領域に設けられた遊技制御カウンタ設定部に設けられたランダムカウンタといった、乱数回路１０４とは異なるランダムカウンタを用いて、ソフトウェアによって各種の数値データを更新することで、乱数値ＭＲ１〜ＭＲ５の一部を示す数値データをカウントするようにしてもよい。一例として、特図表示結果判定用の乱数値ＭＲ１を示す数値データは、乱数回路１０４によりＣＰＵ１０３とは独立して更新され、それ以外の乱数値ＭＲ２〜ＭＲ５を示す数値データは、ＣＰＵ１０３がランダムカウンタを用いてソフトウェアにより更新されればよい。また、乱数回路１０４により更新された数値データの全部又は一部を用いて、スクランブル処理や演算処理といった所定の処理を実行することにより、乱数値ＭＲ１〜ＭＲ５の全部又は一部を示す数値データが更新されるようにしてもよい。
【００７９】
遊技制御用マイクロコンピュータ１００は、乱数回路１０４が更新する数値データの初期値を設定する機能を有していてもよい。例えば、ＲＯＭ１０１等の所定の記憶領域に記憶された遊技制御用マイクロコンピュータ１００のＩＤナンバ（遊技制御用マイクロコンピュータ１００の各製品毎に異なる数値で付与されたＩＤナンバ）を用いて所定の演算を行って得られた数値データを、乱数回路１０４が更新する数値データの初期値として設定する。このような処理を行うことにより、乱数回路１０４が発生する乱数のランダム性をより向上させることができる。
【００８０】
特図表示結果決定用の乱数値ＭＲ１は、特図ゲームにおける特別図柄などの可変表示結果を「大当り」として大当り遊技状態に制御するか否かを決定するために用いられる乱数値であり、例えば「１」〜「６５５３５」の範囲の値をとる。大当り種別決定用の乱数値ＭＲ２は、可変表示結果を「大当り」とする場合における飾り図柄の可変表示態様である大当り種別を「非確変」、「第１確変」、「第２確変」のいずれかに決定するために用いられる乱数値であり、例えば「１」〜「１００」の範囲の値をとる。
【００８１】
変動パターン種別決定用の乱数値ＭＲ３は、特別図柄や飾り図柄の可変表示における変動パターン種別を、予め用意された複数種類のいずれかに決定するために用いられる乱数値であり、例えば「１」〜「２５１」の範囲の値をとる。変動パターン決定用の乱数値ＭＲ４は、特別図柄や飾り図柄の可変表示における変動パターンを、予め用意された複数種類のいずれかに決定するために用いられる乱数値であり、例えば「１」〜「９９７」の範囲の値をとる。普図表示結果決定用の乱数値ＭＲ５は、普通図柄表示器２０による普図ゲームにおける可変表示結果を「普図当り」とするか「普図ハズレ」とするかなどの決定を行うために用いられる乱数値である。
【００８２】
図４は、この実施の形態における変動パターンを示している。この実施の形態では、可変表示結果が「ハズレ」となる場合のうち、飾り図柄の可変表示態様が「非リーチ」である場合と「リーチ」である場合のそれぞれに対応して、また、可変表示結果が「大当り」となる場合などに対応して、複数の変動パターンが予め用意されている。なお、可変表示結果が「ハズレ」で飾り図柄の可変表示態様が「非リーチ」である場合に対応した変動パターンは、非リーチ変動パターン（「非リーチハズレ変動パターン」ともいう）と称され、可変表示結果が「ハズレ」で飾り図柄の可変表示態様が「リーチ」である場合に対応した変動パターンは、リーチ変動パターン（「リーチハズレ変動パターン」ともいう）と称される。また、非リーチ変動パターンとリーチ変動パターンは、可変表示結果が「ハズレ」となる場合に対応したハズレ変動パターンに含まれる。可変表示結果が「大当り」である場合に対応した変動パターンは、大当り変動パターンと称される。
【００８３】
図５は、この実施の形態における変動パターン種別を示している。図４に示す各変動パターンは、図５に示す複数の変動パターン種別のうち、少なくとも１つの変動パターン種別に含まれている。すなわち、各変動パターン種別は、例えば飾り図柄の可変表示中に実行される演出動作の態様などに基づいて分類（グループ化）された単一または複数の変動パターンを含むように構成されていればよい。一例として、複数の変動パターンをリーチ演出の種類（演出態様）で分類（グループ化）して、飾り図柄の可変表示状態がリーチ状態とならない変動パターンが含まれる変動パターン種別と、ノーマルリーチを伴う変動パターンが含まれる変動パターン種別と、スーパーリーチを伴う変動パターンが含まれる変動パターン種別とに分ければよい。その他の変動パターンについても、所定の可変表示演出が実行されるか否かなどに応じて、異なる変動パターン種別に分類されるようにしてもよい。他の一例として、複数の変動パターンを飾り図柄の可変表示時間などに応じて、分類（グループ化）してもよい。複数の変動パターン種別のうちには、共通の変動パターンを含んで構成されたものがあってもよい。
【００８４】
図５に示すように、各変動パターン種別には、可変表示態様や可変表示の内容に応じて、１つまたは複数の変動パターンが分類される。図４に示す変動パターンの具体的な分類については、例えば図９に示すような変動パターン決定テーブル１３３の設定から、特定することができる。すなわち、変動パターン決定テーブル１３３において、各変動パターン種別に応じて決定値が割り当てられた変動パターンは、その変動パターン種別に含まれるように分類されている。
【００８５】
図２に示す遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、図４に示すような変動パターンを複数種類格納する変動パターンテーブルを構成するテーブルデータなどが、記憶されている。
【００８６】
図６は、ＲＯＭ１０１に記憶される特図表示結果決定テーブル１３０の構成例を示している。特図表示結果決定テーブル１３０は、第１特別図柄表示装置４Ａにおける第１特図を用いた特図ゲームの開始を許容する第１開始条件が成立したときや、第２特別図柄表示装置４Ｂにおける第２特図を用いた特図ゲームの開始を許容する第２開始条件が成立したときに、特別図柄の可変表示結果（特図表示結果）となる確定特別図柄が導出表示される以前に、その可変表示結果を「大当り」として大当り遊技状態に制御するか否かを、特図表示結果決定用の乱数値ＭＲ１に基づいて決定するために参照されるテーブルである。
【００８７】
特図表示結果決定テーブル１３０では、パチンコ遊技機１における遊技状態が通常状態又は確変状態であるかに応じて、特図表示結果決定用の乱数値ＭＲ１と比較される数値（決定値）が、「大当り」や「ハズレ」の特図表示結果のいずれかに割り当てられている。この実施の形態では、第１特別図柄表示装置４Ａにおける第１特図を用いた特図ゲームであるか、第２特別図柄表示装置４Ｂにおける第２特図を用いた特図ゲームであるかにかかわらず、共通の特図表示結果決定テーブル１３０におけるテーブルデータを参照して特図表示結果が決定される。これに対して、第１特別図柄表示装置４Ａにおける第１特図を用いた特図ゲームの場合と、第２特別図柄表示装置４Ｂにおける第２特図を用いた特図ゲームの場合のそれぞれに対応して、特図表示結果に対する決定値の割当てが異なる決定テーブルを用意してもよい。
【００８８】
特図表示結果決定テーブル１３０では、遊技状態が通常状態又は時短状態であるか確変状態であるかに応じて、特図表示結果を「大当り」とする決定結果に対する決定値の割当てが異なっている。より具体的には、遊技状態が確変状態である場合に、通常状態又は時短状態である場合よりも多くの決定値が特図表示結果を「大当り」とする決定結果に割り当てられている。ＣＰＵ１０３は、遊技状態が通常状態又は時短状態であるか確変状態であるかに応じて、特図表示結果決定テーブル１３０を構成するテーブルデータから、特図表示結果を決定するために用いる決定用データとなるテーブルデータを、特図表示結果決定用テーブルデータとして選択すればよい。
【００８９】
特図表示結果決定テーブル１３０では、個々の決定値が各決定結果に割り当てられるようにテーブルデータが設定され、ＣＰＵ１０３が乱数値ＭＲ１と決定値とを逐一比較することにより、乱数値ＭＲ１と合致する決定値が割り当てられた特図表示結果に決定できればよい。あるいは、特図表示結果決定テーブル１３０では、各決定結果に割り当てられた決定値の最小値（下限値）と最大値（上限値）とを示すテーブルデータが設定され、ＣＰＵ１０３が乱数値ＭＲ１と各決定結果に割り当てられた決定値の最小値や最大値とを比較することにより、乱数値ＭＲ１が含まれる決定値範囲に対応する特図表示結果に決定できるようにしてもよい。特図表示結果決定テーブル１３０以外に各種設けられた決定テーブルも、同様に設定されたものであればよい。
【００９０】
図７は、ＲＯＭ１０１に記憶される大当り種別決定テーブル１３１の構成例を示している。大当り種別決定テーブル１３１は、特図表示結果を「大当り」として大当り遊技状態に制御することが決定（事前決定）されたときに、大当り種別決定用の乱数値ＭＲ２に基づき、可変表示態様を「非確変」や「確変」といった複数種類の大当り種別のいずれかに決定するために参照されるテーブルである。
【００９１】
大当り種別決定テーブル１３１では、大当り種別決定用の乱数値ＭＲ２と比較される数値（決定値）が、「非確変」や「確変」などの大当り種別に割り当てられている。この実施の形態では、第１特別図柄表示装置４Ａにおける第１特図を用いた特図ゲームであるか、第２特別図柄表示装置４Ｂにおける第２特図を用いた特図ゲームであるかにかかわらず、共通の大当り種別決定テーブル１３１におけるテーブルデータを参照して大当り種別が決定される。これに対して、第１特別図柄表示装置４Ａにおける第１特図を用いた特図ゲームの場合と、第２特別図柄表示装置４Ｂにおける第２特図を用いた特図ゲームの場合のそれぞれに対応して、大当り種別に対する決定値の割当てが異なる決定テーブルを用意してもよい。
【００９２】
大当り種別決定テーブル１３１において、複数種類の大当り種別に割り当てられた決定値を示すテーブルデータは、大当り遊技状態の終了後には確変状態に制御するか否かの決定結果に対応した決定用データとなっている。例えば、「非確変」の大当り種別に割り当てられている決定値を示すテーブルデータは、確変状態に制御しないとの決定結果に対応する一方で、「確変」の大当り種別に割り当てられている決定値を示すテーブルデータは、確変状態に制御するとの決定結果を示している。大当り種別決定テーブル１３１は、遊技制御バッファ１５５に設けられた大当り種別バッファの値（大当り種別バッファ値）を、決定された大当り種別に対応する値（例えば「０」又は「１」）に設定するためのテーブルデータ（設定用データ）を含んでいてもよい。また、大当り種別決定テーブル１３１において、複数種類の大当り種別に割り当てられた決定値を示すテーブルデータは、例えば大当り遊技状態において実行可能なラウンドの上限回数や、時短状態において実行可能な特図ゲームの上限回数といった、可変表示結果が「大当り」となることなどに基づいて所定の遊技価値を付与するか否かの決定結果に対応した決定用データを含んでいてもよい。
【００９３】
大当り遊技状態におけるラウンドの実行態様（実行回数や大入賞口の開放時間など）と、確変状態に制御するか否かのうち、いずれか一方又は両方が特図表示結果決定用の乱数値ＭＲ１を示す数値データに基づいて決定されるようにしてもよい。例えば、特図表示結果決定テーブル１３０では、「大当り」の特図表示結果となる場合に、「非確変大当り」とするか「確変大当り」とするかの決定結果に対して、決定値が割り当てられていてもよい。あるいは、特図表示結果決定テーブル１３０では、「大当り」の特図表示結果となる場合に、複数種類の大当り種別に対して決定値が割り当てられており、乱数値ＭＲ１のみを用いて大当り種別を決定できるようにしてもよい。
【００９４】
図８は、ＲＯＭ１０１に記憶される変動パターン種別決定テーブルの構成例を示している。この実施の形態では、変動パターン種別決定テーブルとして、図８（Ａ）に示す大当り変動パターン種別決定テーブル１３２Ａと、図８（Ｂ）に示すハズレ変動パターン種別決定テーブルとが、予め用意されている。この実施の形態では、遊技状態が通常状態か時短状態かにかかわらず共通の大当り変動パターン種別決定テーブル１３２Ａ又はハズレ変動パターン種別決定テーブル１３２Ｂを参照して変動パターン種別が決定される。これに対して、通常状態と、時短状態（高ベース状態）のそれぞれに対応して、変動パターン種別に対する決定値の割当てが異なる決定テーブルを用意してもよい。
【００９５】
大当り変動パターン種別決定テーブル１３２Ａは、特図表示結果を「大当り」にすると決定（事前決定）されたときに、大当り種別の決定結果に応じて、変動パターン種別を、変動パターン種別決定用の乱数値ＭＲ３に基づいて、複数種類のうちのいずれかに決定するために参照されるテーブルである。大当り変動パターン種別決定テーブル１３２Ａでは変動パターン種別決定用の乱数値ＭＲ３と比較される数値（決定値）が、変動パターン種別ＣＡ３−１又は変動パターン種別ＣＡ３−２に割り当てられている。この実施の形態では、大当り種別が「非確変」か「確変」かにかかわらず各変動パターン種別に決定される割合は同じである。これに対して、大当り種別を複数種類のいずれにするかの決定結果に応じて、同一の変動パターン種別に決定される割合を異ならせるために、大当り種別が「非確変」か「確変」に対応して、各変動パターン種別に異なる決定値が各変動パターン種別に割り当てられていても良い。
【００９６】
ハズレ変動パターン種別決定テーブル１３２Ｂは、特図表示結果を「ハズレ」にすると決定（事前決定）されたときに、変動パターン種別を、変動パターン種別決定用の乱数値ＭＲ３に基づいて、複数種類のうちのいずれかに決定するために参照されるテーブルである。
【００９７】
図９は、ＲＯＭ１０１に記憶される変動パターン決定テーブル１３３の構成例を示している。変動パターン決定テーブル１３３は、変動パターン種別の決定結果に応じて、変動パターン決定用の乱数値ＭＲ４に基づき、変動パターンを複数種類のうちのいずれかに決定するために参照されるテーブルである。変動パターン決定テーブル１３３では、変動パターン種別に応じて、変動パターン決定用の乱数値ＭＲ４と比較される数値（決定値）が、単一または複数の変動パターンに割り当てられている。
【００９８】
図２に示す遊技制御用マイクロコンピュータ１００が備えるＲＡＭ１０２は、その一部又は全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部又は全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【００９９】
このようなＲＡＭ１０２には、パチンコ遊技機１における遊技の進行などを制御するために用いられる各種のデータを保持する領域が設定されている。
【０１００】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１０１】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【０１０２】
演出制御用ＣＰＵ１２０、ＲＯＭ１２１、ＲＡＭ１２２は、演出制御基板１２に搭載された１チップの演出制御用マイクロコンピュータに含まれてもよい。あるいは、演出制御用ＣＰＵ１２０は演出制御用マイクロコンピュータに内蔵される一方で、ＲＯＭ１２１やＲＡＭ１２２の少なくともいずれか一方は、演出制御用マイクロコンピュータに外付けされてもよい。乱数回路１２４も、演出制御用マイクロコンピュータに内蔵又は外付けされるものであればよい。演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。加えて、演出制御基板１２には、演出用可動部材３２を駆動して所定の演出動作実行を指示する駆動指令信号を、演出用可動部材３２に対応して設けられた可動部材駆動モータ３３に伝送するための配線も接続されている。
【０１０３】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。一例として、演出制御基板１２の側では、予告実行決定用の乱数値や、各種の予告演出選択用の乱数値を示す数値データがカウント可能に制御される。本実施の形態では、さらに第１〜第３最終停止図柄決定用の乱数、擬似連変動時仮停止図柄乱数、特定演出決定用乱数、特別図柄表示結果報知決定用乱数、および先読み演出決定用乱数等を用いる。
なお、演出効果を高めるために、これら以外の乱数値が用いられてもよい。
【０１０４】
このような物理構成により演出制御基板１２は、主基板１１から中継基盤１５を介して送信される各種コマンドに基づいて、先読み演出、予告演出、リーチ演出、ルーレット演出（特定演出）等の各種演出を実行する。
【０１０５】
先読み演出は、遊技球が第１又は第２始動入賞口を通過して可変表示の始動条件が成立してから開始条件が成立するまでに実行される、可変表示結果が「ハズレ」である非リーチの変動パターンに対応する可変表示中に、先読みの対象となる可変表示（当該可変表示ともいう）の可変表示結果が大当り遊技状態となる可能性を予告する演出動作である。この実施の形態では、この実施の形態では、先読み演出として、始動入賞記憶表示エリア５Ｈにおける保留表示の表示態様を変更する演出が実行される。
【０１０６】
予告演出は、特別図柄や飾り図柄の可変表示が開始されてから、可変表示結果となる確定特別図柄や確定飾り図柄が導出されるまでに、その可変表示結果に基づいて大当り遊技状態となる可能性を予告する演出動作である。例えば予告演出として、特別図柄や飾り図柄の可変表示が開始されリーチ状態となる前のタイミングにて、画像表示装置５の所定領域にキャラクタを示す画像を表示するといったように、遊技者に可変表示結果が「大当り」となるか否かを報知する演出を実行すればよい。この実施の形態では、「大当り」となるか否かによって異なる割合で、複数の演出態様（第１態様又は第２態様）を表示する予告演出が実行される。このような構成により、リーチ状態となる前に予告演出にて遊技者の期待を煽る事が出来る。
【０１０７】
なお、予告演出の演出動作の具体的内容は、上記のものに限定されず、各演出態様に応じて異なる効果音を発する、異なる態様で遊技効果ランプを発光させる等、遊技者が大当り信頼度などを認識することができる任意の演出動作であればよい。
【０１０８】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。
【０１０９】
一例として、ＲＯＭ１２１には、演出制御用ＣＰＵ１２０が各種の演出装置（例えば画像表示装置５やスピーカ８Ｌ、８Ｒ、遊技効果ランプ９及び装飾用ＬＥＤ、演出用可動部材３２など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば特図変動時演出制御パターンと、予告演出制御パターンと、特定演出制御パターンと、各種演出制御パターンとが、格納されていればよい。
【０１１０】
特図変動時演出制御パターンは、複数種類の変動パターンに対応して、特図ゲームにおいて特別図柄の変動が開始されてから特図表示結果となる確定特別図柄が導出表示されるまでの期間における、飾り図柄の可変表示動作やリーチ演出における演出表示動作、あるいは、飾り図柄の可変表示を伴わない各種の演出表示動作といった、様々な演出動作の制御内容を示すデータなどから構成されている。予告演出制御パターンは、予告パターンの決定結果に応じて実行される単一または複数の予告演出のそれぞれについて、演出動作の制御内容を示すデータなどから構成されている。特定演出制御パターンは、普通図柄又は特別図柄の可変表示が開始されてから可変表示結果が導出されるまでの期間に実行される第１又は第２特定演出のそれぞれについて、演出動作の制御内容を示すデータなどから構成されている。本実施の形態では、第１及び第２特定演出として、後述するように演出期間や演出内容が異なる複数の特定演出が含まれる。特定演出制御パターンは、複数の特定演出のそれぞれに対応する演出内容を示すデータを含む。このため、特定演出制御パターンを用いて、遊技状態に応じてふさわしい特定演出を実行することができる。
各種演出制御パターンは、パチンコ遊技機１における遊技の進行状況に応じて実行される各種の演出動作に対応して、その制御内容を示すデータなどから構成されている。
【０１１１】
図１０（Ａ）は、各々の演出制御パターンの構成例を示している。図１０（Ａ）に示す構成例において、演出制御パターンは、例えば演出制御プロセスタイマ判定値、表示制御データ、音声制御データ、ランプ制御データ、操作検出制御データ、終了コードなどを含んだプロセスデータから構成されている。
【０１１２】
演出制御プロセスタイマ判定値は、演出制御タイマ設定部１９２に設けられた演出制御プロセスタイマの格納値である演出制御プロセスタイマ値と比較される値（判定値）であって、各演出動作の実行時間（演出時間）に対応した判定値が予め設定されている。なお、演出制御プロセスタイマ判定値に代えて、例えば主基板１１から所定の演出制御コマンドを受信したことや、演出制御用ＣＰＵ１２０において演出動作を制御するための処理として所定の処理が実行されたことといった、所定の制御内容や処理内容に対応して、演出制御の切替タイミング等を示すデータが設定されていてもよい。
【０１１３】
表示制御データには、例えば飾り図柄の可変表示中における各飾り図柄の変動態様を示すデータといった、画像表示装置５の画面上における演出画像の表示態様を示すデータが含まれている。すなわち、表示制御データは、画像表示装置５の画面上における演出画像の表示動作を指定するデータである。音声制御データには、例えば飾り図柄の可変表示中における飾り図柄の可変表示動作に連動した効果音等の出力態様を示すデータといった、スピーカ８Ｌ、８Ｒからの音声出力態様を示すデータが含まれている。すなわち、音声制御データは、スピーカ８Ｌ、８Ｒからの音声出力動作を指定するデータである。ランプ制御データには、例えば遊技効果ランプ９や装飾用ＬＥＤといった、発光体の点灯動作態様を示すデータが含まれている。すなわち、ランプ制御データは、発光体の点灯動作を指定するデータである。
【０１１４】
なお、これらの制御データは、全ての演出制御パターンに含まれなければならないものではなく、各演出制御パターンによる演出動作の内容に応じて、一部の制御データを含んで構成される演出制御パターンがあってもよい。また、演出制御パターンに含まれる複数種類のプロセスデータでは、各タイミングで実行される演出動作の内容に応じて、それぞれのプロセスデータを構成する制御データの種類が異なっていてもよい。すなわち、表示制御データや音声制御データ、ランプ制御データ、操作検出制御データの全部を含んで構成されたプロセスデータもあれば、これらの一部を含んで構成されたプロセスデータもあってよい。さらに、例えば演出用可動部材３２における動作態様を示す演出用可動部材制御データといった、その他の各種制御データが含まれることがあってもよい。
【０１１５】
図１０（Ｂ）は、演出制御パターンの内容に従って実行される各種の演出動作を示している。演出制御用ＣＰＵ１２０は、演出制御パターンに含まれる各種の制御データに従って、演出動作の制御内容を決定する。例えば、演出制御プロセスタイマ値が演出制御プロセスタイマ判定値のいずれかと合致したときには、その演出制御プロセスタイマ判定値と対応付けられた表示制御データにより指定される態様で飾り図柄を表示させるとともに、キャラクタ画像や背景画像といった演出画像を画像表示装置５の画面上に表示させる制御を行う。また、音声制御データにより指定される態様でスピーカ８Ｌ、８Ｒから音声を出力させる制御を行うとともに、ランプ制御データにより指定される態様で遊技効果ランプ９等の発光体を点滅させる制御を行う。なお、演出制御プロセスタイマ判定値と対応していても制御対象にならない演出用部品に対応するデータには、ダミーデータ（制御を指定しないデータ）が設定されてもよい。図１０（Ｂ）に示す演出動作は、飾り図柄の変動が開始されてから最終停止するまでの期間全体に対応しているが、これに限定されるものではなく、飾り図柄の可変表示中における一部の期間に対応して演出動作を実行するための演出制御パターンが設けられてもよい。あるいは、飾り図柄の可変表示中以外の所定期間（例えば大当り遊技状態においてラウンドを実行中の期間や、大当り遊技状態の終了時にエンディング演出を実行する期間など）に対応して演出動作を実行するための演出制御パターンが設けられてもよい。
【０１１６】
演出制御用ＣＰＵ１２０は、例えば飾り図柄の可変表示を開始するときなどに、変動パターン指定コマンドに示された変動パターンなどに基づいて演出制御パターン（特図変動時演出制御パターン）をセットする。また、演出制御用ＣＰＵ１２０は、予告パターンの決定結果に対応して、飾り図柄の可変表示を開始するときなどに、対応する演出制御パターン（予告演出制御パターン）をセットする。また、普通図柄の変動開始時に第１特定演出の演出パターンを決定し、決定結果に対応して第１特定演出の演出制御パターン（特定演出制御パターン）をセットする。また、第１又は第２始動入賞口を遊技球が通過したときなどに、第１特定演出の演出パターンを決定し、決定結果に対応して第２特定演出の演出制御パターン（特定演出制御パターン）をセットする。第１特定演出の演出制御パターンと第２特定演出の演出制御パターンとは、共通の演出制御パターンを用いてもよいし、異なる演出制御パターンを用いても良い。ここで、演出制御パターンをセットする際には、該当する演出制御パターンを構成するパターンデータを、ＲＯＭ１２１から読み出してＲＡＭ１２２の所定領域に一時記憶させてもよいし、該当する演出制御パターンを構成するパターンデータのＲＯＭ１２１における記憶アドレスを、ＲＡＭ１２２の所定領域に一時記憶させて、ＲＯＭ１２１における記憶データの読出位置を指定するだけでもよい。
【０１１７】
その後、演出制御プロセスタイマ値が更新されるごとに、演出制御プロセスタイマ判定値のいずれかと合致したか否かの判定を行い、合致した場合には、対応する各種の制御データに応じた演出動作の制御を行う。こうして、演出制御用ＣＰＵ１２０は、演出制御パターンに含まれるプロセスデータ＃１〜プロセスデータ＃ｎ（ｎは任意の整数）の内容に従って、演出装置（画像表示装置５、スピーカ８Ｌ、８Ｒ、遊技効果ランプ９等の発光体、演出用可動部材３２など）の制御を進行させる。なお、各プロセスデータ＃１〜プロセスデータ＃ｎにおいて、演出制御プロセスタイマ判定値＃１〜＃ｎと対応付けられた表示制御データ＃１〜表示制御データ＃ｎ、音声制御データ＃１〜音声制御データ＃ｎ、ランプ制御データ＃１〜ランプ制御データ＃ｎ、操作検出制御データ＃１〜操作検出制御データ＃ｎは、演出装置における演出動作の制御内容を示し、演出制御の実行を指定する演出制御実行データ＃１〜演出制御実行データ＃ｎを構成する。
【０１１８】
こうしてセットした演出制御パターンに従った指令が、演出制御用ＣＰＵ１２０から表示制御部１２３や音声制御基板１３、ランプ制御基板１４、可動部材駆動モータ３３などに対して出力される。演出制御用ＣＰＵ１２０からの指令を受けた表示制御部１２３では、例えば所定のＶＤＰ等がその指令に示される画像データをＣＧＲＯＭ等の画像データメモリから読み出してＶＲＡＭに一時記憶させることなどにより展開させる。また、演出制御用ＣＰＵ１２０からの指令を受けた音声制御基板１３では、例えば音声合成用ＩＣがその指令に示される音声データを音声データＲＯＭから読み出して音声ＲＡＭ等に一時記憶させることなどにより展開させる。
【０１１９】
図２に示す演出制御基板１２に搭載されたＲＡＭ１２２には、演出動作を制御するために用いられる各種データを保持する領域として、例えば図１１に示すような演出制御用データ保持エリア１９０が設けられている。図１１に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０１２０】
演出制御フラグ設定部１９１には、例えば画像表示装置５の画面上における演出画像の表示状態などといった演出動作状態や主基板１１から伝送された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。演出制御タイマ設定部１９２には、例えば画像表示装置５の画面上における演出画像の表示動作などといった各種演出動作の進行を制御するために用いられる複数種類のタイマが設けられている。例えば、演出制御タイマ設定部１９２には、複数種類のタイマそれぞれにおけるタイマ値を示すデータが記憶される。演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０１２１】
図２に示す演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示領域内に表示させる演出画像の切換タイミングを決定することなどにより、飾り図柄の可変表示や各種の演出表示を実行させるための制御を行う。一例として、表示制御部１２１には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【０１２２】
演出制御基板１２に搭載されたＩ／Ｏ１２５は、例えば主基板１１などから伝送された演出制御コマンド等の各種信号を取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）、可動部材駆動モータ３３へと伝送される指令（駆動制御信号）などが出力される。
【０１２３】
音声制御基板１３には、例えば入出力ドライバや音声合成用ＩＣ、音声データＲＯＭ、増幅回路、ボリュームなどが搭載されている。一例として、音声制御基板１３では、演出制御基板１２から伝送された効果音信号に示される音番号データが入出力ドライバを介して音声合成用ＩＣに入力される。音声合成用ＩＣは、音番号データに応じた音声や効果音を生成し増幅回路に出力する。増幅回路は、音声合成用ＩＣの出力レベルを、ボリュームで設定されている音量に応じたレベルに増幅した音声信号を、スピーカ８Ｌ、８Ｒに出力する。音声データＲＯＭには、音番号データに応じた制御データが格納されており、音声合成用ＩＣが音番号データに応じた制御データを読み出して、音声や効果音が生成される。音声データＲＯＭの記憶データは、所定期間における音声や効果音の出力態様を時系列的に示すデータなどから構成されていればよい。
【０１２４】
ランプ制御基板１４には、例えば入出力ドライバやランプドライバなどが搭載されている。一例として、ランプ制御基板１４では、演出制御基板１２から伝送された電飾信号が、入出力ドライバを介してランプドライバに入力される。ランプドライバは、電飾信号を増幅して遊技効果ランプ９などに供給する。
【０１２５】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。こうした遊技制御メイン処理を実行したＣＰＵ１０３は、ＣＴＣからの割込み要求信号を受信して割込み要求を受け付けると、図１２のフローチャートに示す遊技制御用タイマ割込み処理を実行する。
【０１２６】
図１２に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する（ステップＳ１１）。続いて、所定のメイン側エラー処理を実行することにより、パチンコ遊技機１の異常診断を行い、その診断結果に応じて必要ならば警告を発生可能とする（ステップＳ１２）。この後、所定の情報出力処理を実行することにより、例えばパチンコ遊技機１の外部に設置されたホール管理用コンピュータに供給される大当り情報、始動情報、確率変動情報などのデータを出力する（ステップＳ１３）。
【０１２７】
情報出力処理に続いて、主基板１１の側で用いられる乱数値ＭＲ１〜ＭＲ５といった遊技用乱数の少なくとも一部をソフトウェアにより更新するための遊技用乱数更新処理を実行する（ステップＳ１４）。この後、ＣＰＵ１０３は、特別図柄プロセス処理を実行する（ステップＳ１５）。特別図柄プロセス処理では、遊技制御フラグ設定部１５２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。
【０１２８】
特別図柄プロセス処理に続いて、普通図柄プロセス処理が実行される（ステップＳ１６）。ＣＰＵ１０３は、普通図柄プロセス処理を実行することにより、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする。普通図柄プロセス処理を実行した後、ＣＰＵ１０３は、コマンド制御処理を実行することにより、主基板１１から演出制御基板１２などのサブ側の制御基板に対して制御コマンドを伝送させる（ステップＳ１７）。一例として、コマンド制御処理では、遊技制御バッファ設定部１５５に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０１２９】
図１３は、特別図柄プロセス処理として、図１２に示すステップＳ１５にて実行される処理の一例を示すフローチャートである。この特別図柄プロセス処理において、ＣＰＵ１０３は、まず、始動入賞判定処理を実行する（ステップＳ１０１）。図１４は、ステップＳ１０１にて実行される始動入賞判定処理の一例を示すフローチャートである。
【０１３０】
始動入賞判定処理を開始すると、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（ステップＳ２０１）。このとき、第１始動口スイッチ２２Ａがオンであれば（ステップＳ２０１；Ｙｅｓ）、第１特図を用いた特図ゲームの保留記憶数である第１特図保留記憶数が、所定の上限値（例えば「４」）となっているか否かを判定する（ステップＳ２０２）。このとき、ＣＰＵ１０３は、例えば遊技制御カウンタ設定部に設けられた第１保留記憶数カウンタの格納値である第１保留記憶数カウント値を読み取ることにより、第１特図保留記憶数を特定できればよい。ステップＳ２０２にて第１特図保留記憶数が上限値ではないときには（ステップＳ２０２；Ｎｏ）、例えば遊技制御バッファ設定部１５５に設けられた始動口バッファの格納値を、「１」に設定する（ステップＳ２０３）。
【０１３１】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図を用いた特図ゲームの保留記憶数である第２特図保留記憶数が、所定の上限値（例えば「４」）となっているか否かを判定する（ステップＳ２０５）。このとき、ＣＰＵ１０３は、例えば遊技制御カウンタ設定部に設けられた第２保留記憶数カウンタの格納値である第２保留記憶数カウント値を読み取ることにより、第２特図保留記憶数を特定できればよい。ステップＳ２０５にて第２特図保留記憶数が上限値ではないときには（ステップＳ２０５；Ｎｏ）、例えば遊技制御バッファ設定部１５５に設けられた始動口バッファの格納値を、「２」に設定する（ステップＳ２０６）。
【０１３２】
ステップＳ２０３、Ｓ２０６の処理のいずれかを実行した後には、始動口バッファの格納値である始動口バッファ値に応じて、保留記憶数カウント値を１加算するように更新する（ステップＳ２０７）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が通過（進入）して第１特図を用いた特図ゲームに対応した第１始動条件が成立したときに、１増加するように更新される。また、第２保留記憶数カウント値は、第２始動入賞口を遊技球が通過（進入）して第２特図を用いた特図ゲームに対応した第２始動条件が成立したときに、１増加するように更新される。このときには、例えば遊技制御カウンタ設定部に設けられた合計保留記憶数カウンタの格納値である合計保留記憶数カウント値を、１加算するように更新する（ステップＳ２０８）。
【０１３３】
ステップＳ２０８の処理を実行した後に、ＣＰＵ１０３は、乱数回路１０４や遊技制御カウンタ設定部のランダムカウンタによって更新されている数値データのうちから、特図表示結果決定用の乱数値ＭＲ１や大当り種別決定用の乱数値ＭＲ２、変動パターン種別決定用の乱数値ＭＲ３を示す数値データを、抽出する（ステップＳ２０９）。こうして抽出した各乱数値を示す数値データが保留データとして、始動口バッファ値に応じた特図保留記憶部における空きエントリの先頭にセットされることで記憶される（ステップＳ２１０）。例えば、始動口バッファ値が「１」であるときには保留データが第１特図保留記憶部１５１Ａにセットされる一方で、始動口バッファ値が「２」であるときには保留データが第２特図保留記憶部１５１Ｂにセットされる。
【０１３４】
ステップＳ２１０の処理に続いて、始動口バッファ値に応じた始動口入賞指定コマンドの送信設定が行われる（ステップＳ２１１）。例えば、始動口バッファ値が「１」であるときにはＲＯＭ１０１における第１始動口入賞指定コマンドテーブルの記憶アドレスを送信コマンドバッファにおいて送信コマンドポインタにより指定されたバッファ領域に格納することなどにより、演出制御基板１２に対して第１始動口入賞指定コマンドを送信するための設定を行う。これに対して、始動口バッファ値が「２」であるときにはＲＯＭ１０１における第２始動口入賞指定コマンドテーブルの記憶アドレスを送信コマンドバッファのバッファ領域に格納することなどにより、演出制御基板１２に対して第２始動口入賞指定コマンドを送信するための設定を行う。ステップＳ２１１の処理に続いて、後述する入賞時乱数値判定処理を実行する（ステップＳ２１１Ａ）。そして、例えばＲＯＭ１０１における保留記憶数通知コマンドテーブルの記憶アドレスを送信コマンドバッファにおいて送信コマンドポインタによって指定されたバッファ領域に格納することなどにより、演出制御基板１２に対して保留記憶数通知コマンドを送信するための設定を行う（ステップＳ２１２）。こうして設定された始動口入賞指定コマンドや保留記憶数通知コマンドは、例えば特別図柄プロセス処理が終了した後、図１２に示すステップＳ１７のコマンド制御処理が実行されることなどにより、主基板１１から演出制御基板１２に対して伝送される。
【０１３５】
ステップＳ２１２の処理を実行した後には、始動口バッファ値が「１」であるか「２」であるかを判定する（ステップＳ２１３）。このとき、始動口バッファ値が「１」であれば（ステップＳ２１３；「１」）、始動口バッファをクリアして、その格納値を「０」に初期化してから（ステップＳ２１４）、ステップＳ２０４の処理に進む。これに対して、始動口バッファ値が「２」であるときには（ステップＳ２１３；「２」）、始動口バッファをクリアして、その格納値を「０」に初期化してから（ステップＳ２１５）、始動入賞判定処理を終了する。
【０１３６】
この実施の形態では、第１始動口スイッチ２２Ａと第２始動口スイッチ２２Ｂの双方が同時に有効な遊技球の始動入賞を検出した場合には、２ミリ秒内で実行される処理によって、双方のスイッチが有効な遊技球の始動入賞を検出したことに基づく処理が実行される。すなわち、ステップＳ２０１にて第１始動口スイッチ２２Ａがオンであるときには、ステップＳ２０２、Ｓ２０３の処理を実行してから、ステップＳ２０７〜Ｓ２１２の処理を実行した後、ステップＳ２１３にて始動口バッファ値が「１」であることに対応して、ステップＳ２１４の処理を実行してから、ステップＳ２０４の処理に進む。そして、ステップＳ２０４にて第２始動口スイッチ２２Ｂがオンであるときには、ステップＳ２０５〜Ｓ２１２の処理を実行した後、ステップＳ２１３にて始動口バッファ値が「２」であることに対応して、ステップＳ２１５の処理を実行してから、始動入賞判定処理を終了する。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０１３７】
図１５は、入賞時乱数値判定処理として、図１４のステップＳ２１１Ａにて実行される処理の一例を示すフローチャートである。この実施の形態において、特別図柄や飾り図柄の可変表示が開始されるときには、後述する特別図柄通常処理（図１３のステップＳ１１０、図１６）により、特図表示結果（特別図柄の可変表示結果）を「大当り」として大当り遊技状態に制御するか否かの決定が行われる。また、後述する変動パターン設定処理（図１３のステップＳ１１１、図１８）において、飾り図柄の可変表示態様を抽象的に分類した変動パターン種別の決定や、飾り図柄の可変表示態様を具体的に規定する変動パターンの決定などが行われる。他方、これらの決定とは別に、遊技球が始動入賞口（第１始動入賞口または第２始動入賞口）にて検出されたタイミングで、ＣＰＵ１０３がステップＳ２１１Ａの入賞時乱数値判定処理を実行することにより、特図表示結果として大当り図柄を導出表示すると決定される乱数値ＭＲ１であるか否かの判定や、飾り図柄の可変表示態様がスーパーリーチを伴う所定表示態様となるか否かの判定などを行う。これにより、始動入賞口に進入した遊技球の検出に基づく特別図柄や飾り図柄の可変表示が開始されるより前に、特図表示結果が「大当り」となることや、飾り図柄の可変表示態様が所定表示態様となることを予測し、この予測結果に基づいて、演出制御基板１２の側で演出制御用ＣＰＵ１２０などにより、先読み演出や特定演出（第２特定演出）を実行するか否かを、決定することができる。
【０１３８】
図１５に示す入賞時乱数値判定処理において、ＣＰＵ１０３は、まず、例えばＲＡＭ１０２の所定領域（遊技制御フラグ設定部）などに設けられた確変フラグの状態を確認することなどにより、パチンコ遊技機１における現在の遊技状態を特定する（ステップＳ４０１）。
【０１３９】
その後、図１４のステップＳ２０９にて抽出された特図表示結果決定用の乱数値ＭＲ１を示す数値データが所定の大当り判定範囲内であるか否かを判定する（ステップＳ４０３）。大当り判定範囲には、特図表示結果決定用テーブルデータ１３０において「大当り」の特図表示結果に割り当てられた個々の決定値が設定され、ＣＰＵ１０３が乱数値ＭＲ１と各決定値とを逐一比較することにより、乱数値ＭＲ１と合致する決定値の有無を判定できればよい。あるいは、大当り判定範囲に含まれる決定値の最小値（下限値）と最大値（上限値）とを示す数値を設定して、ＣＰＵ１０３が乱数値ＭＲ１と大当り判定範囲の最小値や最大値とを比較することにより、乱数値ＭＲ１が大当り判定範囲の範囲内であるか否かを判定できればよい。このとき、乱数値ＭＲ１が大当り判定範囲の範囲内であると判定されることにより、その乱数値ＭＲ１を含む保留データに基づく可変表示結果が「大当り」に決定されると判定（大当り始動判定）できる。
【０１４０】
ステップＳ４０３にて大当り判定範囲内ではないと判定された場合には（ステップＳ４０３；Ｎｏ）、可変表示結果が「ハズレ」となる場合に応じた図柄指定コマンドを、演出制御基板１２に対して送信するための設定を行う（ステップＳ４０５）。そして、可変表示結果が「ハズレ」となるとの判定結果に応じて、ハズレ変動パターン種別決定テーブル１３２Ｂを、後述する変動カテゴリ判定のために用いるテーブルとして決定する（ステップＳ４０６）。
【０１４１】
ステップＳ４０３にて大当り判定範囲内であると判定された場合には（ステップＳ４０３；Ｙｅｓ）、大当り種別決定用テーブルデータ１３１を参照することにより、大当り種別が複数種別のいずれに決定されるかを判定する（Ｓ４０９）。こうしたステップＳ４０９の処理による判定結果に応じた図柄指定コマンドを、演出制御基板１２に対して送信するための設定が行われる（ステップＳ４１０）。そして、可変表示結果が「大当り」となるとの判定結果に応じて、大当り変動パターン種別決定テーブル１３２Ａを、後述する変動カテゴリ判定のために用いるテーブルとして決定する（ステップＳ４１１）。
【０１４２】
ステップＳ４０６、Ｓ４１１の処理のいずれかを実行した後には、それぞれの処理にて決定した変動パターン種別決定テーブルと、変動パターン種別決定用の乱数値ＭＲ３を示す数値データとを用いて、乱数値ＭＲ３が含まれる決定値の範囲に応じた変動カテゴリを判定する（ステップＳ４１２）。その後、ステップＳ４１２の処理による判定結果に応じた変動カテゴリコマンドを、演出制御基板１２に対して送信するための設定を行ってから（ステップＳ４１３）、入賞時乱数値判定処理を終了する。
【０１４３】
図１４に示す始動入賞判定処理や図１５に示す入賞時乱数値判定処理を実行した後、図１２に示すステップＳ１７のコマンド制御処理を実行することにより、第１始動入賞口や第２始動入賞口を遊技球が通過（進入）して第１始動条件や第２始動条件が成立したときには、始動口入賞指定コマンド（第１始動口入賞指定コマンドまたは第２始動口入賞指定コマンド）、図柄指定コマンド、変動カテゴリコマンド、保留記憶数通知コマンド（第１保留記憶数通知コマンドまたは第２保留記憶数通知コマンド）という４つのコマンドが１セットとして、１タイマ割込内に一括して送信される。なお、１タイマ割込内に一括して送信されるものに限定されず、タイマ割込毎にステップＳ１７のコマンド制御処理により１つずつコマンドが順次に送信されてもよい。
【０１４４】
図１３に示す特別図柄プロセス処理のステップＳ１０１にて始動入賞判定処理を実行した後、ＣＰＵ１０３は、遊技制御フラグ設定部１５２に設けられた特図プロセスフラグの値に応じて、ステップＳ１１０〜Ｓ１１７の処理のいずれかを選択して実行する。
【０１４５】
ステップＳ１１０の特別図柄通常処理は、特図プロセスフラグの値が“０”のときに実行される。この特別図柄通常処理では、第１特図保留記憶部１５１Ａや第２特図保留記憶部１５１Ｂに記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」とするか否かを、その可変表示結果が導出表示される以前に決定（事前決定）する。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄やハズレ図柄のいずれか）が設定される。特別図柄通常処理では、特別図柄や飾り図柄の可変表示結果を事前決定したときに、特図プロセスフラグの値が“１”に更新される。
【０１４６】
ステップＳ１１１の変動パターン設定処理は、特図プロセスフラグの値が“１”のときに実行される。この変動パターン設定処理には、可変表示結果を「大当り」とするか否かの事前決定結果などに基づいて、変動パターン種別を複数種類のいずれかに決定する処理や、変動パターン種別の決定結果に対応して、変動パターンを複数種類のいずれかに決定する処理などが含まれている。変動パターン設定処理が実行されたときには、特図プロセスフラグの値が“２”に更新される。
【０１４７】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。例えば、ステップＳ１１２の特別図柄変動処理が実行されるごとに、遊技制御タイマ設定部１５３に設けられた特図変動タイマにおける格納値である特図変動タイマ値を１減算あるいは１加算して、第１特別図柄表示装置４Ａにおける第１特図を用いた特図ゲームであるか、第２特別図柄表示装置４Ｂにおける第２特図を用いた特図ゲームであるかに関わりなく、共通のタイマによって経過時間の測定が行われる。また、計測された経過時間が変動パターンに対応する特図変動時間に達したか否かの判定も行われる。このように、ステップＳ１１２の特別図柄変動処理は、第１特別図柄表示装置４Ａにおける第１特図を用いた特図ゲームでの特別図柄の変動や、第２特別図柄表示装置４Ｂにおける第２特図を用いた特図ゲームでの特別図柄の変動を、共通の処理ルーチンによって制御する処理となっていればよい。そして、特別図柄の変動を開始してからの経過時間が特図変動時間に達したときには、特図プロセスフラグの値が“３”に更新される。
【０１４８】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示させるための設定を行う処理が含まれている。そして、遊技制御フラグ設定部１５２に設けられた大当りフラグがオンとなっているか否かの判定などが行われ、大当りフラグがオンである場合には特図プロセスフラグの値が“４”に更新される。その一方で、大当りフラグがオフである場合には、特図プロセスフラグの値が“０”に更新される。
【０１４９】
ステップＳ１１４の大当り開放前処理は、特図プロセスフラグの値が“４”のときに実行される。この大当り開放前処理には、可変表示結果が「大当り」となったことなどに基づき、大当り遊技状態においてラウンドの実行を開始して大入賞口を開放状態とするための設定を行う処理などが含まれている。このときには、例えば大当り種別が「非確変」や「確変」のいずれであるかに対応して、大入賞口を開放状態とする期間の上限を設定するようにしてもよい。一例として、大入賞口を開放状態とする期間の上限を「２９秒」に設定するとともに、ラウンドを実行する上限回数となる大入賞口の開放回数を「１５回」に設定することにより、１５Ｒ大当り状態とする設定が行われればよい。このときには、特図プロセスフラグの値が“５”に更新される。
【０１５０】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新される。
【０１５１】
ステップＳ１１６の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に大当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０１５２】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９などといった演出装置により、大当り遊技状態の終了を報知する演出動作としてのエンディング演出が実行される期間に対応した待ち時間が経過するまで待機する処理や、大当り種別に対応して確変状態や時短状態に制御するための各種の設定を行う処理などが含まれている。そして、確変状態や時短状態に制御するための設定が行われたときには、特図プロセスフラグの値が“０”に更新される。
【０１５３】
図１６は、図１３のステップＳ１１０にて実行される特別図柄通常処理の一例を示すフローチャートである。図１６に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。例えば、ステップＳ２３１の処理では、ＲＡＭ１０２の所定領域（遊技制御カウンタ設定部）に記憶されている第２保留記憶数カウント値を読み出し、その読出値が「０」であるか否かを判定すればよい。
【０１５４】
ステップＳ２３１にて第２特図保留記憶数が「０」以外であるときには（ステップＳ２３１；Ｎｏ）、第２特図保留記憶部１５１Ｂにて保留番号「１」に対応して記憶されている保留データとして、特図表示結果決定用の乱数値ＭＲ１、大当り種別決定用の乱数値ＭＲ２、変動パターン種別決定用の乱数値ＭＲ３を示す数値データをそれぞれ読み出す（ステップＳ２３２）。このとき読み出された数値データは、例えばＲＡＭ１０２の所定領域（遊技制御バッファ設定部）に設けられた変動用乱数バッファなどに格納されて、一時記憶されればよい。
【０１５５】
ステップＳ２３２の処理に続いて、例えば第２保留記憶数カウント値を１減算して更新することなどにより、第２特図保留記憶数を１減算させるように更新するとともに、ＲＡＭ１０２の所定領域（第２特図保留記憶部）にて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３３）。また、ステップＳ２３３の処理では、ＲＡＭ１０２の所定領域（遊技制御カウンタ設定部）にて合計保留記憶数カウンタが記憶する合計保留記憶数カウント値を１減算するように更新してもよい。このときには、例えばＲＡＭ１０２の所定領域（遊技制御バッファ設定部）に設けられた変動特図指定バッファの格納値である変動特図指定バッファ値を「２」に更新する（ステップＳ２３４）。
【０１５６】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。例えば、ステップＳ２３５の処理では、ＲＡＭ１０２の所定領域（遊技制御カウンタ設定部）にて第１保留記憶数カウンタが記憶する第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０１５７】
なお、第２特図を用いた特図ゲームが第１特図を用いた特図ゲームよりも優先して実行されるものに限定されず、例えば第１始動入賞口や第２始動入賞口を遊技球が進入（通過）して始動入賞が発生した順に、特図ゲームの実行が開始されるようにしてもよい。この場合には、始動入賞が発生した順番を特定可能なデータを記憶するテーブルを設けて、その記憶データから第１特図と第２特図のいずれを用いた特図ゲームの実行を開始するかが決定できればよい。
【０１５８】
ステップＳ２３５にて第１特図保留記憶数が「０」以外であるときには（ステップＳ２３５；Ｎｏ）、ＲＡＭ１０２の所定領域（第１特図保留記憶部）にて保留番号「１」に対応して記憶されている保留データとして、特図表示結果決定用の乱数値ＭＲ１、大当り種別決定用の乱数値ＭＲ２、変動パターン種別決定用の乱数値ＭＲ３を示す数値データをそれぞれ読み出す（ステップＳ２３６）。このとき読み出された数値データは、例えば変動用乱数バッファなどに格納されて、一時記憶されればよい。
【０１５９】
ステップＳ２３６の処理に続いて、例えば第１保留記憶数カウント値を１減算して更新することなどにより、第１特図保留記憶数を１減算させるように更新するとともに、第１特図保留記憶部にて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３７）。また、ステップＳ２３７の処理では、遊技制御カウンタ設定部にて合計保留記憶数カウンタが記憶する合計保留記憶数カウント値を１減算するように更新してもよい。このときには、変動特図指定バッファ値を「１」に更新する（ステップＳ２３８）。
【０１６０】
ステップＳ２３４、Ｓ２３８の処理のいずれかを実行した後には、特別図柄の可変表示結果である特図表示結果を「大当り」と「ハズレ」のいずれとするかを決定するための使用テーブルとして、特図表示結果決定テーブル１３０を選択してセットする（ステップＳ２３９）。このとき、ＣＰＵ１０３は、現在の遊技状態に対応して特図表示結果の決定に用いられる特図表示結果決定用テーブルデータを選択すればよい。続いて、変動用乱数バッファに格納された特図表示結果決定用の乱数値ＭＲ１を示す数値データを、「大当り」と「ハズレ」の各特図表示結果に割り当てられた決定値と比較して、いずれの特図表示結果に割り当てられた決定値と合致するかに応じて、特図表示結果を「大当り」と「ハズレ」のいずれとするかを決定する（ステップＳ２４０）。
【０１６１】
ステップＳ２３９では現在の遊技状態に対応した特図表示結果決定用テーブルデータが選択されていることから、ステップＳ２４０の処理では、特図ゲームなどの可変表示が開始されるときの遊技状態が確変状態であるか否かに応じて、異なる決定用データを用いて特図表示結果を「大当り」とするか否かが決定される。例えば、特図ゲームなどの可変表示が開始されるときの遊技状態が通常状態であるときには、特図表示結果決定テーブル１３０において遊技状態が通常状態（非確変状態）に対応するテーブルデータが、通常決定用データとして選択され、これを参照して乱数値ＭＲ１に対応する特図表示結果を決定する。他方、特図ゲームなどの可変表示が開始されるときの遊技状態が確変状態であるときには、特図表示結果決定テーブル１３０において遊技状態が確変状態の場合に対応するテーブルデータが、特別決定用データとして選択され、これを参照して乱数値ＭＲ１に対応する特図表示結果を決定する。
【０１６２】
ステップＳ２４０にて特図表示結果を決定した後には、その特図表示結果が「大当り」であるか否かを判定する（ステップＳ２４１）。そして、「大当り」であると判定された場合には（ステップＳ２４１；Ｙｅｓ）、遊技制御フラグ設定部に設けられた大当りフラグをオン状態にセットする（ステップＳ２４２）。このときには、大当り種別を複数種類のいずれかに決定するための使用テーブルとして、大当り種別決定テーブル１３１を選択してセットする（ステップＳ２４３）。こうしてセットされた大当り種別決定テーブル１３１を参照することにより、変動用乱数バッファに格納された大当り種別決定用の乱数値ＭＲ２を示す数値データを、「非確変」又は「確変」の大当り種別に割り当てられた決定値と比較して、大当り種別を「非確変」又は「確変」のいずれとするかを決定する（ステップＳ２４４）。こうして決定された大当り種別に対応して、例えば遊技制御バッファ設定部に設けられた大当り種別バッファの格納値である大当り種別バッファ値を設定することなどにより（ステップＳ２４５）、決定された大当り種別を記憶させる。一例として、大当り種別が「非確変」であれば大当り種別バッファ値を「０」とし、「確変」であれば「１」とすればよい。
【０１６３】
ステップＳ２４１にて「大当り」ではないと判定された場合や（ステップＳ２４１；Ｎｏ）、ステップＳ２４５の処理を実行した後には、大当り遊技状態に制御するか否かの事前決定結果、さらには、大当り遊技状態とする場合における大当り種別の決定結果に対応して、確定特別図柄を設定する（ステップＳ２４６）。一例として、ステップＳ２４１にて特図表示結果が「大当り」ではないと判定された場合には、特図表示結果を「ハズレ」とする旨の事前決定結果に対応して、ハズレ図柄となる「−」の記号を示す特別図柄を、確定特別図柄に設定する。その一方で、ステップＳ２４１にて特図表示結果が「大当り」であると判定された場合には、ステップＳ２４４における大当り種別の決定結果に応じて、大当り図柄となる「３」、「７」の数字を示す特別図柄のいずれかを、確定特別図柄に設定する。すなわち、大当り種別を「非確変」とする決定結果に応じて、非確変大当り図柄となる「３」の数字を示す特別図柄を、確定特別図柄に設定する。また、大当り種別を「確変」とする決定結果に応じて、確変大当り図柄となる「７」の数字を示す特別図柄を、確定特別図柄に設定する。
【０１６４】
ステップＳ２４６にて確定特別図柄を設定した後には、特図プロセスフラグの値を変動パターン設定処理に対応した値である“１”に更新してから（ステップＳ２４７）、特別図柄通常処理を終了する。ステップＳ２３５にて第１特図保留記憶数が「０」である場合には（ステップＳ２３５；Ｙｅｓ）、所定のデモ表示設定を行ってから（ステップＳ２４８）、特別図柄通常処理を終了する。このデモ表示設定では、例えば画像表示装置５の画面上に所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０１６５】
こうした特別図柄通常処理において、例えばステップＳ２４０にて特図表示結果を「大当り」または「ハズレ」のいずれかに決定することなどにより、大当り遊技状態に制御するか否かを、特図ゲームにおける可変表示結果としての特図表示結果が導出される以前に決定することができる。
【０１６６】
図１７は、図１３のステップＳ１１１にて実行される変動パターン設定処理の一例を示すフローチャートである。図１７に示す変動パターン設定処理において、ＣＰＵ１０３は、まず、大当りフラグがオンであるか否かを判定する（ステップＳ２６１）。そして、大当りフラグがオンであれば（ステップＳ２６１；Ｙｅｓ）、変動パターン種別を複数種別のいずれかに決定するための使用テーブルとして、大当り変動パターン種別決定テーブル１３２Ａを選択してセットする（ステップＳ２６２）。
【０１６７】
ステップＳ２６１にて大当りフラグがオフであるときには（ステップＳ２６１；Ｎｏ）、変動パターン種別を複数種類のいずれかに決定するための使用テーブルとして、ハズレ変動パターン種別決定テーブル１３２Ｂを選択してセットする（ステップＳ２６５）。
【０１６８】
ステップＳ２６３又はＳ２６５の処理を実行した後には、例えば変動用乱数バッファなどに格納されている変動パターン種別決定用の乱数値ＭＲ３を示す数値データなどに基づき、使用テーブルにセットされた変動パターン種別決定テーブルを参照することにより、変動パターン種別を複数種類のいずれかに決定する（ステップＳ２６７）。ここで、ステップＳ２６７の処理では、第１始動条件が成立したことに基づき第１特別図柄表示装置４Ａにより第１特図を用いて実行される特図ゲームに対応した飾り図柄の変動パターン種別を決定するか、第２始動条件が成立したことに基づき第２特別図柄表示装置４Ｂにより第２特図を用いて実行される特図ゲームに対応した飾り図柄の変動パターン種別を決定するかにかかわらず、共通のランダムカウンタなどによって更新される変動パターン種別決定用となる共通の乱数値ＭＲ３を示す数値データを用いて、共通の処理モジュールにより変動パターン種別を複数種類のいずれかに決定することができる。
【０１６９】
大当りフラグがオフであるときには、ステップＳ２６５にて選択したハズレ変動パターン種別決定テーブル１３２Ｂを参照して変動パターン種別を複数種別のいずれかに決定する。このときには、変動パターン種別を決定することにより、飾り図柄の可変表示態様を「非リーチ」、「ノーマルリーチ」、「スーパーリーチ」の何れとするかが決定される。すなわち、ステップＳ２６７の処理には、可変表示結果が「ハズレ」となる場合に、飾り図柄の可変表示状態をリーチ状態とするか否か、及び、リーチ状態とする場合に「ノーマルリーチ演出」又は「スーパーリーチ演出」の何れを実行するか、を決定する処理が含まれている。
【０１７０】
ステップＳ２６７にて変動パターン種別を決定した後には、変動パターン決定テーブル１３３を選択し、変動パターンを複数種類のいずれかに決定するための使用テーブルとしてセットする（ステップＳ２６８）。続いて、変動パターン決定用の乱数値ＭＲ４を示す数値データに基づき、ステップＳ２６８にてセットした変動パターン決定テーブル１３３を参照することにより、変動パターンを複数種類のいずれかに決定する（ステップＳ２６９）。変動パターン決定用の乱数値ＭＲ４を示す数値データは、ステップＳ２６９の処理が実行されるときに乱数回路１０４やＲＡＭ１０２の所定領域（遊技制御カウンタ設定部）に設定されたランダムカウンタなどから抽出されてもよいし、第１始動入賞口や第２始動入賞口を通過（進入）した遊技球が検出された始動入賞時に抽出されたものを、乱数値ＭＲ１〜ＭＲ３とともに、第１特図保留記憶部や第２特図保留記憶部における保留データとして記憶しておいてもよい。
【０１７１】
ステップＳ２６９の処理では、第１始動条件が成立したことに基づき第１特別図柄表示装置４Ａにより第１特図を用いて実行される特図ゲームに対応した飾り図柄の変動パターンを決定するか、第２始動条件が成立したことに基づき第２特別図柄表示装置４Ｂにより第２特図を用いて実行される特図ゲームに対応した飾り図柄の変動パターンを決定するかにかかわらず、共通のランダムカウンタなどによって更新される変動パターン決定用となる共通の乱数値ＭＲ４を示す数値データを用いて、共通の処理モジュールにより変動パターンを複数種類のいずれかに決定することができる。また、ステップＳ２６９の処理では、ステップＳ２６７における変動パターン種別の決定結果にかかわらず、変動パターン決定用となる共通の乱数値ＭＲ４を示す数値データを用いて、共通の処理モジュールにより変動パターンを複数種類のいずれかに決定することができる。
【０１７２】
ステップＳ２６９にて変動パターンを決定した後には、その変動パターンの決定結果に応じた特別図柄の可変表示時間である特図変動時間を設定する（ステップＳ２７０）。特別図柄の可変表示時間となる特図変動時間は、特図ゲームにおいて特別図柄の変動を開始してから可変表示結果（特図表示結果）となる確定特別図柄が導出表示されるまでの所要時間である。ステップＳ２７０の処理を実行した後、変動特図指定バッファ値に応じて、第１特別図柄表示装置４Ａにおける第１特図を用いた特図ゲームと、第２特別図柄表示装置４Ｂにおける第２特図を用いた特図ゲームのいずれかを開始させるように、特別図柄の変動を開始させるための設定を行う（ステップＳ２７１）。一例として、変動特図指定バッファ値が「１」であれば、第１特別図柄表示装置４Ａにおける第１特図の表示を更新させる駆動信号を送信するための設定を行う。これに対して、変動特図指定バッファ値が「２」であれば、第２特別図柄表示装置４Ｂにおける第２特図の表示を更新させる駆動信号を送信するための設定を行う。
【０１７３】
ステップＳ２７１の処理に続いて、特別図柄の変動開始時用となる各種コマンドを送信するための設定を行う（ステップＳ２７２）。例えば、変動特図指定バッファ値が「１」である場合に、ＣＰＵ１０３は、主基板１１から演出制御基板１２に対して遊技状態指定コマンド、第１変動開始コマンド、変動パターン指定コマンド、可変表示結果通知コマンド、保留記憶数通知コマンドを順次に送信するために、予め用意された第１変動開始用コマンドテーブルのＲＯＭ１０１における記憶アドレス（先頭アドレス）を示す設定データを、遊技制御バッファ設定部に設けられた送信コマンドバッファにおいて送信コマンドポインタによって指定されたバッファ領域に格納する。他方、変動特図指定バッファ値が「２」である場合に、ＣＰＵ１０３は、主基板１１から演出制御基板１２に対して遊技状態指定コマンド、第２変動開始コマンド、変動パターン指定コマンド、可変表示結果通知コマンド、保留記憶数通知コマンドを順次に送信するために、予め用意された第２変動開始用コマンドテーブルのＲＯＭ１０１における記憶アドレスを示す設定データを、送信コマンドバッファにおいて送信コマンドポインタによって指定されたバッファ領域に格納する。こうしたステップＳ２７２での設定を行った場合には、変動パターン設定処理が終了してから図１２に示すステップＳ１７のコマンド制御処理が実行されるごとに、主基板１１から演出制御基板１２に対して遊技状態指定コマンド、第１変動開始コマンド又は第２変動開始コマンド、変動パターン指定コマンド、可変表示結果通知コマンド、保留記憶数通知コマンドが、順次に送信されることになる。なお、これらの演出制御コマンドが送信される順番は任意に変更可能であり、例えば可変表示結果通知コマンドを最初に送信してから、第１変動開始コマンド又は第２変動開始コマンド、変動パターン指定コマンド、遊技状態指定コマンド、保留記憶数通知コマンドの順などで送信されるようにしてもよい。その後、特図プロセスフラグの値を特別図柄変動処理に対応した値である“２”に更新してから（ステップＳ２７３）、変動パターン設定処理を終了する。
【０１７４】
図１９は、普通図柄プロセス処理として、図１２のステップＳ１６にて実行される処理の一例を示すフローチャートである。図１９に示す普通図柄プロセス処理において、ＣＰＵ１０３は、まず、ゲート通過判定処理を実行する（ステップＳ１３０）。例えば、ステップＳ１３０のゲート通過判定処理では、ゲートスイッチ２１からの検出信号に基づき、ゲートスイッチ２１がオンであるか否かを判定し、オフであれば、そのままゲート通過判定処理を終了する。これに対して、ゲートスイッチ２１がオンであるときには、ＲＡＭ１０２の所定領域に設定された普図保留記憶部における保留データの記憶数である普図保留記憶数を示す普図保留記憶カウント値が、普図保留上限値として予め定められた値（例えば「４」）となっているか否かを判定する。このとき、普図保留上限値に達していれば、通過ゲートにおける今回の遊技球の通過を無効として、ゲート通過判定処理を終了する。その一方で、普図保留上限値に達していない場合には、例えば乱数回路１０４やＲＡＭ１０２の所定領域に設定された遊技制御カウンタ設定部のランダムカウンタ等によって更新される数値データのうちから、普図表示結果決定用の乱数値ＭＲ５を示す数値データを抽出する。このとき抽出した乱数値ＭＲ５を示す数値データが、保留データとして普図保留記憶部における空きエントリの先頭にセットされることで、乱数値ＭＲ５が記憶される。この場合には、普図保留記憶数カウント値を１加算するように更新してから、ゲート通過判定処理を終了する。
【０１７５】
ステップＳ１３０のゲート通過判定処理を実行した後、ＣＰＵ１０３は、遊技制御フラグ設定部１５２に設けられた普図プロセスフラグの値に応じて、図１８に示すステップＳ１４０〜Ｓ１４３の処理のいずれかを選択して実行する。
【０１７６】
ステップＳ１４０の普通図柄通常処理は、普図プロセスフラグの値が“０”のときに実行される。この普通図柄通常処理では、普図保留記憶部に格納された保留データの有無などに基づいて、普通図柄表示器２０による普図ゲームを開始するか否かの判定が行われる。このとき、例えば普図保留記憶部１に格納された保留データがある場合には、普図ゲームにおける普通図柄の可変表示結果である普図表示結果を「普図当り」とするか「普図ハズレ」とするかを決定する普通図柄判定処理が実行してから、普図プロセスフラグの値を“１”に更新する。
【０１７７】
ステップＳ１４１の普通図柄変動処理は、普図プロセスフラグの値が“１”のときに実行される。この普通図柄変動処理では、普通図柄表示器２０において普通図柄を変動させるための設定が行われるとともに、その普通図柄が変動を開始してからの経過時間が計測される。また、こうして計測された経過時間が所定の普図変動時間に達したか否かの判定が行われる。
【０１７８】
ステップＳ１４２の普通図柄停止処理は、普図プロセスフラグの値が“２”のときに実行される。この普通図柄停止処理では、普図変動時間が経過したことに基づき、普通図柄表示器２０にて普通図柄の変動を停止させ、普通図柄の可変表示結果となる確定普通図柄を停止表示（導出表示）させるための設定などを行う。ステップＳ１４３の普通電動役物作動処理は、普図プロセスフラグの値が“３”のときに実行される。この普通電動役物作動処理では、普図ゲームにおける可変表示結果（普図表示結果）が「普図当り」となったことに対応して、普通可変入賞球装置６Ｂが備える電動チューリップ型役物（普通電動役物）の可動翼片を垂直位置から傾動位置に移動させて、第２始動入賞口を通常開放状態から拡大開放状態に変化させるための設定などが行われる。
【０１７９】
図１９は、図１８のステップＳ１４０内にて実行される普通図柄判定処理の一例を示すフローチャートである。この普通図柄判定処理において、ＣＰＵ１０３は、まず、普図保留記憶部１５６にて保留番号「１」に対応して記憶されている保留データとして、普図表示結果判定用の乱数値ＭＲ５を示す数値データを読み出す（ステップＳ３５１）。このときには、例えば普図保留記憶数カウント値を１減算して更新することなどにより、普図保留記憶数を１減少させるように更新するとともに、普図保留記憶部１５６にて保留番号「１」より下位のエントリ（例えば保留番号「２」〜「４」に対応するエントリ）に記憶された乱数値ＭＲ５を示す保留データを、１エントリずつ上位にシフトする（ステップＳ３５２）。
【０１８０】
ステップＳ３５２の処理に続いて、時短フラグがオンであるか否かの判定を行う（ステップＳ３５３）。このとき、時短フラグがオフであれば（ステップＳ３５３；Ｎｏ）、普図ゲームにおける可変表示結果としての普図表示結果につき判定を行うためのテーブルとして、図２０（Ａ）に示す低ベース時普図表示結果判定テーブル２０１Ａを設定する（ステップＳ３５５）。また、時短フラグがオンであれば（ステップＳ３５３；Ｙｅｓ）、普図ゲームにおける可変表示結果としての普図表示結果につき判定を行うためのテーブルとして、図２０（Ｂ）に示す高ベース時普図表示結果判定テーブル２０１Ｂを設定する（ステップＳ３５５）。
【０１８１】
普図表示結果判定テーブル２０１Ａ、２０１Ｂは、ＲＯＭ１０１に記憶される。普図表示結果判定テーブル２０１Ａ、２０１Ｂは、普図ゲームにおける可変表示結果を「普図当り」とするか「普図ハズレ」とするかなどを判定するために参照されるテーブルである。例えば、普図表示結果判定テーブル２０１Ａ、２０１Ｂはそれぞれ、普図表示結果判定用の乱数値ＭＲ５を、表示結果、第２始動入賞口の開放時間や普通図柄の変動時間などに対応付ける（割り当てる）設定データ（判定用データ）から構成されている。遊技状態が低ベース状態（通常状態）である場合は、図２０（Ａ）に示す低ベース時普図表示結果判定テーブル２０１Ａが参照され、遊技状態が高ベース状態（時短状態）であるときには、図２０（Ｂ）に示す高ベース時普図表示結果判定テーブル２０１Ｂが参照される。
【０１８２】
普図表示結果判定テーブル２０１Ａ、２０１Ｂの設定により、高ベース状態である場合は、低ベース状態である場合よりも普図当りとなる割合が高くなっている。また、普図変動時間も、高ベース状態である場合は、低ベース状態である場合よりも短く設定されているので、表示結果が導出表示されるまでの平均的な時間が短くなり、結果として第２始動入賞口の開放される割合が多くなる。
【０１８３】
ステップＳ３５４、Ｓ３５５のいずれかの処理を実行した後には、各処理で設定した普図表示結果判定テーブルを参照することで、普図表示結果を「普図当り」とするか「普図ハズレ」とするかの判定を行う（ステップＳ３５６）。このとき、普図表示結果を「普図当り」とする旨の判定が行われた場合には、普図ゲームにおける確定普通図柄として「７」を示す普通図柄が決定されるようにすればよい。また、普図表示結果を「普図ハズレ」とする旨の判定が行われた場合には、普図ゲームにおける確定普通図柄として「−」を示す普通図柄が決定されるようにすればよい。
【０１８４】
ステップＳ３５６にて普図表示結果の判定を行った後には、普図表示結果を「普図当り」とすると決定されたか否かを判定する（ステップＳ３５７）。ステップＳ３５７にて「普図当り」とすると決定されたと判定した場合（ステップＳ３５７；Ｙｅｓ）、遊技制御フラグ設定部１５２に設けられた普図当りフラグをセットする（ステップＳ３５８）。
【０１８５】
ステップＳ３５８にて普図当りフラグをセットした後、または、ステップＳ３５７にて「普図ハズレ」とすると決定されたと判定した場合（ステップＳ３５７；Ｎｏ）、普図表示結果に対応する普図変動時間の設定を行う（ステップＳ３５９）。一例として、ステップＳ３５９の処理では、ＣＰＵ１０３が、普図変動時間を、普図表示結果判定テーブル２０１Ａ、２０１Ｂを参照することなどにより特定し、特定された普図変動時間に対応するタイマ初期値を、遊技制御タイマ設定部１５３に設けられた普図変動タイマにセットする。この場合には、図１８に示すステップＳ１４１の普通図柄変動処理が実行されるごとに、例えば普図変動タイマの値を１減算するように更新し、その値が「０」になったときに、普通図柄の変動を開始してからの経過時間が普図変動時間に達した旨の判定を行うようにすればよい。あるいは、ステップＳ３５９の処理では、普図変動タイマをクリアすることによりタイマ初期値として「０」をセットするとともに、普図変動時間に対応する普図変動終了判定値を設定するようにしてもよい。この場合には、図１８に示すステップＳ１４１の普通図柄変動処理が実行されるごとに、例えば普図変動タイマの値を１加算するように更新し、その値が普図変動終了判定値に達したときに、普通図柄の変動を開始してからの経過時間が普図変動時間に達した旨の判定を行うようにすればよい。
【０１８６】
ステップＳ３５９にて普図変動時間を設定した後には、主基板１１から演出制御基板１２に対して普図変動開始コマンドを送信するための設定を行う（ステップＳ３６０）。ここで、普図変動開始コマンドは、ステップＳ３５６の処理にて判定された普図表示結果や、ステップＳ３５９の処理にて設定された普図変動時間などを示す演出制御コマンドであればよい。例えば、ステップＳ３６０の処理において、ＣＰＵ１０３は、ＲＯＭ１０１に記憶された普図変動開始コマンドテーブルを構成するテーブルデータの先頭アドレスを、ＲＡＭ１０２の所定領域などに設けられた送信コマンドポインタにセットする。こうしてステップＳ３６０での設定を行った場合には、普通図柄判定処理が終了してから図１２に示すステップＳ１７のコマンド制御処理が実行されることにより、主基板１１から演出制御基板１２に対して普図変動開始コマンドが送信されることになる。演出制御基板１２の側では、この普図変動開始コマンドに応じて第１特定演出の実行有無を決定する。第１特定演出を実行する場合には、演出制御基板１２の普図変動開始コマンドが示す普図表示結果や普図変動時間に応じて特定演出の演出結果や演出内容を決定する。このようにして、普通図柄の変動開始を契機とする第１特定演出を普図変動結果に応じて実行することが出来る。
【０１８７】
なお、普図変動開始コマンドとは別に、普図表示結果を示す演出制御コマンドを、主基板１１から演出制御基板１２に対して送信するようにしてもよい。ただし、普図変動開始コマンドにより普図表示結果が示されることで、別個に普図表示結果を示す演出制御コマンドを送信する必要がなくなることから、主基板１１から演出制御基板１２に対して送信する演出制御コマンドの数を削減して、主基板１１における制御負担や記憶データの容量を低減することができる。
【０１８８】
ステップＳ３６０にて普図変動開始コマンドの送信設定を行った後には、普図プロセスフラグの値を普通図柄変動処理に対応した値である“１”に更新してから（ステップＳ３６１）、普通図柄判定処理を終了する。
【０１８９】
次に、演出制御基板１２における動作を説明する。演出制御基板１２では、電源基板等から電源電圧の供給を受けると、演出制御用ＣＰＵ１２０が起動して、図２１のフローチャートに示すような演出制御メイン処理を実行する。図２１に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。
【０１９０】
その後、タイマ割込みフラグがオンとなっているか否かの判定を行う（ステップＳ７２）。タイマ割込みフラグは、例えば演出制御フラグ設定部１９１などに設けられ、ＣＴＣのレジスタ設定に基づき所定時間（例えば２ミリ秒）が経過するごとにオン状態にセットされる。このとき、タイマ割込みフラグがオフであれば（ステップＳ７２；Ｎｏ）、ステップＳ７２の処理を繰り返し実行して待機する。
【０１９１】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えば演出制御バッファ設定部１９４に設けられた演出制御コマンド受信用バッファに格納する。その後、演出制御用ＣＰＵ１２０は、割込み許可に設定してから、コマンド受信割込み処理を終了する。
【０１９２】
ステップＳ７２にてタイマ割込みフラグがオンである場合には（ステップＳ７２；Ｙｅｓ）、タイマ割込みフラグをクリアしてオフ状態にするとともに（ステップＳ７３）、コマンド解析処理を実行する（ステップＳ７４）。ステップＳ７４にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。例えば、図１９のステップＳ３６０で主基板１１から送信された普図変動開始コマンドに基づいて、演出制御バッファ設定部１９４の所定領域に設定された普図変動開始コマンド受信フラグをセットする等の処理が実行される。
【０１９３】
ステップＳ７４にてコマンド解析処理を実行した後には、演出制御プロセス処理を実行する（ステップＳ７５）。ステップＳ７５の演出制御プロセス処理では、例えば画像表示装置５の画面上における演出画像の表示動作、スピーカ８Ｌ、８Ｒからの音声出力動作、遊技効果ランプ９及び装飾用ＬＥＤといった装飾発光体における点灯動作、演出用可動部材３２Ａ〜３２Ｃの駆動動作といった、各種の演出装置を用いた演出動作の制御内容について、主基板１１から送信された演出制御コマンド等に応じた判定や決定、設定などが行われる。
【０１９４】
ステップＳ７５の演出制御プロセス処理に続いて、演出用乱数更新処理が実行され（ステップＳ７６）、演出制御に用いる各種の乱数値として、演出制御カウンタ設定部１９３のランダムカウンタによってカウントされる乱数値を示す数値データを、ソフトウェアにより更新する。その後、ステップＳ７２の処理に戻る。
【０１９５】
図２２は、演出制御プロセス処理として、図２１のステップＳ７５にて実行される処理の一例を示すフローチャートである。図２２に示す演出制御プロセス処理において、演出制御用ＣＰＵ１２０は、まず、第１特定演出の有無や演出態様を決定する第１特定演出決定処理を実行する（ステップＳ１６１）。
【０１９６】
図２３〜図２５は、図２２のステップＳ１６１にて実行される第１特定演出決定処理の一例を示すフローチャートである。第１特定演出決定処理では、普通図柄の変動表示が開始されたことに基づき、第１特定演出が開始される。
【０１９７】
第１特定演出決定処理において、演出制御用ＣＰＵ１２０は、第１特定演出を実行中であることを示す第１特定演出実行中フラグがセットされているか否かを確認する（ステップＳ７３１）。第１特定演出実行中フラグがセットされていなければ、演出制御用ＣＰＵ１２０は、第２特定演出を実行中であることを示す第２特定演出実行中フラグがセットされているか否かを確認する（ステップＳ７３２）。第２特定演出実行中フラグがセットされている場合には、処理を終了する。第２特定演出実行中フラグがセットされていない場合には、ステップＳ７３３に移行する。
【０１９８】
ステップＳ７３３では、演出制御用ＣＰＵ１２０は、次変動実行フラグ（次に開始される特別図柄および飾り図柄の変動中に第１特定演出を実行することに決定されていることを示すフラグ）がセットされているか否か確認する。次変動実行フラグがセットされている場合には、後述する図２４のステップＳ７５１に移行する。
【０１９９】
次変動実行フラグがセットされていない場合には、演出制御用ＣＰＵ１２０は、実行待ちフラグ（特定演出の実行が決定されたが、特別図柄が変動していないため特定演出の開始を一定期間が経過するまで待っている状態であることを示すフラグ）がオンであるか否か確認する（ステップＳ７３４）。実行待ちフラグがオンでない場合（ステップＳ７３４；ＮＯ）には、ステップＳ７３５に移行する。実行待ちフラグがオンである場合（ステップＳ７３４；ＹＥＳ）には、後述する図２４のステップＳ７４６Ａに移行する。
【０２００】
実行待ちフラグがオンでない場合には、演出制御用ＣＰＵ１２０は、遊技状態データが、高ベース状態を示す値になっているか否か確認する（ステップＳ７３５）。高ベース状態を示す値になっている場合（ステップＳ７３５；ＹＥＳ）には、処理を終了する。
【０２０１】
実行待ちフラグがオンでない場合には、演出制御用ＣＰＵ１２０は、現在が特定演出実行禁止期間であるか否か確認する（ステップＳ７３６）。例えばスーパーリーチ演出（スーパーリーチＢ）で動画再生を実行している場合など、特定演出実行禁止期間である場合には、（ステップＳ７３６；ＹＥＳ）には、特定演出は実行できないため、処理を終了する。
【０２０２】
一方、特定演出実行禁止期間でない場合には（ステップＳ７３６；ＮＯ）、演出制御用ＣＰＵ１２０は、大当り遊技状態であるか否か確認する（ステップＳ７３７）。大当り遊技状態であるか否かは、例えば演出制御プロセスフラグの値で確認される。その場合、演出制御用ＣＰＵ１２０は、演出制御プロセスフラグの値が４以上であるときに大当り遊技状態であるとする。大当り遊技状態である場合には（ステップＳ７３７；ＹＥＳ）、処理を終了する。
【０２０３】
大当り遊技状態でない場合には（ステップＳ７３７；ＮＯ）、演出制御用ＣＰＵ１２０は、普図変動開始コマンド（普通図柄変動開始指定（当り）コマンドまたは普通図柄変動開始指定（はずれ）コマンド）を受信したことを示す普図変動開始コマンド受信フラグ（普通図柄変動開始指定（当り）コマンド受信フラグまたは普通図柄変動開始指定（はずれ）コマンド受信フラグ）がセットされているか否か確認する（ステップＳ７３８）。セットされていない場合には（ステップＳ７３８；ＮＯ）、普通図柄が変動開始に基づく第１特定演出の実行は開始されないので、処理を終了する。
【０２０４】
一方、普図変動開始コマンド受信フラグがセットされている場合には（ステップＳ７３８；ＹＥＳ）、ステップＳ７３９に移行する。ステップＳ７３９では、演出制御用ＣＰＵ１２０は、例えば、図２６に示すように、第１特定演出の実行有無・及び実行する場合の演出種別を決定する。具体的には、ＲＯＭ１２１の所定領域に保存された図２６の決定割合に応じた第１特定演出有無・種別決定テーブルを参照して決定する。第１特定演出有無・種別決定テーブルは、普図変動開始コマンドが示す遊技の結果（普通図柄の変動結果）に応じて、演出用変数の乱数値と比較される数値（決定値）が、第１特定演出の実行有無及び実行される場合の演出種別のいずれかに割り当てらたテーブルであればよい。ステップＳ７３９では、普通図柄の変動結果が「当り」か「ハズレ」かに応じた異なる割合で、第１特定演出の実行有無と、実行される場合の演出内容（特定演出の演出結果として導出される態様、及び選択演出で選択される選択対象の種別など）が決定される。
【０２０５】
第１特定演出では、遊技の結果が第１の結果（「普図当り」）となることを示唆する第１種別の態様（例えば、「電チュー」と記された画像など）と、第２の結果（「普図ハズレ」）となることを示唆する第２種別の態様（例えば、「ハズレ」や「ポイントゲット」と記された画像など）と、のいずれかを演出結果として導出する。図２６に示す決定例では、遊技の結果が「普図当り」（第１の結果）となる場合には、「普図ハズレ」（第２の結果）となる場合よりも高い割合で第１種別の態様を演出結果として決定する。一方、遊技の結果が「普図ハズレ」（第２の結果）となる場合には、「普図当り」（第１の結果）となる場合よりも高い割合で第２種別の態様を演出結果として決定する。その結果、遊技の結果に応じて適切な内容の第１特定演出を実行できる。
【０２０６】
また、ステップＳ７３９では、最終的な演出結果として導出される画像の態様のほか、第１特定演出の選択演出で何れの種別の選択肢が選択対象として選択されるかも決定する。図２６の例では、演出結果の態様（選択演出で選択された対象から、変化演出で変化する態様）が第２の結果を示唆する第２種別の態様である場合には、高い割合で第２態様の選択肢が選択対象として決定される。一方、演出結果として第１の結果を示唆する第１種別の態様が決定された場合には、高い割合で第１態様の選択肢が選択対象として決定されるように、第１特定演出有無・種別決定テーブルの決定値が割り当てられている。その結果、選択演出で第１態様の選択肢が選択された場合には、変化演出で第１種別の態様に変化する割合が高くなる一方、第２態様の選択肢が選択された場合には第２種別の態様に変化する割合が高くなるように演出内容を制御できる。
【０２０７】
図２６では、第２の結果を示唆する第２種別の態様として、演出ポイントを付加する態様（「ポイントゲット」）が含まれている。演出結果として第２の結果（普図ハズレ）となることを示唆するだけでは、遊技者が落胆してしまう恐れがある。そこで、本実施の形態では第２の結果を示唆するにあたって「ハズレ」と表示する変わりに、遊技の進行とは関連しない所定の遊技価値（演出ポイント）が付与されることを示唆する。これにより、単に「ハズレ」と表示するよりも遊技者の落胆を軽減できる。
【０２０８】
また、図２６に示す例では、普図当りとなる場合であっても、１０％の低い割合で特定演出を実行しない場合があるように構成しているが、普図当りとなる場合には、１００％の割合で特定演出を実行するように構成してもよい。
【０２０９】
演出制御用ＣＰＵ１２０は、ステップＳ７３９の処理において、特定演出決定用乱数を抽出し、特定演出決定用乱数が特定演出を実行することに対応する判定値のいずれかと一致した場合に、特定演出を実行することに決定する。なお、演出制御用ＣＰＵ１２０は、普通図柄変動開始指定（はずれ）コマンド受信フラグがセットされている場合には、第１特定演出決定テーブルにおける「普通図柄はずれ」に関する判定値を使用し、普通図柄変動開始指定（当り）コマンド受信フラグがセットされている場合には、第１特定演出決定テーブルにおける「普通図柄当り」に関する判定値を使用する。なお、図２１のステップＳ７４のコマンド解析処理にて演出制御バッファに格納した普図変動開始コマンドを確認することにより普図当りであるか否かを判定し、普図当りであれば「普通図柄当り」に関する判定値を使用し、普図当りでなければ「普通図柄はずれ」に関する判定値を使用するようにしてもよい。
【０２１０】
また、演出制御用ＣＰＵ１２０は、ステップＳ７３９の処理を実行するときに、普図変動開始コマンド受信フラグをリセットする。なお、演出制御用ＣＰＵ１２０は、ステップＳ７３１で「Ｙｅｓ」と判定した場合にも、普図変動開始コマンド受信フラグがセットされていた場合には、普図変動開始コマンド受信フラグをリセットする。また、演出制御用ＣＰＵ１２０は、ステップＳ７３２，Ｓ７３５，Ｓ７３６，Ｓ７３７，Ｓ７３８で「Ｙｅｓ」と判定した場合や、ステップＳ７３３，Ｓ７３４で「Ｎｏ」と判定した場合にステップＳ７３９の処理に移行しなかった場合にも、セットされている普図変動開始コマンド受信フラグをリセットする。このような制御により、すでに特定演出の実行中である場合や、特定演出の実行が決定されている場合、高ベース状態・大当り遊技中・特定演出禁止期間など特定演出を実行するに適さない期間に新たな第１特定演出を開始することを防止することができる。
【０２１１】
次に、ステップＳ７４０にて、演出制御用ＣＰＵ１２０は、ステップＳ７３９にて第１特定演出を実行することに決定したか否か確認する。第１特定演出を実行することに決定されていない場合には（Ｓ７４０；Ｎｏ）、処理を終了する。
【０２１２】
一方、第１特定演出を実行することに決定した場合には、演出制御用ＣＰＵ１２０は、特別図柄の変動中であるか否か確認する（ステップＳ７４３）。特別図柄の変動中であるか否かは、例えば、演出制御プロセスフラグの値が飾り図柄変動中処理または飾り図柄変動停止処理に対応する値であるか否かによって判定される。特別図柄の変動中でなければ、ステップＳ７４４に移行する。特別図柄の変動中である場合には、演出制御用ＣＰＵ１２０は、実行中の変動パターンにおいて第１特定演出を実行可能であるか否か確認する（ステップＳ７４６）。具体的には、まず第１特定演出の終了タイミングと、実行中の特図変動の終了タイミングと、を比較する。比較の結果、特図変動の方が早く終了する場合には第１特定演出が実行できないと判定して（ステップＳ７４６；Ｎｏ）、ステップＳ７４７に移行する。本実施の形態では、普通図柄の変動終了タイミングが、第１特定演出の終了タイミングとする。この場合、ステップＳ７３８で確認した普図変動開始コマンドの変動時間が示す普図の変動時間（例えば、３０秒：可変入賞球装置が遊技球が進入しやすい状態に制御されるまでの期間に相当）を参照することで、第１特定演出の終了タイミングを求めることができる。一方、実行中の特図変動の終了タイミングは、図１７のステップＳ２７２で主基板１１から送信される変動パターン指定コマンドが示す変動時間と、演出制御プロセスタイマが示す変動開始時からの経過時間と、に基づいて求めることができる。
【０２１３】
また本実施の形態では、ステップＳ７４６において、実行中の特図変動の演出制御パターンに特定演出実行禁止期間が設定されている場合には、特定演出実行禁止期間の開始タイミングまでに第１特定演出が終了可能か否かも確認する。特定演出実行禁止期間の開始タイミングは、後述する可変表示開始設定処理（図３３）において演出制御バッファ設定部１９４に格納された演出制御パターンに含まれる特定演出実行禁止期間に関する情報と、演出制御タイマ設定部１９２に格納された演出制御プロセスタイマが示す変動開始時からの経過時間と、に基づいて求めることが出来る。第１特定演出の終了タイミングが、特図変動の終了タイミング又は特定演出実行禁止期間の開始タイミングよりも早い場合には、演出制御用ＣＰＵ１２０は実行中の変動で第１特定演出が実行できると判定して（ステップＳ７４６；Ｙｅｓ）、後述する図２５のステップＳ７７０に移行する。
【０２１４】
なお、ここでは第１特定演出で第１の結果（「普図当り」）となることを示唆したタイミングと可変入賞球装置が遊技球が進入しやすい状態に制御されるタイミングの差を縮めるために、第１特定演出と普図変動時間とを対応させた。これらのタイミングの差を許容する場合には、第１特定演出の終了タイミングを普通図柄の変動終了タイミングよりも早く設定することにより、第１特定演出が実行されない割合を少なくすることが出来る。
【０２１５】
実行中の変動が第１特定演出が実行できないと判定した場合には、演出制御用ＣＰＵ１２０は、保留記憶がある（少なくとも第１保留記憶数カウンタの値と第２保留記憶数カウンタの値とのいずれかが０でない）か否か確認する（ステップＳ７４８）。保留記憶がない場合には（ステップＳ７４８；ＮＯ）、ステップＳ７５４に移行する。ステップＳ７５４では、演出制御用ＣＰＵ１２０は第１特定演出の実行を中止するための処理（特定演出実行中止処理）を実行する。具体的には、演出制御バッファ設定部１９４の対応する領域をフラッシュしてステップＳ７３９で決定した内容をキャンセルし、実行待ち期間計測タイマや演出短縮用タイマをリセットする。そして、演出制御用ＣＰＵ１２０は第１特定演出決定処理を終了する。
【０２１６】
保留記憶がある場合には（ステップＳ７４８；Ｙｅｓ）、演出制御用ＣＰＵ１２０は、次変動実行フラグをセットする（ステップＳ７４９）。この結果、保留記憶に係る次の変動で第１特定演出が実行される。そして、演出短縮用タイマをセットする（ステップＳ７５０）。演出短縮用タイマは、普図変動開始コマンドを受信してから第１特定演出が開始されるまでの待ち時間分だけ第１特定演出を短縮するために、第１特定演出が始まるまでの時間を計測するために用いられる。そして、演出制御用ＣＰＵ１２０は第１特定演出決定処理を終了する。
【０２１７】
なお、ここでは普通図柄の変動結果を示唆する第１特定演出と特別図柄の変動結果を示唆する第２特定演出を遊技者に認識させない事を重視して、実行中の特図変動中に第１特定演出が終わらない場合であって、次の変動に係る保留情報がない場合には第１特定演出の実行をキャンセルした。しかし、特定演出が実行されるタイミングをより多様にすることを重視する場合には、複数の特図変動に跨って特定演出が実行されることや、特図変動が終了したのち新たな特図変動が開始されるまでの期間に特定演出が実行されることを許容してもよい。この場合には、ステップＳ７４６〜Ｓ７５０の処理を省略して、実行中の特別図柄の可変表示期間にかかわらず特定演出の実行内容を決定すればよい。あるいは、実行中の可変表示期間では特定演出が終わらない場合は、可変表示期間が短い変動種別である「リーチなしはずれ」である割合が多いので、変動種別が「リーチなしハズレ」である場合にのみステップＳ７４６の確認処理を実行することで処理を簡略化してもよい。
【０２１８】
ステップＳ７４９で次変動実行フラグがセットされた場合、次の演出制御メイン処理のループ（図２１のステップＳ７２〜Ｓ７６のループ）で実行される第１特定演出決定処理のステップＳ７３３でＹｅｓと判定される。この場合、次に演出制御用ＣＰＵ１２０は演出短縮用タイマを経過時間に対応して更新する（ステップＳ７５１）。
【０２１９】
そして、演出制御用ＣＰＵ１２０は第１特定演出の短縮時間が最大短縮時間を経過したか否か確認する（ステップＳ７５２）。具体的には、演出短縮用タイマが示す演出短縮時間と、第１特定演出を実行可能な最大短縮時間（例えば、１０秒）と、を比較してタイマの値が大きい場合には最大短縮時間を経過したと判定する（ステップＳ７５２；Ｙｅｓ）。この場合には、もはや第１特定演出が実行できないので、ステップＳ７５４にスキップして第１特定演出の実行を中止する。
【０２２０】
一方、未だは最大短縮時間を経過していない場合には（ステップＳ７５２；Ｎｏ）、次に演出制御用ＣＰＵ１２０はステップＳ７４８で確認した次の変動が開始されたか否か確認する（Ｓ７５３）。具体的には、演出制御プロセスフラグの値が“１”に更新された場合に、次の変動が開始されたと判定する（ステップＳ７５３；Ｙｅｓ）。この場合には、第１特定演出を開始するためにステップＳ７７０に移行する。一方、演出制御プロセスフラグの値が実行中の可変表示中である“２”から変化していないなど、未だ次の変動が開始していない場合には（ステップＳ７５３；Ｎｏ）、次の変動を待つため第１特定演出決定処理を終了する。
【０２２１】
一方、ステップＳ７４３にて特別図柄の変動中でないと判定すると（ステップＳ７４３；Ｎｏ）、演出制御用ＣＰＵ１２０は実行待ちフラグをセットする（ステップＳ７４４）。この結果、第１特定演出の実行を所定時間（例えば３秒）だけ遅らせるための変動待ち状態となる。特別図柄の可変表示が実行されていない場合に特定演出が開始されると、普通図柄の表示結果を示唆する第１特定演出であることを把握できるため、遊技者の演出への興味が低下する恐れがある。このような構成によれば、こたとえ普図変動開始コマンド受信時に特図図柄の可変表示が実行されていないばあいでも、変動待ち状態である所定時間の間に特図図柄の可変表示が開始される可能性があるので、遊技者の演出への興味の低下を低減することができる。
【０２２２】
そして、演出制御用ＣＰＵ１２０は実行待ち期間計測タイマをセットする（ステップＳ７４５）。実行待ち期間計測タイマは、特別図柄が変動中でないタイミングで普図変動開始コマンドを受信してから第１特定演出を開始するまでの時間を計測するために用いられる。そして、演出制御用ＣＰＵ１２０は第１特定演出決定処理を終了する。
【０２２３】
ステップＳ７４４で実行待ちフラグがセットされた場合、次の演出制御メイン処理のループ（図２１のステップＳ７２〜Ｓ７６のループ）で実行される第１特定演出決定処理のステップＳ７３４でＹｅｓと判定される。この場合、次に演出制御用ＣＰＵ１２０は実行待ち期間計測タイマを経過時間に対応して更新する（ステップＳ７４６Ａ）。
【０２２４】
そして、演出制御用ＣＰＵ１２０は第１特定演出の実行待ち期間が所定の待ち時間（例えば３秒）を経過したか否か確認する（ステップＳ７４７）。所定の待ち時間が経過した場合には（ステップＳ７４７；Ｙｅｓ）、第１特定演出を開始するためにステップＳ７７０に移行する。一方、未だ待ち時間が経過していない場合には（ステップＳ７４７；Ｎｏ）、待ち時間の経過を待つため第１特定演出決定処理を終了する。
【０２２５】
なお、ここでは処理の簡略化のために特別図柄の変動が開始されたか否かに関わらず所定時間だけ第１特定演出の開始を遅らせた。これに限らず、待ち時間中に特別図柄の変動が開始した場合に直ちに第１特定演出を開始させてもよい。このためには、ステップＳ７４７の前に、ステップＳ７５３と同様に新たな変動が開始されたか否かを判定し、開始された場合にはステップＳ７７０に移行すればよい。
【０２２６】
ステップＳ７４６、ステップＳ７４７及びステップＳ７５３の何れかでＹｅｓと判定された場合に、演出制御用ＣＰＵ１２０は第１特定演出を開始するための処理を実行する。まず、演出制御用ＣＰＵ１２０はまず図２５のステップＳ７７０にてこれから開始される第１特定演出の候補演出で表示する候補の種別割合を決定する。具体的には、ＲＯＭ１２１の所定領域に保存された候補割合決定テーブルを参照して、図２７の決定例のように表示する候補の種別割合を決定すればよい。候補割合決定テーブルは、ステップＳ７３９で決定した演出結果に応じて、演出用変数の乱数値と比較される数値（決定値）が、第１種別及び第２種別の表示候補の割合（数）のいずれかに割り当てられたテーブルである。ステップＳ７７０では、ステップＳ７３９で決定された演出結果が第１の結果を示唆する態様か否かに応じた異なる割合で、第１の種別の表示割合が決定される。この決定例では、表示される候補の総数を所定数（例えば５）に固定した上、そのうち第１種別の候補（及び第２種別の候補）が占める数を決定することにより、割合を決定する。そして、ステップＳ７３９で演出結果として第１の結果を示唆する態様を導出することを決定した場合には、第１の結果を示唆する第１種別の候補を多く表示する。このため、候補演出で示される第１の結果となることを示唆する態様の数によって、第１の結果となる割合（信頼度）を示すことが出来る。
【０２２７】
また、図２８の決定例では、候補演出で示される第１の結果となることを示唆する態様の候補（第１種別の候補）が多いほど、より多くの第１の結果を報知する態様へ変化する割合の高い種類の選択肢（第１態様の選択肢）を用いることを決定する割合が高い。例えば、所定数以上（例えば、２つ以上）の第１種別の候補が示される場合には、所定数未満である場合よりも、２つ以上の第１態様の選択肢を用いることを決定する割合が高い。つまり、第１態様の選択肢を用いる数の期待値が高い。この結果、対象から変化させる態様の候補として第１の結果となることを示唆する態様を多く示した場合には、第１の結果となることを示唆する態様に変化する割合が高い種類の選択肢を多く用いて選択演出を実行するので、選択演出と遊技の結果とが関連するかのような印象を遊技者に与えることが出来る。そのため、特定演出の演出効果を向上して遊技の興趣を高めることができる。
【０２２８】
なお、ここでは第１種別の態様として特別図柄の変動結果が大当りとなることを示唆する態様（「チャンス」・「アツイ」等）が含まれている。このような構成により、演出結果として普通図柄の変動結果を示唆する場合でも、特別図柄の変動結果が第１の結果（「大当り」）となることが示唆される可能性があるかのような印象を遊技者に与えることができる。その結果、遊技者の特定演出への注目度を向上出来る。
【０２２９】
ステップＳ７７０で種別割合を決定すると、次に演出制御用ＣＰＵ１２０は表示候補の具体的な割り振りを決定する（ステップＳ７７１）。決定方法は、ステップＳ７３９で決定された演出結果に対応する候補を最低一つ示す限り任意に設定してよいが、ここでは演出への関心をより高めるために以下のように決定する。
【０２３０】
まず、ステップＳ７７０で決定された演出結果の種別の候補のうち、ステップＳ７３９で決定された演出結果に対応する候補を一つ決定する。例えば演出結果が「ハズレ」である場合には、第２種別の一つを「ハズレ」として確定する。そして、第２種別の候補を複数示す場合には、他の候補を複数の第２種別の態様（「ハズレ」及び「ポイントゲット」）からランダムに決定していく。このとき、複数の演出結果の候補が高い割合で（例えば他の候補の２倍の割合で）選択されるように設定する。演出結果とは異なる種別（演出結果が第２種別である場合の第１種別、演出結果が第１種別である場合の第２種別）の候補については、割合の偏り無くランダムに決定すればよい。
【０２３１】
ステップＳ７７１で候補演出で表示する候補を決定した後、演出制御用ＣＰＵ１２０は選択演出で使用する選択肢を決定する（ステップＳ７７２）。ステップＳ７７２では、演出制御用ＣＰＵ１２０は、例えば、図２８に示すように、第１特定演出の選択演出で使用する選択肢の内訳を決定する。具体的には、ＲＯＭ１２１の所定領域に保存された図２８の決定割合に応じた選択肢決定テーブルを参照して決定する。選択肢決定テーブルは、ステップＳ７７０で決定した第１種別の候補の数に応じて、演出用変数の乱数値と比較される数値（決定値）が、第１態様及び第２態様の選択肢の（数）のいずれかに割り当てらたテーブルであればよい。ステップＳ７７０では、ステップＳ７７０で決定した第１種別の候補の数に応じた異なる割合で、使用する第１態様及び第２態様の選択肢の数が決定される。
【０２３２】
この決定例では、ステップＳ７７０で第１種別の候補を多く示すと決定された場合に、第１種別の候補に変化する割合が高い第１態様の選択肢を多く用いることを決定する。よって、選択演出で選択された対象から変化させる態様の候補として第１の結果となることを示唆する態様（第１種別の態様）を多く示した場合には、第１の結果となることを示唆する態様に変化する割合が高い種類の選択肢（第１態様の選択肢）を多く用いて選択演出を実行することができる。このような特定演出を実行することにより、選択演出と遊技の結果とが関連するかのような印象を遊技者に与えることが出来る。そのため、特定演出の演出効果を向上して遊技の興趣を高めることができる。
【０２３３】
なお、ステップＳ７７２では、図２８の（Ａ）及び（Ｂ）に示すように、ステップＳ７３９で決定した選択対象の態様に応じて異なる選択肢決定テーブルを用いる。ステップＳ７３９で第１態様の選択肢が選択されることを決定した場合には、少なくとも図２８（Ａ）のように、少なくとも一つの第１態様の選択肢を用いるように設定されたテーブルを使用する。一方、第２態様の選択肢が選択されることを決定した場合には、少なくとも図２８（Ｂ）のように、少なくとも一つの第２態様の選択肢を用いるように設定されたテーブルを使用する。このような処理により、選択演出の結果として選択される選択肢と、選択演出で用いられる選択肢とを整合した、違和感の無い選択演出が実行できる。
【０２３４】
次に、ステップＳ７７３において、演出制御用ＣＰＵ１２０は、次変動実行フラグがセットされているか否か確認する。次変動実行フラグがセットされている場合には（ステップＳ７７３；Ｙｅｓ）、演出短縮用タイマの値（ステップＳ７５０，Ｓ７５１参照）に応じた特定演出パターンを選択する（ステップＳ７７４）。具体的には、特定演出のパターンを、未短縮の演出時間（普通図柄の変動時間に対応；例えば３０秒）から演出短縮用タイマの値を減算した期間を演出期間とするパターンに決定する。
【０２３５】
次変動実行フラグがセットされていない場合には（ステップＳ７７３；Ｎｏ）、演出制御用ＣＰＵ１２０は、実行待ちフラグ（ステップＳ７４４参照）がセットされているか否か確認する（ステップＳ７７５）。実行待ちフラグがセットされている場合には（ステップＳ７７５；Ｙｅｓ）、演出制御用ＣＰＵ１２０は、未短縮の演出時間（普通図柄の変動時間に対応；例えば３０秒）から変動待ち時間（ここでは３秒）を減算した期間を演出期間とするパターンに決定する（ステップＳ７７６）。
【０２３６】
実行待ちフラグがセットされていない場合には（ステップＳ７７５；Ｎｏ）、演出制御用ＣＰＵ１２０は、未短縮の演出時間を演出期間とする特定演出の演出パターンを選択する（ステップＳ７７７）。標準（未短縮）の演出パターンとして、例えば、未短縮の演出時間（３０秒）を演出期間とする特定演出について、最初の３秒間を候補演出に、次の２０秒間を変化演出に、続く４秒間を変化演出に、最後の３秒間を結果表示演出に、といったように演出のスケジュールが設定されたデータを記録しておく。これに対して、ｎ秒間短縮した特定演出を実行する場合には、変化演出をｎ秒間減少するなど、短縮した演出時間に応じて各演出の演出期間を決定すればよい。あるいは、想定される短縮時間に応じた演出スケジュールを示したデータをそれぞれＲＯＭ１２１等に保存しておき、ステップＳ７７４又はステップＳ７７６にて短縮時間に応じたデータを演出パターンとして決定すればよい。その他、演出モード等のパチンコ遊技機１の状態に応じて、候補演出で表示する候補や結果表示演出で表示する画像・選択肢等の使用データ、演出実行用プログラムを示すデータを、演出パターンとして決定する。
【０２３７】
そして、演出制御用ＣＰＵ１２０は、第１特定演出実行中フラグをセットする（ステップＳ７７８）なお、第１特定演出実行中フラグをセットする場合、第１特定演出の内容を特定可能な情報を演出制御バッファ設定部１９４の所定領域に一時記憶する。この場合、例えばステップＳ７３９やステップＳ７７０，ステップＳ７７１及びステップＳ７７３で決定した内容を示すデータを一時記憶すればよい。そして演出制御用ＣＰＵ１２０は、第１特定演出タイマに、決定された特定演出の演出期間に応じた時間に対応する値をセットする（ステップＳ７７９）。そして、第１特定演出決定処理を終了する。
【０２３８】
なお、この実施の形態では、具体的は、第１及び第２特定演出は、特定演出制御パターンに設定されているデータに従って演出制御を実行することによって実現される。その場合には、演出制御用ＣＰＵ１２０は、ステップＳ７７９の処理で、決定された特定演出のパターンに応じた特定演出制御パターンを選択し、選択した特定演出制御パターンに設定されているデータを用いて画像表示装置５の表示制御等を開始する。なお、特定演出制御パターンは、あらかじめＲＯＭ１２１に格納されている。
【０２３９】
図２２に戻って、ステップＳ１６１の第１特定演出決定処理の次に、演出制御用ＣＰＵ１２０は第２特定演出決定処理を実行する（ステップＳ１６２）。図２９は、第２特定演出決定処理（ステップＳ１６１）を示すフローチャートである。第２特定演出決定処理では、演出制御用ＣＰＵ１２０は、まず、新たな変動カテゴリコマンドを受信したか否かを確認する（ステップＳ５２０１）。新たな変動カテゴリコマンドを受信した場合には（ステップＳ５２０１；Ｙｅｓ）、演出制御用ＣＰＵ１２０は、第１特定演出実行中フラグがセットされているか否かを確認する（ステップＳ５２０２）。第１特定演出実行中フラグがセットされていなければ（ステップＳ５２０２；Ｎｏ）、演出制御用ＣＰＵ１２０は、第２特定演出実行中フラグがセットされているか否かを確認する（ステップＳ５２０３）。第２特定演出実行中フラグがセットされていなければ（ステップＳ５２０３；Ｎｏ）、演出制御用ＣＰＵ１２０は、第２特定演出の実行が決定されていることを示す第２特定演出決定フラグがセットされているか否かを確認する（ステップＳ５２０４）。
【０２４０】
第２特定演出決定フラグもセットされていなければ（ステップＳ５２０４；Ｎｏ）、演出制御用ＣＰＵ１２０は、実行待ちフラグ（図２４のステップＳ７４４参照）がセットされているか否か確認する（ステップＳ５２０５）。実行待ちフラグがセットされていなければ（ステップＳ５２０５；Ｎｏ）、演出制御用ＣＰＵ１２０は、次変動実行フラグがセットされているか否か確認する（ステップＳ５２０６）。
【０２４１】
次変動実行フラグがセットされていない場合には（ステップＳ５２０６；Ｎｏ）、演出制御用ＣＰＵ１２０は、遊技状態が高ベース状態になっているか否か確認する（ステップＳ５２０７）。高ベース状態になっている場合には（ステップＳ５２０７；Ｙｅｓ）、処理を終了する。
【０２４２】
高ベース状態になっていない場合には、演出制御用ＣＰＵ１２０は、遊技状態が大当り遊技状態であるか否か確認する（ステップＳ５２０８）。大当り遊技状態であるか否かは、例えば演出制御プロセスフラグの値で確認される。その場合、演出制御用ＣＰＵ１２０は、演出制御プロセスフラグの値が４以上であるときに大当り遊技状態であるとする。大当り遊技状態である場合には（ステップＳ５２０８；Ｙｅｓ）、処理を終了する。
【０２４３】
大当り遊技状態でなければ（ステップＳ５２０９；Ｎｏ）、演出制御用ＣＰＵ１２０は、例えば図３０（Ａ）の決定例のように、第２特定演出の実行有無・及び実行する場合の演出種別を決定する（ステップＳ５２０９）。ここでは、図２４のステップＳ７３９で第１特定演出について実行したように、ＲＯＭ１２１の所定領域に保存された第２特定演出有無・種別決定テーブルを参照して決定する。第２特定演出有無・種別決定テーブルは、特図カテゴリコマンドが示す遊技の結果（特別図柄の変動結果）に応じて、演出用変数の乱数値と比較される数値（決定値）が、第２特定演出の実行有無及び実行される場合の演出種別のいずれかに割り当てらたテーブルであればよい。ステップＳ５２０９では、特別図柄の変動結果が「ハズレ」、「非確変大当り」、「確変大当り」のいずれであるかに応じた異なる割合で、第２特定演出の実行有無と、実行される場合の演出内容が決定される。
【０２４４】
第２特定演出有無・種別決定テーブルでは、演出結果として導出される遊技の結果が第１の結果（特別図柄の可変表示結果が「大当り」）となることを示唆する第１種別の態様として、大当りとなる割合（大当り信頼度）が異なる複数の態様が設定されている。図３０（Ａ）では、「大当り」となる割合が小さい順に「チャンス」・「アツイ」・「激アツ」の３つの第１種別の態様が設定されている。さらに、また、第１の結果とは異なる第２の結果（「普図当り」・「普図ハズレ」又は「特図ハズレ」）となることを示唆する第２種別の態様も、第１特定演出と同様に「ハズレ」・「ポイントゲット」の２つが設定されている。
【０２４５】
図３０（Ａ）の設定例では、遊技の結果が特図変動の「大当り」（第１の結果）となる場合には、「ハズレ」（第２の結果）となる場合よりも高い割合で第１種別の態様を演出結果として決定する。一方、遊技の結果が特図変動の「ハズレ」（第２の結果）となる場合には、「大当り」（第１の結果）となる場合よりも高い割合で第２種別の態様を演出結果として決定する。その結果、遊技の結果に応じて適切な内容の第２特定演出を実行できる。さらに、複数の第１種別の態様（第１の結果（大当り）となることを示唆する態様）を、大当りとなるか否かに応じて異なる割合で第２特定演出の演出結果として決定することにより、何れの第１種別の態様を導出するかによって、異なる大当り信頼度を遊技者に示すことができる。その結果、第２特定演出によって遊技者の期待感を煽ることができる。
【０２４６】
さらに、選択された対象の種類に応じて第１の結果となる割合（信頼度）が異なる複数の第１の結果を示唆する態様の何れに変化するかの割合が異なるため、第１特定演出と同様に、第２特定演出でも選択演出及び第１の結果を示唆する態様へ変化する変化演出への関心を更に高めることが出来る。
【０２４７】
また、ステップＳ５２０９では、最終的な演出結果として導出される画像の態様のほか、第２特定演出の選択演出で何れの種別の選択肢が選択対象として選択されるかも決定する。図３０（Ａ）の例では、演出結果の態様（選択演出で選択された対象から、変化演出で変化する態様）が第２の結果を示唆する第２種別の態様である場合には、高い割合で第２態様の選択肢が選択対象として決定される。一方、演出結果として第１の結果を示唆する第１種別の態様が決定された場合には、高い割合で第１態様の選択肢が選択対象として決定されるように、第２特定演出有無・種別決定テーブルの決定値が割り当てられている。その結果、選択演出で第１態様の選択肢が選択された場合には、変化演出で第１種別の態様に変化する割合が高くなる一方、第２態様の選択肢が選択された場合には第２種別の態様に変化する割合が高くなるように演出内容を制御できる。
【０２４８】
図３０（Ａ）の決定例では、第２の結果を示唆する第２種別の態様として、演出ポイントを付加する態様（「ポイントゲット」）が含まれている。演出結果として第２の結果となることを示唆するだけでは、遊技者が落胆してしまう恐れがある。そこで、本実施の形態では第２の結果を示唆するにあたって「ハズレ」と表示する変わりに、遊技の進行とは関連しない所定の遊技価値（演出ポイント）が付与されることを示唆する。これにより、単に「ハズレ」と表示するよりも遊技者の落胆を軽減できる。
【０２４９】
さらに、第２特定演出有無・種別決定テーブルでは、選択演出の選択肢として、特定態様（図３０（Ａ）では「星」）の選択肢が割り当てられている。ここで、特定態様の選択肢が選ばれる場合には、演出結果として導出される態様が特別態様（「激アツ」）となるように設定されている。このため、選択演出で特定態様の選択肢を選択した場合には、変化演出で特別態様に変化する。そのため、遊技者が選択演出で特定態様（星印）の選択肢が選択されるか否かについて遊技者の興味を高めることが出来る。特に、本実施の形態では特別態様が特別図柄が「大当り」となる割合が特に高いことを示す「激アツ」であるため、選択演出で特定態様の選択肢が選ばれるか否かについて、遊技者の期待を強く煽ることができる。
【０２５０】
次いで、演出制御用ＣＰＵ１２０は、先読み予告決定処理を実行する（ステップＳ５２１０）。
【０２５１】
図３１は、先読み演出処理（ステップＳ５２１０）を示すフローチャートである。先読み演出処理において、演出制御用ＣＰＵ１２０は、既に先読み演出を実行中であることを示す先読み演出実行フラグがセットされているか否かを確認する（ステップＳ７０３）。なお、先読み演出実行フラグは、後述するステップＳ７１３，Ｓ７１４でセットされる。先読み演出実行フラグがセットされている場合には（ステップＳ７０３；Ｙｅｓ）、ステップＳ７２２に移行する。
【０２５２】
ステップＳ７０３の処理が実行されることによって、先読み演出を実行中でないことを条件に先読み演出の決定処理が実行される。なお、ステップＳ７０３の処理をスキップして、複数の先読み演出を平行して実行するとしてもよい。
【０２５３】
先読み演出実行フラグがセットされていない場合には（ステップＳ７０３；Ｎｏ）、演出制御用ＣＰＵ１２０は、演出制御バッファ設定部１９４内に設定された始動口入賞指定コマンド格納領域に格納されている前回までの変動カテゴリコマンドをチェックする（ステップＳ７０８）。そして、チェック結果に基づいて先読み演出を実行可能な変動カテゴリであるか否かを判定する（ステップＳ７０９）。具体的には、始動口入賞指定コマンド格納領域の変動カテゴリコマンドを全て抽出し、抽出した各変動カテゴリコマンドにもとづいて、１つ前までの始動入賞に対する入賞時判定結果として記憶する変動カテゴリコマンドが全て変動カテゴリ１コマンド（コマンドＣ６００（Ｈ）。非リーチＣＡ２−１指定）であるか否かを確認する（ステップＳ７０９）。全て変動カテゴリ１コマンドであれば、先読み演出が実行可能なカテゴリであると判定して（ステップＳ７０９；Ｙｅｓ）、ステップＳ７０９Ａに移行する。変動カテゴリ１コマンド以外の変動カテゴリコマンドが１つでも含まれていれば、先読み演出が実行可能なカテゴリでないと判定して（ステップＳ７０９；Ｎｏ）、ステップＳ７０９Ａの処理を実行することなく、ステップＳ７２２に移行する。
【０２５４】
ステップＳ７０８及びＳ７０９の処理が実行されることによって、この実施の形態では、予告対象となる変動表示が開始されるまでの各変動表示について全て「非リーチはずれ」となることを条件に先読み演出を実行可能になる。そのように構成することによって、先読み演出の途中でリーチ演出が割り込むことにより先読み演出の連続性が損なわれる事態が防止される。なお、先読み演出の連続性を問わない場合には、予告対象までの変動表示が全て変動カテゴリ１であるか否かの判定処理（ステップＳ７０９）を行わないようにして、予告対象までの変動表示が全て「非リーチはずれ」であるか否かにかかわらず、ステップＳ７０９Ａ以降の処理を実行するようにしてもよい。
【０２５５】
先読み演出が実行可能なカテゴリであると判定した場合には（ステップＳ７０９；Ｙｅｓ）、演出制御用ＣＰＵ１２０は、入賞時判定結果と第２特定演出の実行／非実行に応じた異なる割合で、先読み演出決定テーブルを選択する（ステップＳ７０９Ａ）。そして、先読み演出決定テーブルと先読み演出決定用乱数とにもとづいて先読み演出を実行するか否か決定する（ステップＳ７１０）。具体的には、先読み演出決定用乱数を抽出し、乱数値に一致する判定値（先読み演出決定テーブルに設定されている判定値）に応じて、先読み演出を実行するか否か決定する。
【０２５６】
先読み演出決定テーブルには、先読み演出を実行しないことに対応する判定値と、先読み演出を実行することに対応する判定値とが設定されている。このようなテーブルを用いて、ステップＳ７１０の処理では、例えば図３１（Ｂ）に示すような決定割合で、先読み演出の有無と先読み演出パターンとが決定されればよい。図３１（Ｂ）に示すように、この実施の形態では、変動カテゴリコマンドによって変動パターン種別の入賞時判定結果として「スーパーリーチはずれ」または「スーパーリーチ大当り」のいずれかの判定結果が示されている場合に、高い割合で先読み演出が実行される。このため、先読み演出の対象となる特別図柄の変動表示において、「大当り」となる信頼度が高いリーチ演出（スーパーリーチ演出）が実行されることを、先読み演出で示唆できる。また、第２特定演出が実行される場合には、第２特定演出が実行されない場合に比べて高い割合で先読み演出が実行される。このため、特定演出が実行されていないときでも、先読み演出によって遊技の興趣を向上させることができる。また、高い割合で先読み演出と特定演出とが両方実行され、演出効果が高まる。
【０２５７】
また、この実施の形態では、先読み演出は、予告対象の可変表示が開始される前の各々の可変表示中において実行される。しかし、予告対象の可変表示が開始される前の複数回の可変表示（例えば、３回の可変表示）における１回または所定回（例えば、２回）の可変表示において先読み演出を実行するようにしてもよい。その場合、演出制御用ＣＰＵ１２０は、先読み演出を実行することに決定したときに、先読み演出の実行回数やどのタイミングで（どの回の可変表示において）先読み演出を実行するのかを、例えば、乱数を用いた抽選によって決定する。
【０２５８】
次に、演出制御用ＣＰＵ１２０はステップＳ７１０で先読み演出を実行すると決定したか否か確認する（ステップＳ７１１）。先読み演出を実行しないことに決定した場合には（ステップＳ７１１；Ｎｏ）、ステップＳ７２２に移行する。
【０２５９】
先読み演出を実行することに決定した場合には（ステップＳ７１１；Ｙｅｓ）、演出制御用ＣＰＵ１２０は、始動口入賞指定コマンド格納領域に格納されている最新の始動入賞指定コマンドが第１始動口入賞指定コマンドであるか否かを確認する（ステップＳ７１２）。第１始動口入賞指定コマンドが格納されていれば（ステップＳ７１２；Ｙｅｓ）、演出制御用ＣＰＵ１２０は、第１特図を用いた特図ゲームが新たに保留されたことに対応する表示部位を、先読み対象となる保留表示が通常態様とは異なる特定態様（例えば、銀色の球）で表示されるように更新する（ステップＳ７１３）。一方、最新の始動入賞指定コマンドが第１始動口入賞指定コマンドでなければ（すなわち、第２始動入賞指定コマンドが格納されている場合であれば）（ステップＳ７１２；Ｙｅｓ）、演出制御用ＣＰＵ１２０は、第２特図を用いた特図ゲームが新たに保留されたことに対応する表示部位を、先読み対象となる保留表示が通常態様とは異なる特定態様で表示されるように更新する（ステップＳ７１４）。ステップＳ７１３及びステップＳ７１４では、演出制御用ＣＰＵ１２０がさらに先読み演出実行フラグをセットする。ステップＳ７１３又はＳ７１４の後、先読み演出処理は終了する。
【０２６０】
ステップＳ７０３にて先読み演出実行中であると判定されたときや（ステップＳ７０３；Ｙｅｓ）、ステップＳ７０９にて先読み演出実行可能カテゴリでないと判定されたとき（ステップＳ７０９；Ｎｏ）、又は、ステップＳ７１１にて「実行なし」と判定されたときには（ステップＳ７１１；Ｎｏ）、演出制御用ＣＰＵ１２０は、始動入賞時受信コマンドバッファ１９４Ａに格納されている最新の始動口入賞指定コマンドが第１始動口入賞指定コマンドであるか否かを判定する（ステップＳ７２２）。
【０２６１】
第１始動口入賞指定コマンドが格納されていれば（ステップＳ７２２；Ｙｅｓ）、演出制御用ＣＰＵ１２０は、第１特図を用いた特図ゲームが新たに保留されたことに対応する表示部位を、先読み対象となる保留表示が通常態様（例えば、緑色の球）で表示されるように更新する（ステップＳ７２３）。一方、最新の始動入賞指定コマンドが第１始動口入賞指定コマンドでなければ（すなわち、第２始動入賞指定コマンドが格納されている場合であれば）（ステップＳ７２２；Ｙｅｓ）、演出制御用ＣＰＵ１２０は、第２特図を用いた特図ゲームが新たに保留されたことに対応する表示部位を、先読み対象となる保留表示が通常態様とは異なる特定態様で表示されるように更新する（ステップＳ７２４）。ステップＳ７２３又はＳ７２４の後、先読み演出処理は終了する。
【０２６２】
図２９に戻って、先読み演出処理（ステップＳ５２１０）の後、演出制御用ＣＰＵ１２０は、第２特定演出を実行することに決定したか否か確認する（ステップＳ５２１１）。第２特定演出を実行する場合には（ステップＳ５２１１；Ｙｅｓ）、ステップＳ５２１２に移行する。
【０２６３】
ステップＳ５２１２では、演出制御用ＣＰＵ１２０はこれから開始される第２特定演出の候補演出で表示する候補の種別割合を決定する。具体的には、第１特定演出（ステップＳ７７０）と同様に、ＲＯＭ１２１の所定領域に保存された候補割合決定テーブルを参照して、図３０（Ｂ）の決定例のように表示する候補の種別割合を決定すればよい。候補割合決定テーブルは、ステップＳ７３９で決定した演出結果に応じて、演出用変数の乱数値と比較される数値（決定値）が、第１種別及び第２種別の表示候補の割合（数）のいずれかに割り当てられたテーブルである。図３０（Ｂ）の決定例では、候補演出で示される第１の結果となることを示唆する態様の候補数によって、第１の結果となる割合（信頼度）を示すことが出来る。例えば、第１の結果となることを候補演出で示される第１の結果となることを示唆する態様の候補数が所定数（例えば５）以上である場合には、第１の結果（特図大当り）となる割合が所定割合（例えば５０％以上）となる。このため、候補演出で示される第１の結果となることを示唆する態様の数によって、第１の結果となる割合（信頼度）を示すことが出来るので、遊技者が提示される候補により注目するようになる。そのため、特定演出の演出効果を向上することが出来る。
【０２６４】
ステップＳ５２１３で種別割合を決定すると、次に演出制御用ＣＰＵ１２０は表示候補の具体的な割り振りを決定する（ステップＳ５２１３）。ステップＳ５２０９で決定された演出結果に対応する候補を最低一つ示す限り任意に設定してよいが、ここでは第１特定演出（図２５のステップＳ７７２）と同様に決定する。
【０２６５】
ステップＳ５２１３で候補演出で表示する候補を決定した後、演出制御用ＣＰＵ１２０は選択演出で使用する選択肢を決定する（ステップＳ５２１４）。本実施の形態では、演出制御用ＣＰＵ１２０は、第１特定演出（ステップＳ７７２）と同様に選択肢の内訳を決定する（図２８）。この結果、第２特定演出でも、選択演出で選択された対象から変化させる態様の候補として第１の結果となることを示唆する態様（第１種別の態様）を多く示した場合には、第１の結果となることを示唆する態様に変化する割合が高い種類の選択肢（第１態様の選択肢）を多く用いて選択演出を実行することができる。このような特定演出を実行することにより、選択演出と遊技の結果とが関連するかのような印象を遊技者に与えることが出来る。そのため、特定演出の演出効果を向上して遊技の興趣を高めることができる。
【０２６６】
ステップＳ５２１２〜ステップＳ５２１４で第２特定演出の具体的な内容を決定すると、演出制御用ＣＰＵ１２０は決定内容に応じた第２特定演出決定フラグをセットする（ステップＳ５２１５）。そして、第２特定演出タイマに、決定された特定演出の演出期間に応じた時間に対応する値をセットする（ステップＳ５２１６）。ステップＳ５２１６を終えるか、ステップＳ５２１１で第２特定演出を実行しないと判定した場合には（ステップＳ５２１１；Ｎｏ）、第２特定演出決定処理を終了する。なお、第２特定演出決定フラグをセットする場合、第２特定演出の内容（ステップＳ５２０９、Ｓ５２１２，Ｓ５２１３及びＳ５２１４で決定した内容）を特定可能な情報も演出制御バッファ設定部１９４に記憶する。
【０２６７】
図２２に戻って、ステップＳ１６２の第２特定演出決定処理を終えると、演出制御用ＣＰＵ１２０は特定演出実行処理を実行する（ステップＳ１６３）。図３２は、ステップＳ１６３で実行される特定演出実行処理の一例を示すフローチャートである。特定演出実行処理では、演出制御用ＣＰＵ１２０はまず特定演出実行中であるか否か確認する（ステップＳ８０１）。具体的には、演出制御フラグ設定部１９１を参照して、第１及び第２特定演出決定フラグの何れもセットされていない場合に、特定演出実行中でないと判定する（ステップ８０１；Ｎｏ）。この場合には、特定演出実行処理を終了する。
【０２６８】
第１又は第２特定演出決定フラグがセットされている場合には、特定演出実行中でないと判定して（ステップ８０１；Ｙｅｓ）、演出制御用ＣＰＵ１２０は特定演出実行タイマ（第１または第２特定演出実行タイマ）を−１する（ステップＳ８０２）。そして、更新した特定演出タイマがアップしたか否か判定する（ステップＳ８０３）。
【０２６９】
特定演出タイマがアップしていない場合には（ステップＳ８０３；Ｎｏ）、次に現在が候補演出実行期間であるか否か確認する（ステップＳ８０４）。一例として、演出制御バッファ設定部１９４に記録された実行中の特定演出の演出制御パターンが示す候補演出実行タイミングと、ステップＳ８０２で更新した特定演出タイマの値とを比較する。その結果、現在が候補演出実行期間である場合には（ステップＳ８０４；Ｙｅｓ）、候補演出を実行する（ステップＳ８０５）。一例として、現在の特定演出タイマに応じた、第１又は第２特定演出決定処理で決定した内容の候補演出を実行するための制御データ（例えば表示制御データ、音声制御データ、ランプ制御データなど）を読み出し、その制御データに対応する各種指令を作成して、表示制御部１２４や音声出力基板１３、ランプ制御基板１４などに対して伝送すればよい。
【０２７０】
一方、ステップＳ８０５を終えるか、ステップＳ８０４で候補演出実行期間で無いと判定すると（ステップＳ８０４；Ｎｏ）、演出制御用ＣＰＵ１２０は現在が選択演出を開始するタイミングであるか否か確認する（ステップＳ８０６）。一例として、演出制御バッファ設定部１９４に記録された実行中の特定演出の演出パターンが示す選択演出実行期間と、ステップＳ８０２で更新した特定演出タイマの値とを比較して、実行期間の開始時刻とタイマの値が一致すれば開始タイミングであると判定する（ステップＳ８０６；Ｙｅｓ）。この場合、演出制御用ＣＰＵ１２０は、次に現在高信頼度の演出（大当りとなる割合が特定割合よりも大きい予告演出）を実行中であるか否か確認する（ステップＳ８０７）。
【０２７１】
具体的には、まず後述する演出制御フラグ設定部１９１に設けられた演出プロセスフラグの値が、特別図柄の可変表示中であることを示す“２”であるか否か確認する。演出プロセスフラグの値が“２”である場合には、実行中の可変表示の変動パターンを確認する。そして、「大当り」となる割合が特定割合（例えば、１５％）よりも高いリーチ演出が実行される変動パターン（例えば、図４の変動パターンＰＢ５−２）である場合に、高信頼度の演出（大当りとなる割合が特定割合よりも高い）を実行中であると判定する。さらに、後述する予告演出のうち、大当りとなる割合が特定割合よりも高い予告演出が実行中であるか否かを確認し、実行している場合に高信頼度の演出が実行中であると判定する。大当りとなる割合が特定割合よりも高い予告演出が実行中であるか否かは、演出制御フラグ設定部１９１に設定された高信頼度演出実行中フラグを参照して確認することが出来る。なお、高信頼度演出実行中フラグは後述する可変表示中演出処理（図３５）において、大当り信頼度が特定割合よりも高い予告演出が開始されたタイミングでセットされる。
【０２７２】
ステップＳ８０７で、高信頼度の演出を実行中であると判定した場合には、（ステップＳ８０７；Ｙｅｓ）、次に実行中の特定演出で用いられる選択肢を差し替えて、第１態様の選択肢を増やす処理を実行する（ステップＳ８０９）。ここでは、演出制御バッファ設定部１９４に記録された実行中の特定演出の演出制御パターンを更新して、第２態様の選択肢を少なくとも一つ第１態様の選択肢に差し替える。なお、第２態様の選択肢が無い場合についてはステップＳ８０９の処理をスキップする。
【０２７３】
この結果、第１の結果（「特図大当り」）となる割合が特定割合よりも高い所定演出（特定演出とは異なるリーチ演出や予告演出）が実行されている場合には、実行していない場合よりも、第１の結果を示唆する態様（第１種別）に変化する割合が高い種類の選択肢（第１態様の選択肢）を多く用いて選択演出を実行することができる。また、所定演出（予告演出やリーチ演出）と特定演出（特に選択演出）とが連動しているかのような印象を与えて遊技者の期待感を煽ることが出来る。
【０２７４】
なお、高信頼度の演出が実行されている場合に実行する第１態様選択肢増加処理は、実行されていない場合よりも第１態様の選択肢が使用される期待値が増える他の処理で代替できる。例えば、実行される選択演出で用いられる第１態様の選択肢が所定数（たとえば３つ）以下である場合にかぎって、ステップＳ８０９の処理を実行してもよい。この場合は、第１態様の選択肢が使用される期待値を増加させつつ、第１態様の選択肢が使用される数が余りに増加して、第１態様の選択肢が多い選択演出に対する遊技者の期待感が低下してしまうことを防ぐことが出来る。
【０２７５】
ステップＳ８０９の処理を終えるか、ステップＳ８０６又はＳ８０７でＮｏと判定した場合には、演出制御用ＣＰＵ１２０は現在が選択演出実行期間であるか否か確認する（ステップＳ８１０）。一例として、演出制御バッファ設定部１９４に記録された実行中の特定演出の演出パターンが示す選択演出実行タイミングと、ステップＳ８０２で更新した特定演出タイマの値とを比較する。その結果、選択演出実行期間である場合には（ステップＳ８１０；Ｙｅｓ）、選択演出を実行する（ステップＳ８１１）。一例として、現在の特定演出タイマに応じた、第１又は第２特定演出決定処理で決定した内容の選択演出を実行するための制御データ（例えば表示制御データ、音声制御データ、ランプ制御データなど）を読み出し、その制御データに対応する各種指令を作成して、表示制御部１２４や音声出力基板１３、ランプ制御基板１４などに対して伝送すればよい。
【０２７６】
ステップＳ８１１の処理を終えるか、ステップＳ８１０でＮｏと判定した場合には、演出制御用ＣＰＵ１２０は現在が変化演出実行期間であるか否か確認する（ステップＳ８１２）。一例として、演出制御バッファ設定部１９４に記録された実行中の特定演出の演出制御パターンが示す変化演出実行タイミングと、ステップＳ８０２で更新した特定演出タイマの値とを比較する。その結果、変化演出実行期間である場合には（ステップＳ８１０；Ｙｅｓ）、変化演出を実行する（ステップＳ８１１）。一例として、現在の特定演出タイマに応じた、第１又は第２特定演出決定処理で決定した内容の変化演出を実行するための制御データ（例えば表示制御データ、音声制御データ、ランプ制御データなど）を読み出し、その制御データに対応する各種指令を作成して、表示制御部１２４や音声出力基板１３、ランプ制御基板１４などに対して伝送すればよい。
【０２７７】
ステップＳ８１２の処理を終えるか、ステップＳ８１１でＮｏと判定した場合には、演出制御用ＣＰＵ１２０は現在が結果表示演出実行期間であるか否か確認する（ステップＳ８１３）。一例として、演出制御バッファ設定部１９４に記録された実行中の特定演出の演出パターンが示す結果表示演出実行タイミングと、ステップＳ８０２で更新した特定演出タイマの値とを比較する。その結果、結果表示演出実行期間である場合には（ステップＳ８１３；Ｙｅｓ）、結果表示演出を実行する（ステップＳ８１４）。一例として、変化演出で導出した演出結果の画像に、所定の画像効果（例えば、発光効果など）を加えて一定期間停止表示するような各種指令を作成して、表示制御部１２４や音声出力基板１３、ランプ制御基板１４などに対して伝送すればよい。
【０２７８】
結果表示演出の演出期間が終了すると、ステップＳ８０３にて特定演出タイマアップと判定される（ステップＳ８０３；Ｙｅｓ）。この場合、次に演出制御用ＣＰＵ１２０は特定演出の演出結果が「ポイントゲット」であるか否か（即ち、第２の結果のうち「ポイント付与」が示唆されたか否か）判定する（ステップＳ８１５）。具体的には、演出制御バッファ設定部１９４に記録された特定演出パターンを参照して、実行された特定演出が図２６又は図３０（Ａ）の「ポイントゲット」の特定演出である場合に、演出結果が「ポイントゲット」であると判定する（ステップＳ８１５；Ｙｅｓ）。この場合、演出制御用ＣＰＵ１２０は、ポイント付与処理を実行する（ステップＳ８１６）。
【０２７９】
ステップＳ８１６において、演出制御用ＣＰＵ１２０は特定遊技状態への制御や電動チューリップの拡大開放制御とは異なる遊技価値として、演出ポイントを付与する。具体的には、演出制御バッファ設定部１９４の所定領域に記憶された演出ポイント値に所定の値（例えば１０ポイント）を加算する。演出ポイントが所定の閾値（例えば５０ポイント）を超えた場合には、画像表示装置５に通常状態とは異なる背景画像を表示する、リーチ演出で使用する画像が変化する等、遊技者が演出（演出モード）が変化したことが認識可能な演出制御を実行すれば良い。このような演出ポイントの付与を特定演出の第２の結果を示唆する態様で報知することにより、特定遊技結果（大当り）となることとは異なる第２の結果を示唆するとしても、所定の遊技価値（演出ポイント）が付与されることを示唆できるので遊技者の落胆を軽減できる。特に、通常状態の予告演出やリーチ演出を町中の画像を背景とし、洋服姿のキャラクタ画像を用いてを実行し、演出ポイントが所定の閾値を越えたことに基づいて砂浜の画像を背景とした水着のキャラクタ画像を用いた演出に変更するなど、遊技が有利にならなくても遊技者が演出の変化を楽しめるように設定することにより、遊技者が演出ポイントの付与を期待するようになり演出の効果が高まる。
【０２８０】
図２２の演出制御プロセス処理においてステップＳ１６３の処理を終えると、演出制御用ＣＰＵ１２０は、演出制御フラグ設定部１９１に設けられた演出プロセスフラグの値に応じて、以下のようなステップＳ１７０〜Ｓ１７６の処理のいずれかを選択して実行する。
【０２８１】
ステップＳ１７０の可変表示開始待ち処理は、演出プロセスフラグの値が“０”のときに実行される処理である。この可変表示開始待ち処理は、主基板１１からの第１変動開始コマンドあるいは第２変動開始コマンドなどを受信したか否かに基づき、画像表示装置５の画面上における飾り図柄の可変表示を開始するか否かを判定する処理などを含んでいる。そして、第１変動開始コマンドや第２変動開始コマンドを受信したときには、演出プロセスフラグの値が“１”に更新される。
【０２８２】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５の画面上における飾り図柄の可変表示や、その他の各種演出動作を行うために、特別図柄の変動パターンや表示結果の種類などに応じた確定飾り図柄や各種の演出制御パターンを決定する処理などを含んでいる。可変表示開始設定処理が実行されたときには、演出プロセスフラグの値が“２”に更新される。
【０２８３】
ステップＳ１７２の可変表示中演出処理は、演出プロセスフラグの値が“２”のときに実行される処理である。この可変表示中演出処理において、演出制御用ＣＰＵ１２０は、演出制御タイマ設定部１９２に設けられた演出制御プロセスタイマにおけるタイマ値に対応して、演出制御パターンから各種の制御データを読み出し、飾り図柄の可変表示中における各種の演出制御を行うための処理が含まれている。また、可変表示中演出処理には、主基板１１から伝送される図柄確定指定コマンドを受信したことなどに対応して、飾り図柄の可変表示結果となる最終停止図柄としての確定飾り図柄を完全停止表示（導出表示）させる処理が含まれている。なお、特図変動時演出制御パターンから終了コードが読み出されたことに対応して、確定飾り図柄を完全停止表示（導出表示）させるようにしてもよい。この場合には、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。こうした演出制御などを行った後に、演出プロセスフラグの値が“３”に更新される。
【０２８４】
ステップＳ１７３の可変表示停止処理は、演出プロセスフラグの値が“３”のときに実行される処理である。可変表示停止処理は、可変表示結果通知コマンドにより通知された可変表示結果や、主基板１１から伝送された大当り開始指定コマンドを受信したか否かの判定結果などに基づいて、大当り遊技状態が開始されるか否かを判定する処理を含んでいる。そして、可変表示結果が「大当り」に対応して大当り遊技状態が開始される場合には、演出プロセスフラグの値が“４”に更新される一方で、可変表示結果が「ハズレ」に対応して大当り遊技状態が開始されない場合には、演出プロセスフラグがクリアされて、その値が“０”に初期化される。
【０２８５】
ステップＳ１７４の大当り表示処理は、演出プロセスフラグの値が“４”のときに実行される処理である。この大当り表示処理は、主基板１１から伝送された大当り開始指定コマンドを受信したことなどに基づいて、大当り遊技状態の開始を報知する大当り報知演出（ファンファーレ演出）を実行するための処理を含んでいる。そして、大当り報知演出の実行が終了するときには、演出プロセスフラグの値が“５”に更新される。
【０２８６】
ステップＳ１７５の大当り中演出処理は、演出プロセスフラグの値が“５”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の画面上に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１から伝送される大当り終了指定コマンドを受信したことなどに対応して、演出制御プロセスフラグの値が“６”に更新される。
【０２８７】
ステップＳ１７６の大当り終了演出処理は、演出プロセスフラグの値が“６”のときに実行される処理である。この大当り終了演出処理において、演出制御用ＣＰＵ１２０は、例えば大当り遊技状態の終了などに対応した演出制御パターン等を設定し、その設定内容に基づく演出画像を画像表示装置５の画面上に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグをクリアして、その値を“０”に初期化する。
【０２８８】
図３３は、図２２のステップＳ１７１にて実行される可変表示開始設定処理の一例を示すフローチャートである。図３３に示す可変表示開始設定処理において、演出制御用ＣＰＵ１２０は、まず、飾り図柄の可変表示結果としての確定飾り図柄となる最終停止図柄などを決定する（ステップＳ４３１）。このとき、演出制御用ＣＰＵ１２０は、主基板１１から伝送された変動パターン指定コマンドで示された変動パターンや、可変表示結果通知コマンドで示された可変表示結果といった、変動開始時決定内容に基づいて、最終停止図柄を決定する。この実施の形態では、変動パターンや可変表示結果の組合せに応じた変動開始時決定内容として、「非リーチ（ハズレ）」、「リーチ（ハズレ）」、「非確変（大当り）」、「確変（大当り）」がある。
【０２８９】
ステップＳ４３１において、演出制御用ＣＰＵ１２０は、変動パターンや可変表示結果の組合せに応じた変動開始時決定内容が「非確変（大当り）」又は「確変（大当り）」であった場合に、停止図柄として３図柄が揃った飾り図柄の組合せを決定する。ただし、変動開始時決定内容が「非確変（大当り）」である場合は、停止図柄として、偶数図柄が揃った飾り図柄の組合せを決定する。一方、「確変（大当り）」である場合には、停止図柄として、奇数図柄が揃った飾り図柄の組合せを決定する。
【０２９０】
具体的には、「非確変（大当り）」又は「確変（大当り）」に決定されている場合には、所定の停止図柄決定のための演出用乱数を抽出し、ＲＯＭ１２１に記憶された停止図柄決定用テーブルで定義された判定値と比較して左中右の停止図柄（左中右の図柄が揃った飾り図柄の組合せ）を決定する。「非確変（大当り）」にすることに決定されているときには、決定された図柄が奇数図柄であった場合には、例えば１ずつらした図柄を停止図柄にする。また、「確変（大当り）」にすることに決定されているときには、決定された図柄が偶数図柄であった場合には、例えば１つづらした図柄を停止図柄にする。
【０２９１】
はずれの場合には、上記以外の飾り図柄の組み合わせを決定する（下記の擬似連のチャンス目を除く。）。ただし、リーチ演出を伴う場合には、左右の２図柄が揃った飾り図柄の組み合わせを決定する。
【０２９２】
具体的には、演出制御用ＣＰＵ１２０は、例えば、はずれ図柄にすることに決定されていない場合であって、かつ、リーチすることに決定されていない場合には、停止図柄決定用テーブルで定義された判定値と比較して左中右の停止図柄を決定する。なお、決定された左右図柄が一致した場合には、右図柄を１図柄ずらす。リーチすることに決定されている場合に、決定された左中右図柄がチャンス目であった場合には、例えば、左図柄を１図柄ずらす。
【０２９３】
こうしたステップＳ４３１における最終停止図柄などの決定に続いて、予告演出選択処理を実行する（ステップＳ４３２）。予告演出選択処理では、演出制御用ＣＰＵ１２０は、例えば図３４に示すように、予告演出の実行有無・及び実行する場合の演出態様を決定する。具体的には、ＲＯＭ１２１の所定領域に保存された予告演出決定テーブルを参照して決定する。予告演出決定テーブルは、可変表示結果が「ハズレ」、「非確変大当り」、「確変大当り」の何れであるか応じて、演出用変数の乱数値と比較される数値（決定値）が、予告演出の実行有無及び実行される場合の演出態様のいずれかに割り当てらたテーブルであればよい。図３４の例では、予告演出として第１態様と、第１態様よりも大当り信頼度が高い高信頼度の第２態様と、の２つが設定されている。ここでは、第２態様の予告演出が実行された場合の大当りとなる割合（大当り信頼度）は、特定割合（例えば、１５％）よりも高い。
【０２９４】
そして、演出制御パターンを予め用意された複数パターンのいずれかに決定する（ステップＳ４３３）。このとき、演出制御用ＣＰＵ１２０は、例えば変動パターン指定コマンドで示された変動パターンなどに対応して、複数用意された特図変動時演出制御パターンのいずれかを選択し、使用パターンとしてセットする。また、演出制御用ＣＰＵ１２０は、ステップＳ４３２の予告演出選択処理により選択された予告パターンなどに基づいて、複数用意された予告演出制御パターンのいずれかを、使用パターンとしてセットする。
【０２９５】
ステップＳ４３３の処理を実行した後には、例えば変動パターン指定コマンドにより指定された変動パターンに対応して、演出制御タイマ設定部１９２に設けられた演出制御プロセスタイマの初期値を設定する（ステップＳ４３４）。そして、画像表示装置５の画面上における飾り図柄などの変動を開始させるための設定を行う（ステップＳ４３５）。このときには、例えばステップＳ４３３にて使用パターンとして決定された特図変動時演出制御パターンに含まれる表示制御データが指定する表示制御指令を表示制御部１２３のＶＤＰ等に対して伝送させることなどにより、画像表示装置５の画面上に設けられた「左」、「中」、「右」の各飾り図柄表示エリア５Ｌ、５Ｃ、５Ｒにて飾り図柄の変動を開始させればよい。また、飾り図柄の可変表示が開始されることに対応して、始動入賞記憶表示エリア５Ｈにおける保留表示を更新するための設定を行う（ステップＳ４３６）。例えば、始動入賞記憶表示エリア５Ｈにおいて保留番号が「１」に対応した表示部位を消去するとともに、全体の表示部位を１つずつ左方向に移動させればよい。その後、演出プロセスフラグの値を可変表示中演出処理に対応した値である“２”に更新してから（ステップＳ４３７）、可変表示開始設定処理を終了する。
【０２９６】
図３５は、図２２のステップＳ１７２にて実行される可変表示中演出処理の一例を示すフローチャートである。図３５に示す可変表示中演出処理において、演出制御用ＣＰＵ１２０は、まず、例えば演出制御プロセスタイマ値などに基づいて、変動パターンに対応した可変表示時間が経過したか否かを判定する（ステップＳ４６１）。一例として、ステップＳ４６１の処理では、演出制御プロセスタイマ値を更新（例えば１減算）し、更新後の演出制御プロセスタイマ値に対応して特図変動時演出制御パターンから終了コードが読み出されたときなどに、可変表示時間が経過したと判定すればよい。
【０２９７】
ステップＳ４６１にて可変表示時間が経過していない場合には（ステップＳ４６１；Ｎｏ）、次に予告演出を実行するための予告実行期間であるか否かを判定する（ステップＳ４６３）。予告実行期間は、例えば変動パターンに対応して使用パターンに決定された特図変動時演出制御パターンなどにより、予め定められていればよい。ステップＳ４６３にて予告実行期間であるときには（ステップＳ４６３；Ｙｅｓ）、ステップＳ４３２の予告演出選択処理で選択された予告演出を、該選択結果に応じてステップＳ４３３で決定された予告パターンに基づいて実行するための演出動作制御を行う（ステップＳ４６４）。
【０２９８】
一例として、ステップＳ４６４の処理では、予告演出の選択結果に基づき使用パターンに決定された予告演出制御パターンなどから読み出した演出制御実行データ（例えば表示制御データ、音声制御データ、ランプ制御データ、操作検出制御データなど）に応じて、演出画像の表示や効果音の出力、ランプの点灯、演出用模型の動作などのうち、一部または全部を含めた所定の演出動作を行うために、各種指令を作成して表示制御部１２３や音声制御基板１３、ランプ制御基板１４などに対して伝送させればよい。なお、ステップＳ４６４において、演出制御用ＣＰＵ１２０は高信頼度演出（大当り信頼度が特定割合（１５％）よりも高い予告演出）の実行を開始するタイミングで、演出制御フラグ設定部１９１に設定された高信頼度演出実行中フラグをセットする。また、予告演出を終了するにあたって高信頼度演出実行中フラグをオフにする。
【０２９９】
ステップＳ４６３にて予告実行期間ではないとき（ステップＳ４６３；Ｎｏ）、あるいは、ステップＳ４６４の処理を実行した後には、例えば変動パターンに対応した特図変動時演出制御パターンにおける設定などに基づいて、その他の演出動作制御を行ってから（ステップＳ４６５）、可変表示中演出処理を終了する。
【０３００】
ステップＳ４６１にて可変表示時間が経過した場合には（ステップＳ４６１；Ｙｅｓ）、主基板１１から伝送される図柄確定指定コマンドの受信があったか否かを判定する（ステップＳ４６６）。このとき、図柄確定指定コマンドの受信がなければ（ステップＳ４６６；Ｎｏ）、可変表示中演出処理を終了して待機する。なお、可変表示時間が経過した後、図柄確定指定コマンドを受信することなく所定時間が経過した場合には、図柄確定指定コマンドを正常に受信できなかったことに対応して、所定のエラー処理が実行されるようにしてもよい。
【０３０１】
ステップＳ４６６にて図柄確定指定コマンドの受信があった場合には（ステップＳ４６６；Ｙｅｓ）、例えば表示制御部１２３のＶＤＰ等に対して所定の表示制御指令を伝送させることといった、飾り図柄の可変表示において表示結果となる最終停止図柄（確定飾り図柄）を導出させるように表示するための制御を行う（ステップＳ４６７）。また、大当り開始指定コマンド受信待ち時間として予め定められた一定時間を設定する（ステップＳ４６８）。そして、演出プロセスフラグの値を可変表示停止処理に対応した値である“３”に更新してから（ステップＳ４６９）、可変表示中演出処理を終了する。
【０３０２】
図３６は、本実施の形態に係るパチンコ遊技機１が実行する第１特定演出の実行タイミングを示す図である。非リーチの変動パターンに対応する特別図柄の変動中（図３６：時刻Ｔ１〜Ｔ３）に、普通図柄の変動が開始されると（時刻Ｔ２）、所定の割合で第１特定演出が実行される（図３６（Ａ））。図３６（Ａ）の例では、普通図柄の変動は、特別図柄の変動終了（時刻Ｔ３）よりも前に終わる。この場合、普通図柄の変動開始と第１特定演出の開始とのあいだに待ち時間は入らない。
【０３０３】
一方、同じく特別図柄の変動中（時刻Ｔ１〜Ｔ３）のあいだに普通図柄の変動が開始した場合であっても、普通図柄の変動がその変動中に終わらない場合は、次の変動開始（Ｔ３）まで第１特定演出の開始を待つ場合がある（図３６（Ｂ））。このときでも、第１特定演出は普通図柄の変動終了とあわせて終了するため、第１特定演出の演出期間は図３６（Ａ）よりも短縮される。これは、図２５のステップＳ７７４で選択される特定演出パターンに対応する。図３６（Ｂ）の例では、選択演出の実行時に高信頼度の予告演出が実行されているため、図３２のＳ８０９にて第１態様の選択肢が増加される。その結果、選択演出で赤い選択肢（第１態様の選択肢）が多く用いられている。
【０３０４】
第１特定演出は、リーチ演出と平行して実行されても良い（図３６（Ｃ））。例えば、高信頼度のリーチ演出（スーパーリーチ演出など）が実行される変動パターンで実行される場合には、選択演出で第１態様の選択肢が多く用いられる。また、候補演出で第１態様の候補が多く示された場合には、第１の結果（普図当り）となる割合が高くなる。このため、リーチ演出と特定演出とが関連するような印象を与えることが出来るので、演出効果を増すことが出来る。なお、動画を用いたスーパーリーチ演出など、第１特定演出が平行して実行されると返って演出効果が低下する場合には、特図変動の該当期間を特定演出実行禁止期間に設定してもよい。この場合には、特定演出の演出期間が禁止期間と重なる場合には、図２４のステップＳ７４６で実行不可と判定した上で、特定演出の実行を中止すればよい。
【０３０５】
また、特別図柄の変動が始まっていないとき（時刻Ｔ５）に普通図柄の変動が開始した場合、所定の実行待ち時間（３秒）間だけ第１特定演出の実行開始を遅らせる（図３６（Ｄ））。これは、図２５のステップＳ７７６で選択される特定演出パターンに対応する。この待ち時間（時刻Ｔ５〜Ｒ６）のあいだに特別図柄の変動が開始される場合があるため、実行中の特定演出が普通図柄の結果を示唆する第１特定演出であることを遊技者が察知することにより、演出効果が低下する程度を低減することが出来る。
【０３０６】
図３７は、本実施の形態に係るパチンコ遊技機１が実行する第２特定演出の実行タイミングを示す図である。特別図柄の変動開始に基づいて実行される第２特定演出として、図３７（Ａ）のように変動中のタイミング（時刻Ｔ２）から開始する場合、図３７（Ｂ）のように変動開始と同時（時刻Ｔ１）に開始する場合、図３７（Ｃ）のようにリーチ演出と平行して実行する場合、といった様々なタイミングで第２特定演出を実行してよい。この場合の開始タイミングとして、変動パターンに予め設定された開始タイミングを用いればよい。あるいは、実行可能期間な開始タイミングからランダムに選ぶ構成も可能である。
【０３０７】
第２特定演出でも、第１特定演出と同様に、高信頼度の予告演出が実行されている期間に選択演出を実行する場合には、第１態様の選択肢を多く用いて選択演出を実行する（図３７（Ｂ））。また、スーパーリーチ演出のような高信頼度のリーチ演出が実行される場合にも、第１態様の選択肢を多く用いて選択演出を実行する（図３７（Ｃ））。さらに、候補演出で第１態様の候補が多く示された場合には、第１の結果（特図大当り）となる割合が高くなる。このため、リーチ演出と特定演出とが関連するような印象を与えることが出来るので、演出効果を増すことが出来る。また、第１の結果が特図大当りを含むので、遊技者の期待を特定演出で煽ることが出来る。
【０３０８】
図３８は、第１特定演出実行時に画像表示装置５に表示される演出画面の例を示す。普通図柄の変動が開始されたことに基づいて、第１特定演出が開始されると、まず演出結果の候補を複数示す候補演出が実行される（図３８（Ａ））。ここでは、第２の結果を示唆する第２種別の候補として、「ポイント」、「×」の２種類が示されている。「ポイント」はポイントが付加されることを、「×」は遊技の結果がハズレ（ここでは普図ハズレ）であることを示唆する。また、第１の結果を示唆する第１種別の候補として、「電チュー」、「アツイ」の２種類が示されている。「電チュー」は遊技の結果が「普図当り」であることを、「アツイ」は遊技の結果が「特図大当り」あることを示唆する。
【０３０９】
次いで、候補演出で示された候補を、一旦遊技の結果を示唆する態様とは異なる選択肢（球）で覆うかのような演出を実行する（図３８（Ｂ））。ここでは、候補演出で示された候補のうち第１種別の候補の割合が小さいため、第２態様の選択肢（白の球）が多く用いられる。言い換えれば、選択演出で使用される選択肢のうち第１態様（赤の球、図３８では砂目の球）の数は少ない。
【０３１０】
そして、図３８（Ｂ）で示された選択肢を用いて、ルーレットのような演出が実行される（図３８（Ｃ））。そして、選択肢のうち一つが選択されたことが示される（図３８（Ｄ））。図３８（Ｂ）〜（Ｄ）の選択演出で一旦遊技の結果を示唆する態様とは異なる選択肢が選択されることにより、演出が溜めのあるものとなる。
【０３１１】
そして、変化演出として、選択された選択肢が遊技の結果を示唆する態様に変化する（図３８（Ｄ）〜（Ｅ））。変化演出では、第１態様の選択肢が選ばれた場合には第１の結果を示唆する態様に変化する割合が高い。このため、演出結果と選択演出の選択結果が関連するかのような印象を遊技者に与えることが出来る。これにより、選択演出への遊技者の関心を高めることが出来る。なお、変化演出で変化した遊技の結果を示唆する態様は、変化した後しばらく（例えば数秒）表示される。この演出を結果表示演出と呼ぶ。
【０３１２】
図３９は、第２特定演出実行時に画像表示装置５に表示される演出画面の例を示す。特別図柄の可変表示が開始されたことに基づいて、第２特定演出が開始されると、第１特定演出と同様に候補演出（図３９（Ａ））、選択演出（図３９（Ｂ）〜（Ｄ））、変化演出（図３９（Ｄ）〜（Ｅ））、結果表示演出が実行される。このように、第１特定演出と第２特定演出とを共通の演出態様で実行することにより、第１特定演出と第２特定演出とがまとまった一つの演出であるかのような印象を与えることが出来る。そのため、特別図柄の可変表示結果を示唆する第２特定演出だけでなく、普通図柄の変動結果を示唆する第１特定演出についても遊技者の興味を向上すできる。よって、多様な演出によって、多様なタイミングで遊技者の期待を煽ることができる。
【０３１３】
図３９（Ａ）の候補演出では、第２の結果（「ハズレ」及び「普図当り」）を示唆する第２種別の候補として、「ポイント」、「電チュー」の２種類が示されている。また、第１の結果（「特図当り」）を示唆する第１種別の候補として、「チャンス」、「アツイ」、「激アツ」の３種類が示されている。第１種別の３種類の候補は、それぞれ実際に演出結果として導出した場合の大当り信頼度が異なる。
【０３１４】
図３９（Ｂ）〜（Ｄ）の選択肢には、特別態様、特定演出のほか、キャラクタを用いた予告演出（高信頼度）が実行されている。この場合は、第１態様の選択肢が多く用いられる。この場合、選択演出で第１の結果を示唆する態様に変化する割合が大きい第１態様の選択肢が選ばれやすいという印象を与えることができる。よって、第１の結果（「特図大当り」）となるか否かについて遊技者の期待を煽ることができる。また、予告演出と特定演出で連動して遊技者の期待を煽ることができる。
【０３１５】
また、図３９（Ｂ）〜（Ｄ）では、第１態様の選択肢として、特定態様の選択肢（星）が用いられている。特定態様の選択肢が選ばれた場合には、変化演出で特別態様（「激アツ」）に変化するため、遊技者に対して選択演出で特定態様の選択肢が選ばれることへの期待感を煽ることができる。
【０３１６】
以上説明したように、上記実施の形態におけるパチンコ遊技機１では、選択肢が選択された後に遊技の結果を示唆する態様に変化する、溜めのある特定演出が実行できる。また、選択された対象の種類に応じて第１の結果となることが示唆されるか第２の結果となることが示唆されるかの割合が異なるため、選択演出と変化演出との２段階で演出への注目を高めることができる。そのため、特定演出の演出効果を向上して遊技の興趣を高めることができる。
【０３１７】
また、候補演出にて選択された対象から変化する態様の候補を予め遊技者に示すことにより、何れの候補に実際に変化するかについての遊技者の興味を高めることが出来る。
【０３１８】
さらに、対象から変化させる態様の候補として第１の結果となることを示唆する態様を多く示した場合には、第１の結果となることを示唆する態様に変化する割合が高い種類の選択肢を多く用いて選択演出を実行するので、選択演出と遊技の結果とが関連するかのような印象を遊技者に与えることが出来る。そのため、特定演出の演出効果を向上して遊技の興趣を高めることができる。
【０３１９】
また、所定演出（予告演出やリーチ演出）として第１の結果となる割合が高い所定演出が実行されている場合には、第１の結果を示唆する態様に変化する割合が高い種類の選択肢（第１態様の選択肢）を多く用いて選択演出を実行する上、第１の結果に特定遊技結果が含まれるので、所定演出と特定演出（特に選択演出）とが連動しているかのような印象を与えて遊技者の期待感を煽ることが出来る。そのため、所定演出と特定演出との演出効果を向上して遊技の興趣を高めることができる。
【０３２０】
また、選択された対象の種類に応じて第１の結果となる割合（信頼度）が異なる複数の第１の結果を示唆する態様の何れに変化するかの割合が異なるため、選択演出及び第１の結果を示唆する態様へ変化する変化演出への関心を更に高めることが出来る。
【０３２１】
また、星形のような特定態様の選択画像が選ばれた場合には、特定演出の結果が特別態様（「激アツ」など）となるので、特定態様の選択肢が選択されるか否かについて遊技者の興味を高めることが出来る。特に、特別態様が「特図大当り」となる割合が高い態様であるので、特定態様の選択肢が選択されるか否かについて遊技者の期待感を煽ることができる。
【０３２２】
また、第２の結果を示唆する態様として、「ポイントゲット」といった所定の遊技価値が付与されることを示唆する態様が含まれる。特定演出によって、特定遊技結果とは異なる遊技の結果が示唆されると、遊技者が落胆してしまう恐れがあるが、このような構成によれば特定遊技結果となることとは異なる第２の結果を示唆するとしても、所定の遊技価値が付与されることを示唆できるので遊技者の落胆を軽減できる。
【０３２３】
また、候補演出にて所定数以上の第１の結果となることを示唆する態様が示される場合には、前記遊技の結果が前記第１の結果となる割合が特定割合よりも高い。このため、候補演出で示される第１の結果となることを示唆する態様の数によって、第１の結果となる割合（信頼度）を示すことが出来るので、遊技者が提示される候補により注目するようになる。そのため、特定演出の演出効果を向上することが出来る。
【０３２４】
この発明は上記実施の形態に限定されるものではなく、様々な応用や変形が可能である。例えば、上記実施の形態では、第１特定演出では第１の結果が「普図当り」とした。一方、第２特定演出では第１の結果が「特図大当り」とした。しかし、これに限らず「ポイント付与」など任意の遊技結果を第１の結果として、第１種別の態様で報知する対象としてもよい。あるいは、所定のリーチ演出（例えばスーパーリーチ演出）が実行されることを遊技の結果ととらえ、特定演出でその演出が実行されることを示唆してもよい。
【０３２５】
また、第１特定演出では第１種別の態様として「普図当り」を示唆する態様と、「特図大当り」を示唆する態様の２種類を設定する一方、第２特定演出では第１種別の態様としてを「特図大当り」を示唆する態様とし、「普図当り」を示唆する態様を第２種別に分類した。しかし、第１特定演出と第２特定演出の両方で「特図大当り」を示唆する態様を第１種別に分類し、「普図当り」を示唆する態様を第２種別に分類してもよい。また、特定演出は第１特定演出と第２特定演出との２種類でなくてもよく、いずれか一方だけでもよく、３種類以上の特定演出を実行してもよい。
【０３２６】
また、上記実施の形態では、候補演出で表示する第１態様の候補の数によって大当りとなる割合を示すにあたり、第１又は第２特定演出実行有無・主意別決定処理（ステップＳ７３９やＳ５２０９）で決定した演出結果に応じて間接的に第１態様の候補を決定した。これに代わって、遊技の結果が第１の結果となるか否かに応じて第１態様の候補の数を決定しても良い。
【０３２７】
また、特定演出の演出態様は、上記演出態様に限られない。例えば、必ずしも選択演出で選択肢を全て視認可能に表示する必要はない。例えば、選択演出として御神籤で番号を引くかのような画像を表示した後、変化演出で番号に対応して「大吉」や「凶」といったお札が現れるといったような、選択肢が選択されるまで認識できない選択演出も可能である。このような構成によれば、遊技者の嗜好に合わせた多様な演出態様で、溜めのある特定演出を実行可能である。また、画像表示装置５に画像を表示する代わりに、例えば演出用役物を用いて特定演出を実行しても良い。例えば、画像表示装置５で表示する代わりに、上記の御神籤と札をあしらった演出用役物を用いて実行してもよい。
【０３２８】
なお、上記の各実施の形態では、第１特別図柄又は第２特別図柄の可変表示が実行されていない場合には、何れかの特別図柄の可変表示が開始されるか、あるいは所定時間（上述の例では３秒間）が経過するまでは、第１特定演出を開始しない例について説明した。本発明に係るその他の実施の形態として、普通図柄の可変表示が実行されていない場合に第２特定演出の開始を遅らせる構成も可能である。即ち、普通図柄の可変表示が実行されておらず、普通図柄保留記憶が０である場合には、普通図柄の可変表示が開始されるか、あるいは所定時間（例えば３秒間）が経過するまで、第２特定演出を開始しない。このためには、第２特定演出決定処理において、普通図柄が変動していない場合には普通図柄の未変動期間についてのタイマをセットして時間の経過に応じてタイマを減算しタイマが０となるまで第２特定演出の実行を遅らせればよい。そして、図６６のステップＳ８０３２又はステップＳ８０３０にて、開始が遅れた時間だけ短縮した第２特定演出を含むプロセステーブルを選択する。
【０３２９】
上記実施形態においては、変動時間及びリーチ演出の種類や擬似連の有無等の変動態様を示す変動パターンを演出制御マイクロコンピュータに通知するために、変動を開始するときに1つの変動パターンコマンドを送信する例を示したが、２つ乃至それ以上のコマンドにより変動パターンを演出制御マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御マイクロコンピュータは２つのコマンドの組合せから導かれる変動時間にもとづいて変動表示における演出制御を行うようにすればよい。尚、遊技制御用マイクロコンピュータの方では２つのコマンドのそれぞれにより変動時間を通知し、それぞれのタイミングで実行される具体的な変動態様については演出制御マイクロコンピュータの方で選択を行う様にしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信する様にしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。
【０３３０】
上記実施の形態では、遊技機の例として、特別図柄や飾り図柄を可変表示する機能や各種の演出画像を表示する機能を有するパチンコ遊技機１を用いて説明した。しかしながら、上記実施の形態におけるパチンコ遊技機１が備える構成及び機能の少なくとも一部は、スロットマシンなどの他の遊技機にも適用することができる。
【０３３１】
その他にも、遊技機の装置構成やデータ構成、フローチャートで示した処理、前段階演出及び予告演出などの所定演出を実行するための画像表示装置における画像表示動作やスピーカにおける音声出力動作さらには遊技効果ランプや装飾用ＬＥＤにおける点灯動作を含めた各種の演出動作などは、本発明の趣旨を逸脱しない範囲で、任意に変更及び修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。
【０３３２】
本発明を実現するためのプログラム及びデータは、例えばパチンコ遊技機１といった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０３３３】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０３３４】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
３１Ａ  …  スティックコントローラ
３１Ｂ  …  プッシュボタン
３２    …  演出用可動部材
９０  …  演出用点灯役物
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
2014158636.tif 000003
【図２】
2014158636.tif 000004
【図３】
2014158636.tif 000005
【図４】
2014158636.tif 000006
【図５】
2014158636.tif 000007
【図６】
2014158636.tif 000008
【図７】
2014158636.tif 000009
【図８】
2014158636.tif 000010
【図９】
2014158636.tif 000011
【図１０】
2014158636.tif 000012
【図１１】
2014158636.tif 000013
【図１２】
2014158636.tif 000014
【図１３】
2014158636.tif 000015
【図１４】
2014158636.tif 000016
【図１５】
2014158636.tif 000017
【図１６】
2014158636.tif 000018
【図１７】
2014158636.tif 000019
【図１８】
2014158636.tif 000020
【図１９】
2014158636.tif 000021
【図２０】
2014158636.tif 000022
【図２１】
2014158636.tif 000023
【図２２】
2014158636.tif 000024
【図２３】
2014158636.tif 000025
【図２４】
2014158636.tif 000026
【図２５】
2014158636.tif 000027
【図２６】
2014158636.tif 000028
【図２７】
2014158636.tif 000029
【図２８】
2014158636.tif 000030
【図２９】
2014158636.tif 000031
【図３０】
2014158636.tif 000032
【図３１】
2014158636.tif 000033
【図３２】
2014158636.tif 000034
【図３３】
2014158636.tif 000035
【図３４】
2014158636.tif 000036
【図３５】
2014158636.tif 000037
【図３６】
2014158636.tif 000038
【図３７】
2014158636.tif 000039
【図３８】
2014158636.tif 000040
【図３９】
2014158636.tif 000041
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
各々を識別可能な識別情報の可変表示を行う可変表示手段に特定表示結果が導出されたときに特定遊技状態に制御可能な遊技機であって、
前記識別情報の可変表示が前記特定表示結果となることを示唆する所定演出を実行する所定演出実行手段と、
第１の価値が付与されること、または該第１の価値とは異なる第２の価値が付与されることを示唆する特定演出を実行する特定演出実行手段を備え、
前記特定演出実行手段は、
前記特定演出として、
複数種類の選択肢のうちから一の対象を選択する選択演出と、
前記選択演出が実行された後に該選択演出により選択された対象の態様を変化させる変化演出とを実行し、
前記選択演出により選択した対象の種類に応じて、前記変化演出において前記第１の価値が付与されることを示唆する態様に変化させる割合が異なると共に、
前記特定表示結果となる割合が高いことを示唆する前記所定演出が実行されているときには、実行されていないときよりも、前記第１の価値が付与されることを示唆する態様へ変化する割合の高い種類の選択肢を多く用いて前記選択演出を実行する、
ことを特徴とする遊技機。
【請求項２】
識別情報の可変表示を行い、識別情報の可変表示の表示結果として前記特定表示結果が導出されたときに、可変入賞装置を開放状態に制御する可変入賞装置制御手段と、
普通識別情報の可変表示を行い、普通識別情報の可変表示の表示結果として所定表示結果が導出されたときに、可変装置を開放状態に制御する可変装置制御手段とを備える、
請求項１に記載の遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、各々を識別可能な識別情報の可変表示を行う可変表示手段に特定表示結果が導出されたときに特定遊技状態に制御可能な遊技機に関する。
【手続補正３】
【補正対象書類名】明細書
【補正対象項目名】０００２
【補正方法】変更
【補正の内容】
【０００２】
遊技機として、遊技を行うことが可能な遊技機が存在する。例えば、各々を識別可能な識別情報の可変表示を行う可変表示手段に特定表示結果が導出されたときに特定遊技状態に制御可能な遊技機などである。ここで、所定の遊技価値の付与は、賞球やメダルといった景品遊技媒体の払出し、遊技媒体を使用（消化）しない再ゲームの実行、特定遊技状態（例えば大当り遊技状態）などの通常遊技状態よりも遊技者にとって有利な遊技状態への制御、演出画面の変化といった実行中の遊技と関連するもののほか、異なる遊技やサービスで使用可能なポイントを遊技者に付加するといった実行中の遊技とは直接関連しないものを含む概念である。
【手続補正４】
【補正対象書類名】明細書
【補正対象項目名】０００９
【補正方法】変更
【補正の内容】
【０００９】
（１）上記目的を達成するため、本願に係る遊技機は、各々を識別可能な識別情報（例えば、特別図柄や飾り図柄など）の可変表示を行う可変表示手段（例えば、第１特別図柄表示装置４Ａや第２特別図柄表示装置４Ｂ、画像表示装置５など）に特定表示結果（例えば、「特図大当り」など）が導出されたときに特定遊技状態（例えば、大当り遊技状態など）に制御可能な遊技機であって、前記識別情報の可変表示が前記特定表示結果となることを示唆する所定演出（例えば、予告演出など）を実行する所定演出実行手段（例えば、図３５のステップＳ４６４を実行する演出制御用ＣＰＵ１２０など）と、第１の価値（例えば、「特図大当り」に対応する価値など）となること、または該第１のとは異なる第２の価値（例えば、「特図ハズレ」、「普図当り」、「普図ハズレ」などに対応する価値）となることを示唆する特定演出を実行する特定演出実行手段を備え、前記特定演出実行手段は、前記特定演出として、複数種類の選択肢のうちから一の対象を選択する選択演出（例えば、図３８（Ｂ）〜（Ｄ）や図３９（Ｂ）〜（Ｄ）に示す選択演出など）と、前記選択演出が実行された後に該選択演出により選択された対象の態様を変化させる変化演出（例えば、図３８（Ｄ）〜（Ｅ）や図３９（Ｄ）〜（Ｅ）に示す変化演出など）とを実行し、前記選択演出により選択した対象の種類に応じて、前記変化演出において前記第１の価値が付与されることを示唆する態様に変化させる割合が異なると共に（図２６・図３０（Ａ）参照）、前記特定表示結果となる割合（例えば、１５％）が高いことを示唆する前記所定演出が実行されているときには、実行されていないときよりも、前記第１の価値が付与されることを示唆する態様へ変化する割合の高い種類の選択肢を多く用いて前記選択演出を実行する（例えば、図３２のステップＳ８０７にて高信頼度の予告演出が実行されている場合に、演出制御用ＣＰＵ１２０がステップＳ８０８及びステップＳ８０９の処理により閾値よりも高い数の第１態様の選択肢を用いて選択演出を実行する部分など）、ことを特徴とする遊技機。
このような構成によれば、選択肢が選択された後に態様が変化する、溜めのある特定演出が実行できる。特に、所定演出として第１の価値が付与される割合が高い所定演出が実行されている場合には、第１の価値が付与されることを示唆する態様に変化する割合が高い種類の選択肢を多く用いて選択演出を実行する上、第１の価値に特定遊技結果に対応する価値が含まれるので、所定演出と特定演出（特に選択演出）とが連動しているかのような印象を与えて遊技者の期待感を煽ることが出来る。そのため、所定演出と特定演出との演出効果を向上して遊技の興趣を高めることができる。
上記（１）の遊技機において、識別情報の可変表示を行い、識別情報の可変表示の表示結果として前記特定表示結果が導出されたときに、可変入賞装置を開放状態に制御する可変入賞装置制御手段と、普通識別情報の可変表示を行い、普通識別情報の可変表示の表示結果として所定表示結果が導出されたときに、可変装置を開放状態に制御する可変装置制御手段とを備える、としてもよい。
【手続補正５】
【補正対象書類名】明細書
【補正対象項目名】００１０
【補正方法】変更
【補正の内容】
【００１０】
（２）上記（１）の遊技機において、前記変化演出にて変化させる可能性のある態様は、前記第１の価値が付与される割合が異なる互いに識別可能な複数の前記第１の価値が付与されることを示唆する態様（例えば、図３０（Ａ）に示すような、特図変動結果が大当りとなる割合が異なる「チャンス」・「アツイ」・「激アツ」等の複数の態様など）を含み、前記特定演出実行手段は、前記選択演出にて選択された対象の種類に応じて異なる割合で、前記変化演出にて前記対象の態様を前記複数の第１の価値が付与されることを示唆する態様の何れかに変化させる（図３０（Ａ）参照）、としてもよい。
このような構成によれば、選択された対象の種類に応じて第１の価値が付与される割合（信頼度）が異なる複数の第１の価値が付与されることを示唆する態様の何れに変化するかの割合が異なるため、選択演出及び第１の価値が付与されることを示唆する態様へ変化する変化演出への関心を更に高めることが出来る。
【手続補正６】
【補正対象書類名】明細書
【補正対象項目名】００１１
【補正方法】変更
【補正の内容】
【００１１】
（３）上記（１）又は（２）の遊技機において、前記特定演出実行手段は、前記特定演出として、前記選択演出が実行されるよりも前に、該選択演出の実行される前記特定演出の前記変化演出にて変化させる可能性のある態様の候補を示す候補演出（例えば、図３８（Ａ）や図３９（Ａ）に示す候補演出など）をさらに実行する、としてもよい。
このような構成によれば、選択肢から変化する態様の候補を予め遊技者に示すことにより、何れの候補に実際に変化するかについての遊技者の興味を高めることが出来る。
【手続補正７】
【補正対象書類名】明細書
【補正対象項目名】００１２
【補正方法】変更
【補正の内容】
【００１２】
（４）上記（１）〜（３）の何れかの遊技機において、前記複数種類の選択肢は特定態様の選択肢（例えば、図３９の星形の選択肢など）を含み、前記変化演出にて変化させる可能性のある態様は特別態様（例えば、図３９の「激アツ」の選択肢など）を含み、前記特定演出実行手段は、前記選択演出にて前記特定態様の選択肢を選択した場合には、前記変化演出にて該選択した対象を前記特別態様に変化させる（図３０（Ａ）参照）、としてもよい。
このような構成によれば、特定態様の選択肢が選ばれた場合には、特定演出の結果が特別態様となるので、特定態様の選択肢が選択されるか否かについて遊技者の興味を高めることが出来る。
【手続補正８】
【補正対象書類名】明細書
【補正対象項目名】００１３
【補正方法】変更
【補正の内容】
【００１３】
（５）上記（１）〜（４）の何れかの遊技機において、各々を識別可能な識別情報（例えば、特別図柄や飾り図柄など）の可変表示を行う可変表示手段（例えば、第１特別図柄表示装置４Ａや第２特別図柄表示装置４Ｂ、画像表示装置５など）に特定表示結果が導出されたときに特定遊技状態（例えば、大当り遊技状態など）に制御可能な遊技機であって、前記可変表示手段が前記特定表示結果とは異なる前記第２の価値を付与することに対応する表示結果を導出した場合に、前記特定遊技状態に制御されることとは異なる所定の遊技価値（例えば、演出ポイントなど）を付与する所定価値付与手段（例えば、図３２のステップＳ８１５にてポイント付与処理を実行する演出制御用ＣＰＵ１２０など）を更に備え、前記第２の価値が付与されることを示唆する態様は、前記所定の遊技価値が付与されることを示唆する態様（例えば、図３８・図３９の「ポイント」の態様など）を含む、としてもよい。
特定演出によって、特定遊技状態に制御されることとは異なる価値が付与されることが示唆されると、遊技者が落胆してしまう恐れがある。このような構成によれば、特定遊技状態に制御されることとは異なる第２の価値が付与されることを示唆するとしても、所定の遊技価値が付与されることを示唆できるので遊技者の落胆を軽減できる。